(57)【要約】  無線通信システムの端末、及びそれを利用する無線通信方法が開示される。より詳しくは、通信モジュール及びプロセッサを含み、前記プロセッサは、一つ以上のセル（ら）で各セルのＰＤＳＣＨスケジューリング情報を指示するＰＤＣＣＨを介してＤＣＩを受信するし、前記ＤＣＩのＤＣＩフォーマットに基づいて前記各セルにおける伝送方式を識別し、前記ＰＤＣＣＨのスケジューリング情報に基づいて前記一つ以上のセル（ら）で各セルのＰＤＳＣＨを受信し、前記各セルのＰＤＳＣＨの受信に対する応答として前記一つ以上のセル（ら）に対するＨＡＲＱ−ＡＣＫビットシーケンスを各セルの識別された伝送方式に基づいて生成し、生成されたＨＡＲＱ−ＡＣＫビットシーケンスを伝送する端末、及びそれを利用する無線通信方法が開示される。
2020529780.tif 000002
【特許請求の範囲】
【請求項１】
無線通信システムの端末において、
通信モジュールと、
前記通信モジュールを制御するプロセッサと、を含み、
前記プロセッサは、
一つ以上のセル（ら）で各セルの物理下りリンク共有チャネル（ＰＤＳＣＨ）スケジューリング情報を指示する物理下りリンク制御チャネル（ＰＤＣＣＨ）を介して下りリンク制御情報（ＤＣＩ）を受信するが、前記一つ以上のセル（ら）において少なくとも一つのセルにはコードブロックグループ（ＣＢＧ）−基盤伝送が構成されており、
前記ＤＣＩのＤＣＩフォーマットに基づいて前記各セルにおける伝送方式を識別するが、前記伝送方式は伝送ブロック（ＴＢ）−基盤伝送、またはＣＢＧ−基盤伝送のうちいずれか一つであり、
前記ＰＤＣＣＨのスケジューリング情報に基づいて前記一つ以上のセル（ら）で各セルのＰＤＳＣＨを受信し、
前記各セルのＰＤＳＣＨの受信に対する応答として前記一つ以上のセル（ら）に対するＨＡＲＱ−ＡＣＫ（ｈｙｂｒｉｄ  ａｕｔｏｍａｔｉｃ  ｒｅｐｅａｔ  ｒｅｑｕｅｓｔ  ａｃｋｎｏｗｌｅｄｇｅｍｅｎｔ）ビットシーケンスを各セルの識別された伝送方式に基づいて生成するが、前記ＨＡＲＱ−ＡＣＫビットシーケンス内でＴＢ−基盤伝送に対するＨＡＲＱ−ＡＣＫビットシーケンスと、ＣＢＧ−基盤伝送に対するＨＡＲＱ−ＡＣＫビットシーケンスはそれぞれ別途に生成される、及び
生成されたＨＡＲＱ−ＡＣＫビットシーケンスを伝送する端末。
【請求項２】
前記ＴＢ−基盤伝送に対するＨＡＲＱ−ＡＣＫビットシーケンスでは一つの伝送ブロック当たり一つのＨＡＲＱ−ＡＣＫビットが生成され、
前記ＣＢＧ−基盤伝送に対するＨＡＲＱ−ＡＣＫビットシーケンスでは一つの伝送ブロック当たりＮ個のＨＡＲＱ−ＡＣＫビット（ら）が生成されるが、前記Ｎは前記端末に構成された一つの伝送ブロック当たりのＣＢＧの最大個数である請求項１に記載の端末。
【請求項３】
前記一つ以上のセル（ら）において、ＣＢＧ−基盤伝送が構成された特定セルを介して伝送されたＣＢＧ（ら）の個数Ｍが前記Ｎより少なければ、前記特定セルに対するＨＡＲＱ−ＡＣＫビット（ら）は前記伝送されたＣＢＧ（ら）に対するＭ個のＨＡＲＱ−ＡＣＫビット（ら）とＮ−Ｍ個のＮＡＣＫ（ら）からなる請求項２に記載の端末。
【請求項４】
前記プロセッサは、
前記ＤＣＩフォーマットにおける下りリンク割当インデックス（ＤＡＩ）を受信し、
前記ＤＡＩを参照して前記ＨＡＲＱ−ＡＣＫビットシーケンスを生成するが、
前記ＤＡＩは現在のセルまでスケジューリングされたＰＤＳＣＨ（ら）の累積個数を示すカウンタ−ＤＡＩと、全てのセルにスケジューリングされたＰＤＳＣＨの総個数を示すトータル−ＤＡＩを含む請求項１に記載の端末。
【請求項５】
前記ＤＡＩは、前記ＴＢ−基盤伝送に対するＨＡＲＱ−ＡＣＫビットシーケンスと、前記ＣＢＧ−基盤伝送に対するＨＡＲＱ−ＡＣＫビットシーケンスにそれぞれ別途に適用される請求項４に記載の端末。
【請求項６】
前記ＨＡＲＱ−ＡＣＫビットシーケンス内において、前記ＣＢＧ−基盤伝送に対するＨＡＲＱ−ＡＣＫビットシーケンスは、前記ＴＢ−基盤伝送に対するＨＡＲＱ−ＡＣＫビットシーケンスの次に添付される請求項１に記載の端末。
【請求項７】
無線通信システムにおける無線通信方法であって、
一つ以上のセル（ら）で各セルの物理下りリンク共有チャネル（ＰＤＳＣＨ）スケジューリング情報を指示する物理下りリンク制御チャネル（ＰＤＣＣＨ）を介して下りリンク制御情報（ＤＣＩ）を受信するステップ、前記一つ以上のセル（ら）において少なくとも一つのセルはコードブロックグループ（ＣＢＧ）−基盤伝送が構成される；
前記ＤＣＩのＤＣＩフォーマットに基づいて前記各セルにおける伝送方式を識別するステップ、前記伝送方式は伝送ブロック（ＴＢ）−基盤伝送、またはＣＢＧ−基盤伝送のうちいずれか一つである；
前記ＰＤＣＣＨのスケジューリング情報に基づいて前記一つ以上のセル（ら）で各セルのＰＤＳＣＨを受信するステップ；
前記各セルのＰＤＳＣＨの受信に対する応答として前記一つ以上のセル（ら）に対するＨＡＲＱ−ＡＣＫビットシーケンスを各セルの識別された伝送方式に基づいて生成するステップ、前記ＨＡＲＱ−ＡＣＫビットシーケンス内でＴＢ−基盤伝送に対するＨＡＲＱ−ＡＣＫビットシーケンスと、ＣＢＧ−基盤伝送に対するＨＡＲＱ−ＡＣＫビットシーケンスはそれぞれ別途に生成される；及び
生成されたＨＡＲＱ−ＡＣＫビットシーケンスを伝送するステップを含む無線通信方法。
【請求項８】
無線通信システムの端末において、
通信モジュールと、
前記通信モジュールを制御するプロセッサと、を含み、
前記プロセッサは、
一つ以上のセル（ら）で各セルの物理下りリンク共有チャネル（ＰＤＳＣＨ）スケジューリング情報を指示する物理下りリンク制御チャネル（ＰＤＣＣＨ）を受信するが、前記一つ以上のセル（ら）において少なくとも一つのセルにはコードブロックグループ（ＣＢＧ）−基盤伝送が可能に構成されており、
前記ＰＤＣＣＨを介して下りリンク割当インデックス（ＤＡＩ）を受信し、
前記ＰＤＣＣＨのスケジューリング情報に基づいて前記一つ以上のセル（ら）で各セルのＰＤＳＣＨを受信し、
前記各セルのＰＤＳＣＨの受信に対する応答として前記一つ以上のセル（ら）に対するＨＡＲＱ−ＡＣＫビットシーケンスを前記ＤＡＩを参照して生成するが、前記ＨＡＲＱ−ＡＣＫビットシーケンスは、伝送ブロック（ＴＢ）−基盤伝送に対するＨＡＲＱ−ＡＣＫビットシーケンスと、ＣＢＧ−基盤伝送に対するＨＡＲＱ−ＡＣＫビットシーケンスのうち少なくとも一つを含み、前記ＤＡＩは、前記ＴＢ−基盤伝送に対するＨＡＲＱ−ＡＣＫビットシーケンスと、前記ＣＢＧ−基盤伝送に対するＨＡＲＱ−ＡＣＫビットシーケンスにそれぞれ別途に適用され、及び
生成されたＨＡＲＱ−ＡＣＫビットシーケンスを伝送する端末。
【請求項９】
前記ＨＡＲＱ−ＡＣＫビットシーケンスは、前記各セルの識別された伝送方式に基づいて生成されるが、前記各セルにおける伝送方式は、ＴＢ−基盤伝送またはＣＢＧ−基盤伝送のうちいずれか一つである請求項８に記載の端末。
【請求項１０】
前記プロセッサは、
前記ＰＤＣＣＨを介して下りリンク制御情報（ＤＣＩ）を受信し、
前記各セルの伝送方式は前記ＤＣＩのＤＣＩフォーマットに基づいて識別される請求項９に記載の端末。
【請求項１１】
前記ＴＢ−基盤伝送に対するＨＡＲＱ−ＡＣＫビットシーケンスでは一つの伝送ブロック当たり一つのＨＡＲＱ−ＡＣＫビットが生成され、
前記ＣＢＧ−基盤伝送に対するＨＡＲＱ−ＡＣＫビットシーケンスでは一つの伝送ブロック当たりＮ個のＨＡＲＱ−ＡＣＫビット（ら）が生成されるが、前記Ｎは前記端末に構成された一つの伝送ブロック当たりのＣＢＧの最大個数である請求項８に記載の端末。
【請求項１２】
前記一つ以上のセル（ら）において、ＣＢＧ−基盤伝送が構成された特定セルを介して伝送されたＣＢＧ（ら）の個数Ｍが前記Ｎより少なければ、前記特定セルに対するＨＡＲＱ−ＡＣＫビット（ら）は前記伝送されたＣＢＧ（ら）に対するＭ個のＨＡＲＱ−ＡＣＫビット（ら）とＮ−Ｍ個のＮＡＣＫ（ら）からなる請求項１１に記載の端末。
【請求項１３】
前記ＨＡＲＱ−ＡＣＫビットシーケンス内において、前記ＣＢＧ−基盤伝送に対するＨＡＲＱ−ＡＣＫビットシーケンスは、前記ＴＢ−基盤伝送に対するＨＡＲＱ−ＡＣＫビットシーケンスの次に添付される請求項８に記載の端末。
【請求項１４】
前記ＴＢ−基盤伝送に適用されるＤＡＩは、現在のセルまでスケジューリングされたＴＢ−基盤ＰＤＳＣＨ（ら）の累積個数を示すカウンタ−ＤＡＩと、全てのセルにスケジューリングされたＴＢ−基盤ＰＤＳＣＨの総個数を示すトータル−ＤＡＩを含み、
前記ＣＢＧ−基盤伝送に適用されるＤＡＩは、現在のセルまでスケジューリングされたＣＢＧ−基盤ＰＤＳＣＨ（ら）の累積個数を示すカウンタ−ＤＡＩと、全てのセルにスケジューリングされたＣＢＧ−基盤ＰＤＳＣＨの総個数を示すトータル−ＤＡＩを含む請求項８に記載の端末。
【請求項１５】
前記ＴＢ−基盤伝送に適用されるＤＡＩのトータル−ＤＡＩが予め設定された値を示し、前記ＴＢ−基盤伝送をスケジューリングするＰＤＣＣＨが全く受信されなければ、前記ＨＡＲＱ−ＡＣＫビットシーケンスは前記ＴＢ−基盤伝送に対するＨＡＲＱ−ＡＣＫビットシーケンスを除外して構成され、
前記ＣＢＧ−基盤伝送に適用されるＤＡＩのトータル−ＤＡＩが予め設定された値を示し、前記ＣＢＧ−基盤伝送をスケジューリングするＰＤＣＣＨが全く受信されなければ、前記ＨＡＲＱ−ＡＣＫビットシーケンスは前記ＣＢＧ−基盤伝送に対するＨＡＲＱ−ＡＣＫビットシーケンスを除外して構成される請求項１４に記載の端末。
【請求項１６】
前記予め設定された値は２進数の「１１」である請求項１５に記載の端末。
【請求項１７】
前記ＨＡＲＱ−ＡＣＫビットシーケンスは、物理上りリンク共有チャネル（ＰＵＳＣＨ）を介して伝送される請求項１５に記載の端末。
【請求項１８】
無線通信システムにおける無線通信方法であって、
一つ以上のセル（ら）で各セルの物理下りリンク共有チャネル（ＰＤＳＣＨ）スケジューリング情報を指示する物理下りリンク制御チャネル（ＰＤＣＣＨ）を受信するステップ、前記一つ以上のセル（ら）において少なくとも一つのセルにはコードブロックグループ（ＣＢＧ）−基盤伝送が可能に構成されている；
前記ＰＤＣＣＨを介して下りリンク割当インデックス（ＤＡＩ）を受信するステップ；
前記ＰＤＣＣＨのスケジューリング情報に基づいて前記一つ以上のセル（ら）で各セルのＰＤＳＣＨを受信するステップ；
前記各セルのＰＤＳＣＨの受信に対する応答として前記一つ以上のセル（ら）に対するＨＡＲＱ−ＡＣＫビットシーケンスを前記ＤＡＩを参照して生成するステップ、前記ＨＡＲＱ−ＡＣＫビットシーケンスは伝送ブロック（ＴＢ）−基盤伝送に対するＨＡＲＱ−ＡＣＫビットシーケンスと、ＣＢＧ−基盤伝送に対するＨＡＲＱ−ＡＣＫビットシーケンスのうち少なくとも一つを含み、前記ＤＡＩは、前記ＴＢ−基盤伝送に対するＨＡＲＱ−ＡＣＫビットシーケンスと、前記ＣＢＧ−基盤伝送に対するＨＡＲＱ−ＡＣＫビットシーケンスにそれぞれ別途に適用される；及び
前記生成されたＨＡＲＱ−ＡＣＫビットシーケンスを伝送するステップを含む無線通信方法。
【発明の詳細な説明】
【技術分野】
【０００１】
本発明は、無線通信システムに関する。詳しくは、本発明は、データチャネル及び制御チャネルを送受信する無線通信方法、装置、及びシステムに関する。
【背景技術】
【０００２】
４Ｇ（４ｔｈ  ｇｅｎｅｒａｔｉｏｎ）通信システムの商用化後、増加する無線データトラフィック需要を充足するために、新たな５Ｇ（５ｔｈ  ｇｅｎｅｒａｔｉｏｎ）通信システムを開発するための努力が行われている。５Ｇ通信システムは、４Ｇネットワーク以降（ｂｅｙｏｎｄ  ４Ｇ  ｎｅｔｗｏｒｋ）の通信システム、ＬＴＥシステム以降（ｐｏｓｔ  ＬＴＥ）システム、またはＮＲ（ｎｅｗ  ｒａｄｉｏ）システムと称されている。高いデータ伝送率を達成するために、５Ｇ通信システムは、６ＧＨｚ以上の超高周波（ｍｍＷａｖｅ）帯域を使用して運用されるシステムを含み、また、カバレッジを確保し得る側面から６ＧＨｚ以下の周波数帯域を使用して運用される通信システムを含んで基地局と端末における具現が考慮されている。
【０００３】
３ＧＰＰ（３ｒｄ  ｇｅｎｅｒａｔｉｏｎ  ｐａｒｔｎｅｒｓｈｉｐ  ｐｒｏｊｅｃｔ）  ＮＲシステムは、ネットワークスペクトルの効率を向上させて、通信事業者が与えられた帯域幅でより多くのデータ及び音声サービスを提供し得るようにする。よって、３ＧＰＰ  ＮＲシステムは、大容量音声支援以外にも、高速データ及びメディアの伝送に対する要求を充足するように設計される。ＮＲシステムの長所は、同じプラットフォームで高い処理量、低い待機時間、ＦＤＤ（ｆｒｅｑｕｅｎｃｙ  ｄｉｖｉｓｉｏｎ  ｄｕｐｌｅｘ）及びＴＤＤ（ｔｉｍｅ  ｄｉｖｉｓｉｏｎ  ｄｕｐｌｅｘ）の支援、向上された最終ユーザ環境、及び簡単なアーキテクチャで低い運営コストを有するという点である。
【０００４】
より効率的なデータ処理のために、ＮＲシステムのダイナミックＴＤＤは、セルのユーザのデータトラフィック方向に応じて上りリンク及び下りリンクに使用し得るＯＦＤＭ（ｏｒｔｈｏｇｏａｌ  ｆｒｅｑｕｅｎｃｙ  ｄｉｖｉｓｉｏｎ  ｍｕｌｔｉｐｌｅｘｉｎｇ）シンボルの個数を可変する方式を使用する。例えば、セルの下りリンクトラフィックが上りリンクトラフィックより多ければ、基地局はスロット（またはサブフレーム）に多数の下りリンクＯＦＤＭシンボルを割り当てる。スロット構成に関する情報は端末に伝送されるべきである。
【０００５】
超高周波帯域における電波の経路損失の緩和及び電波の伝達距離の増加のために、５Ｇ通信システムではビームフォーミング（ｂｅａｍｆｏｒｍｉｎｇ）、巨大配列多重入出力（ｍａｓｓｉｖｅ  ＭＩＭＯ）、全次元多重入出力（ｆｕｌｌ  ｄｉｍｅｎｓｉｏｎ  ＭＩＭＯ、ＦＤ−ＭＩＭＯ）、アレイアンテナ（ａｒｒａｙ  ａｎｔｅｎｎａ）、アナログビームフォーミング（ａｎａｌｏｇ  ｂｅａｍ−ｆｏｒｍｉｎｇ）、アナログビームフォーミングとデジタルビームフォーミングを組み合わせるハイブリッドビームフォーミング、及び大規模アンテナ（ｌａｒｇｅ  ｓｃａｌｅ  ａｎｔｅｎｎａ）技術が論議されている。また、システムネットワークを改善するために、５Ｇ通信システムでは進化した小型セル、改善された小型セル（ａｄｖａｎｃｅｄ  ｓｍａｌｌ  ｃｅｌｌ）、クラウド無線アクセスネットワーク（ｃｌｏｕｄ  ｒａｄｉｏ  ａｃｃｅｓｓ  ｎｅｔｗｏｒｋ：ｃｌｏｕｄ  ＲＡＮ）、超高密度ネットワーク（ｕｌｔｒａ−ｄｅｎｓｅ  ｎｅｔｗｏｒｋ）、機器間通信（ｄｅｖｉｃｅ  ｔｏ  ｄｅｖｉｃｅ  ｃｏｍｍｕｎｉｃａｔｉｏｎ：Ｄ２Ｄ）、車両を利用する通信（ｖｅｈｉｃｌｅ  ｔｏ  ｅｖｅｒｙｔｈｉｎｇ  ｃｏｍｍｕｎｉｃａｔｉｏｎ：Ｖ２Ｘ）、無線バックホール（ｗｉｒｅｌｅｓｓ  ｂａｃｋｈａｕｌ）、非−地上波ネットワーク通信（ｎｏｎ−ｔｅｒｒｅｓｔｒｉａｌ  ｎｅｔｗｏｒｋ  ｃｏｍｍｕｎｉｃａｔｉｏｎ、ＮＴＮ）、移動ネットワーク（ｍｏｖｉｎｇ  ｎｅｔｗｏｒｋ）、協力通信（ｃｏｏｐｅｒａｔｉｖｅ  ｃｏｍｍｕｎｉｃａｔｉｏｎ）、ＣｏＭＰ（ｃｏｏｒｄｉｎａｔｅｄ  ｍｕｌｔｉ−ｐｏｉｎｔｓ）、及び受信干渉除去（ｉｎｔｅｒｆｅｒｅｎｃｅ  ｃａｎｃｅｌｌａｔｉｏｎ）などに関する技術開発が行われている。その他、５Ｇシステムでは進歩したコーディング変調（ａｄｖａｎｃｅｄ  ｃｏｄｉｎｇ  ｍｏｄｕｌａｔｉｏｎ：ＡＣＭ）方式のＦＱＡＭ（ｈｙｂｒｉｄ  ＦＳＫ  ａｎｄ  ＱＡＭ  ｍｏｄｕｌａｔｉｏｎ）及びＳＷＳＣ（ｓｌｉｄｉｎｇ  ｗｉｎｄｏｗ  ｓｕｐｅｒｐｏｓｉｔｉｏｎ  ｃｏｄｉｎｇ）と、進歩したアクセス技術であるＦＢＭＣ（ｆｉｌｔｅｒ  ｂａｎｋ  ｍｕｌｔｉ−ｃａｒｒｉｅｒ）、ＮＯＭＡ（ｎｏｎ−ｏｒｔｈｏｇｏｎａｌ  ｍｕｌｔｉｐｌｅ  ａｃｃｅｓｓ）、及びＳＣＭＡ（ｓｐａｒｓｅ  ｃｏｄｅ  ｍｕｌｔｉｐｌｅ  ａｃｃｅｓｓ）などが開発されている。
【０００６】
一方、インターネットは人間が情報を生成し消費する人間中心の連結網において、物など分散された構成要素間に情報を交換し処理するＩｏＴ（Ｉｎｔｅｒｎｅｔ  ｏｆ  Ｔｈｉｎｇｓ、モノのインターネット）網に進化している。クラウドサーバなどとの連結を介したビックデータ（ｂｉｇ  ｄａｔａ）処理技術などがＩｏＴ技術に結合されたＩｏＥ（Ｉｎｔｅｒｎｅｔ  ｏｆ  Ｅｖｅｒｙｔｈｉｎｇ）技術も台頭している。ＩｏＴを具現するために、センシング技術、有無線通信及びネットワークインフラ、サービスインタフェース技術、及び保安技術のような技術要素が要求されており、最近は物間の連結のためのセンサネットワーク、マシンツーマシン（ｍａｃｈｉｎｅ  ｔｏ  ｍａｃｈｉｎｅ、Ｍ２Ｍ）、ＭＴＣ（ｍａｃｈｉｎｅ  ｔｙｐｅ  ｃｏｍｍｕｎｉｃａｔｉｏｎ）などの技術が研究されている。ＩｏＴ環境では、連結された物から生成されたデータを収集、分析して、人間の生活に新たな価値を生み出す知能型ＩＴ（ｉｎｔｅｒｎｅｔ  ｔｅｃｈｎｏｌｏｇｙ）サービスが提供される。ＩｏＴは、従来のＩＴ（ｉｎｆｏｒｍａｔｉｏｎ  ｔｅｃｈｎｏｌｏｇｙ）技術と多様な産業間の融合及び複合を介し、スマートホーム、スマートビル、スマートシティ、スマートカーまたはコネクテッドカー、スマートグリッド、ヘルスケア、スマート家電、先端医療サービスなどの分野に応用される。
【０００７】
そこで、５Ｇ通信システムをＩｏＴ網に適用するための様々な試みが行われている。例えば、センサネットワーク、マシンツーマシン、ＭＴＣなどの技術が、５Ｇ通信技術であるビームフォーミング、ＭＩＭＯ、及びアレイアンテナなどの技法によって具現されている。上述したビックデータ処理技術として、クラウド無線アクセスネットワーク（ｃｌｏｕｄ  ＲＡＮ）の適用も５Ｇ技術とＩｏＴ技術の融合の一例といえる。一般に、移動通信システムは、ユーザの活動性を保障しながら音声サービスを提供するために開発されている。
【０００８】
しかし、移動通信システムは次第に音声だけでなくデータサービスにまで領域を拡張しており、現在は高速のデータサービスを提供する程度にまで発展している。しかし、現在サービス提供中の移動通信システムでは、資源不足現象及びユーザの高速サービス要求のため、より発展した移動通信システムが要求されている。
【発明の概要】
【発明が解決しようとする課題】
【０００９】
本発明の目的は、無線通信システム、特にセルラー無線通信システムにおいて効率的に信号を伝送する方法及びそのための装置を提供することである。また、本発明の目的は、下りリンク制御チャネルを送受信する方法、そのための装置及びシステムを提供することである。
【００１０】
本発明は、端末にコードブロックグループ（ＣＢＧ）−基盤伝送が可能に構成された際、ＨＡＲＱ−ＡＣＫビットシーケンスを生成する方法を提供するための目的を有する。
【００１１】
また、本発明は、端末にＣＢＧ−基盤伝送が可能に構成された際、効率的な再伝送を行う方法を提供するための目的を有する。
【００１２】
更に、本発明は、ＣＢＧ−基盤伝送が可能に構成された端末が少なくとも一つのＰＤＣＣＨの受信に失敗したら、ＨＡＲＱ−ＡＣＫビットシーケンスを生成する方法を提供するための目的を有する。
【課題を解決するための手段】
【００１３】
前記のような課題を解決するために、以下のような無線通信システムの端末及び無線通信方法が提供される。
【００１４】
まず、本発明の実施例によると、無線通信システムの端末において、通信モジュールと、前記通信モジュールを制御するプロセッサと、を含み、前記プロセッサは、一つ以上のセル（ら）で各セルの物理下りリンク共有チャネル（ＰＤＳＣＨ）スケジューリング情報を指示する物理下りリンク制御チャネル（ＰＤＣＣＨ）を介して下りリンク制御情報（ＤＣＩ）を受信するが、前記一つ以上のセル（ら）において少なくとも一つのセルにはコードブロックグループ（ＣＢＧ）−基盤伝送が構成されており、前記ＤＣＩのＤＣＩフォーマットに基づいて前記各セルにおける伝送方式を識別するが、前記伝送方式は伝送ブロック（ＴＢ）−基盤伝送、またはＣＢＧ−基盤伝送のうちいずれか一つであり、前記ＰＤＣＣＨのスケジューリング情報に基づいて前記一つ以上のセル（ら）で各セルのＰＤＳＣＨを受信し、前記各セルのＰＤＳＣＨの受信に対する応答として前記一つ以上のセル（ら）に対するＨＡＲＱ−ＡＣＫ（ｈｙｂｒｉｄ  ａｕｔｏｍａｔｉｃ  ｒｅｐｅａｔ  ｒｅｑｕｅｓｔ  ａｃｋｎｏｗｌｅｄｇｅｍｅｎｔ）ビットシーケンスを各セルの識別された伝送方式に基づいて生成するが、前記ＨＡＲＱ−ＡＣＫビットシーケンス内でＴＢ−基盤伝送に対するＨＡＲＱ−ＡＣＫビットシーケンスと、ＣＢＧ−基盤伝送に対するＨＡＲＱ−ＡＣＫビットシーケンスはそれぞれ別途に生成される、及び生成されたＨＡＲＱ−ＡＣＫビットシーケンスを伝送する端末が提供される。
【００１５】
また、本発明の実施例によると、無線通信システムにおける無線通信方法であって、一つ以上のセル（ら）で各セルの物理下りリンク共有チャネル（ＰＤＳＣＨ）スケジューリング情報を指示する物理下りリンク制御チャネル（ＰＤＣＣＨ）を介して下りリンク制御情報（ＤＣＩ）を受信するステップ、前記一つ以上のセル（ら）において少なくとも一つのセルはコードブロックグループ（ＣＢＧ）−基盤伝送が構成される；前記ＤＣＩのＤＣＩフォーマットに基づいて前記各セルにおける伝送方式を識別するステップ、前記伝送方式は伝送ブロック（ＴＢ）−基盤伝送、またはＣＢＧ−基盤伝送のうちいずれか一つである；前記ＰＤＣＣＨのスケジューリング情報に基づいて前記一つ以上のセル（ら）で各セルのＰＤＳＣＨを受信するステップ；前記各セルのＰＤＳＣＨの受信に対する応答として前記一つ以上のセル（ら）に対するＨＡＲＱ−ＡＣＫビットシーケンスを各セルの識別された伝送方式に基づいて生成するステップ、前記ＨＡＲＱ−ＡＣＫビットシーケンス内でＴＢ−基盤伝送に対するＨＡＲＱ−ＡＣＫビットシーケンスと、ＣＢＧ−基盤伝送に対するＨＡＲＱ−ＡＣＫビットシーケンスはそれぞれ別途に生成される；及び生成されたＨＡＲＱ−ＡＣＫビットシーケンスを伝送するステップを含む無線通信方法が提供される。
【００１６】
前記ＴＢ−基盤伝送に対するＨＡＲＱ−ＡＣＫビットシーケンスでは一つの伝送ブロック当たり一つのＨＡＲＱ−ＡＣＫビットが生成され、前記ＣＢＧ−基盤伝送に対するＨＡＲＱ−ＡＣＫビットシーケンスでは一つの伝送ブロック当たりＮ個のＨＡＲＱ−ＡＣＫビット（ら）が生成されるが、前記Ｎは前記端末に構成された一つの伝送ブロック当たりのＣＢＧの最大個数である。
【００１７】
前記一つ以上のセル（ら）において、ＣＢＧ−基盤伝送が構成された特定セルを介して伝送されたＣＢＧ（ら）の個数Ｍが前記Ｎより少なければ、前記特定セルに対するＨＡＲＱ−ＡＣＫビット（ら）は前記伝送されたＣＢＧ（ら）に対するＭ個のＨＡＲＱ−ＡＣＫビット（ら）とＮ−Ｍ個のＮＡＣＫ（ら）からなる。
【００１８】
前記プロセッサは、前記ＤＣＩフォーマットにおける下りリンク割当インデックス（ＤＡＩ）を受信し、前記ＤＡＩを参照して前記ＨＡＲＱ−ＡＣＫビットシーケンスを生成するが、前記ＤＡＩは現在のセルまでスケジューリングされたＰＤＳＣＨ（ら）の累積個数を示すカウンタ−ＤＡＩと、全てのセルにスケジューリングされたＰＤＳＣＨの総個数を示すトータル−ＤＡＩを含む。
【００１９】
前記ＤＡＩは、前記ＴＢ−基盤伝送に対するＨＡＲＱ−ＡＣＫビットシーケンスと、前記ＣＢＧ−基盤伝送に対するＨＡＲＱ−ＡＣＫビットシーケンスにそれぞれ別途に適用される。
【００２０】
前記ＨＡＲＱ−ＡＣＫビットシーケンス内において、前記ＣＢＧ−基盤伝送に対するＨＡＲＱ−ＡＣＫビットシーケンスは、前記ＴＢ−基盤伝送に対するＨＡＲＱ−ＡＣＫビットシーケンスの次に添付される。
【００２１】
また、本発明の他の実施例によると、無線通信システムの端末において、通信モジュールと、前記通信モジュールを制御するプロセッサと、を含み、前記プロセッサは、一つ以上のセル（ら）で各セルの物理下りリンク共有チャネル（ＰＤＳＣＨ）スケジューリング情報を指示する物理下りリンク制御チャネル（ＰＤＣＣＨ）を受信するが、前記一つ以上のセル（ら）において少なくとも一つのセルにはコードブロックグループ（ＣＢＧ）−基盤伝送が可能に構成されており、前記ＰＤＣＣＨを介して下りリンク割当インデックス（ＤＡＩ）を受信し、前記ＰＤＣＣＨのスケジューリング情報に基づいて前記一つ以上のセル（ら）で各セルのＰＤＳＣＨを受信し、前記各セルのＰＤＳＣＨの受信に対する応答として前記一つ以上のセル（ら）に対するＨＡＲＱ−ＡＣＫビットシーケンスを前記ＤＡＩを参照して生成するが、前記ＨＡＲＱ−ＡＣＫビットシーケンスは、伝送ブロック（ＴＢ）−基盤伝送に対するＨＡＲＱ−ＡＣＫビットシーケンスと、ＣＢＧ−基盤伝送に対するＨＡＲＱ−ＡＣＫビットシーケンスのうち少なくとも一つを含み、前記ＤＡＩは、前記ＴＢ−基盤伝送に対するＨＡＲＱ−ＡＣＫビットシーケンスと、前記ＣＢＧ−基盤伝送に対するＨＡＲＱ−ＡＣＫビットシーケンスにそれぞれ別途に適用され、及び生成されたＨＡＲＱ−ＡＣＫビットシーケンスを伝送する端末が提供される。
【００２２】
また、本発明の他の実施例によると、無線通信システムにおける無線通信方法であって、一つ以上のセル（ら）で各セルの物理下りリンク共有チャネル（ＰＤＳＣＨ）スケジューリング情報を指示する物理下りリンク制御チャネル（ＰＤＣＣＨ）を受信するステップ、前記一つ以上のセル（ら）において少なくとも一つのセルにはコードブロックグループ（ＣＢＧ）−基盤伝送が可能に構成されている；前記ＰＤＣＣＨを介して下りリンク割当インデックス（ＤＡＩ）を受信するステップ；前記ＰＤＣＣＨのスケジューリング情報に基づいて前記一つ以上のセル（ら）で各セルのＰＤＳＣＨを受信するステップ；前記各セルのＰＤＳＣＨの受信に対する応答として前記一つ以上のセル（ら）に対するＨＡＲＱ−ＡＣＫビットシーケンスを前記ＤＡＩを参照して生成するステップ、前記ＨＡＲＱ−ＡＣＫビットシーケンスは伝送ブロック（ＴＢ）−基盤伝送に対するＨＡＲＱ−ＡＣＫビットシーケンスと、ＣＢＧ−基盤伝送に対するＨＡＲＱ−ＡＣＫビットシーケンスのうち少なくとも一つを含み、前記ＤＡＩは、前記ＴＢ−基盤伝送に対するＨＡＲＱ−ＡＣＫビットシーケンスと、前記ＣＢＧ−基盤伝送に対するＨＡＲＱ−ＡＣＫビットシーケンスにそれぞれ別途に適用される；及び前記生成されたＨＡＲＱ−ＡＣＫビットシーケンスを伝送するステップを含む無線通信方法が提供される。
【００２３】
前記ＨＡＲＱ−ＡＣＫビットシーケンスは、前記各セルの識別された伝送方式に基づいて生成されるが、前記各セルにおける伝送方式は、ＴＢ−基盤伝送またはＣＢＧ−基盤伝送のうちいずれか一つである。
【００２４】
前記プロセッサは、前記ＰＤＣＣＨを介して下りリンク制御情報（ＤＣＩ）を受信し、前記各セルの伝送方式は前記ＤＣＩのＤＣＩフォーマットに基づいて識別される。
【００２５】
前記ＴＢ−基盤伝送に対するＨＡＲＱ−ＡＣＫビットシーケンスでは一つの伝送ブロック当たり一つのＨＡＲＱ−ＡＣＫビットが生成され、前記ＣＢＧ−基盤伝送に対するＨＡＲＱ−ＡＣＫビットシーケンスでは一つの伝送ブロック当たりＮ個のＨＡＲＱ−ＡＣＫビット（ら）が生成されるが、前記Ｎは前記端末に構成された一つの伝送ブロック当たりのＣＢＧの最大個数である。
【００２６】
前記一つ以上のセル（ら）において、ＣＢＧ−基盤伝送が構成された特定セルを介して伝送されたＣＢＧ（ら）の個数Ｍが前記Ｎより少なければ、前記特定セルに対するＨＡＲＱ−ＡＣＫビット（ら）は前記伝送されたＣＢＧ（ら）に対するＭ個のＨＡＲＱ−ＡＣＫビット（ら）とＮ−Ｍ個のＮＡＣＫ（ら）からなる。
【００２７】
前記ＨＡＲＱ−ＡＣＫビットシーケンス内において、前記ＣＢＧ−基盤伝送に対するＨＡＲＱ−ＡＣＫビットシーケンスは、前記ＴＢ−基盤伝送に対するＨＡＲＱ−ＡＣＫビットシーケンスの次に添付される。
【００２８】
前記ＴＢ−基盤伝送に適用されるＤＡＩは、現在のセルまでスケジューリングされたＴＢ−基盤ＰＤＳＣＨ（ら）の累積個数を示すカウンタ−ＤＡＩと、全てのセルにスケジューリングされたＴＢ−基盤ＰＤＳＣＨの総個数を示すトータル−ＤＡＩを含み、前記ＣＢＧ−基盤伝送に適用されるＤＡＩは、現在のセルまでスケジューリングされたＣＢＧ−基盤ＰＤＳＣＨ（ら）の累積個数を示すカウンタ−ＤＡＩと、全てのセルにスケジューリングされたＣＢＧ−基盤ＰＤＳＣＨの総個数を示すトータル−ＤＡＩを含む。
【００２９】
前記ＴＢ−基盤伝送に適用されるＤＡＩのトータル−ＤＡＩが予め設定された値を示し、前記ＴＢ−基盤伝送をスケジューリングするＰＤＣＣＨが全く受信されなければ、前記ＨＡＲＱ−ＡＣＫビットシーケンスは前記ＴＢ−基盤伝送に対するＨＡＲＱ−ＡＣＫビットシーケンスを除外して構成され、前記ＣＢＧ−基盤伝送に適用されるＤＡＩのトータル−ＤＡＩが予め設定された値を示し、前記ＣＢＧ−基盤伝送をスケジューリングするＰＤＣＣＨが全く受信されなければ、前記ＨＡＲＱ−ＡＣＫビットシーケンスは前記ＣＢＧ−基盤伝送に対するＨＡＲＱ−ＡＣＫビットシーケンスを除外して構成される。
【００３０】
前記予め設定された値は２進数の「１１」である。
【００３１】
前記ＨＡＲＱ−ＡＣＫビットシーケンスは、物理上りリンク共有チャネル（ＰＵＳＣＨ）を介して伝送される。
【発明の効果】
【００３２】
本発明の実施例によると、ＣＢＧ−基盤伝送が可能に構成された端末がＨＡＲＱ−ＡＣＫビットシーケンスを決定するのに参照するための下りリンク制御情報のオーバーヘッドを最小化することができる。よって、本発明の実施例によると、基地局と端末間のネットワーク伝送効率が増加する。
【００３３】
また、本発明の実施例によると、フォールバックモードの効率的なシグナリングを介し、再伝送を要請するためのシグナリングオーバーヘッドを最小化することができる。
【００３４】
本発明から得られる効果は以上で言及した効果に限らず、言及していない他の効果は、以下の記載から本発明が属する技術分野における通常の知識を有する者に明確に理解されるはずである。
【図面の簡単な説明】
【００３５】
【図１】無線通信システムで使用される無線フレーム構造の一例を示す図である。
【図２】無線通信システムにおける下りリンク（ｄｏｗｎｌｉｎｋ、ＤＬ）／上りリンク（ｕｐｌｉｎｋ、ＵＬ）スロット構造の一例を示す図である。
【図３】３ＧＰＰシステムに利用される物理チャネルと、該当物理チャンネルを利用した一般的な信号伝送方法を説明するための図である。
【図４】３ＧＰＰ  ＮＲシステムにおける初期セルアクセスのためのＳＳ／ＰＢＣＨブロックを示す図である。
【図５】３ＧＰＰ  ＮＲシステムにおける制御情報及び制御チャネル伝送のための手順を示す図である。
【図６】３ＧＰＰ  ＮＲシステムにおけるＰＤＣＣＨ（ｐｈｙｓｉｃａｌ  ｄｏｗｎｌｉｎｋ  ｃｏｎｔｒｏｌ  ｃｈａｎｎｅｌ）が伝送されるＣＯＲＥＳＥＴ（ｃｏｎｔｒｏｌ  ｒｅｓｏｕｒｃｅ  ｓｅｔ）を示す図である。
【図７】３ＧＰＰ  ＮＲシステムにおけるＰＤＣＣＨ探索空間を設定する方法を示す図である。
【図８】キャリア集成（ｃａｒｒｉｅｒ  ａｇｇｒｅｇａｔｉｏｎ）を説明する概念図である。
【図９】単一キャリア通信と多重キャリア通信を説明するための図である。
【図１０】クロス−キャリアスケジューリング技法が適用される例を示す図である。
【図１１】本発明の実施例によるコードブロックグループ（ｃｏｄｅ  ｂｌｏｃｋ  ｇｒｏｕｐ、ＣＢＧ）の構成及びそれの時間周波数資源マッピングを示す図である。
【図１２】本発明の実施例によって基地局がＴＢ−基盤伝送またはＣＢＧ−基盤伝送を行い、端末がそれに対する応答としてＨＡＲＱ−ＡＣＫの伝送を行う過程を示す図である。
【図１３】受信したＨＡＲＱ−ＡＣＫフィードバックとフォールバック指示子を解釈する方法の一実施例を示す図である。
【図１４】受信したＨＡＲＱ−ＡＣＫフィードバックとフォールバック指示子を解釈する方法の他の実施例を示す図である。
【図１５】上述した実施例によって端末がＣＢＧ（ら）に対するＨＡＲＱ−ＡＣＫとフォールバック指示子を伝送する一例を示す図である。
【図１６】端末がＣＢＧ（ら）に対するＨＡＲＱ−ＡＣＫとフォールバック指示子を伝送する追加の実施例を示す図である。
【図１７】端末がＣＢＧ（ら）に対するＨＡＲＱ−ＡＣＫとフォールバック指示子を伝送する追加の実施例を示す図である。
【図１８】端末がＣＢＧ（ら）に対するＨＡＲＱ−ＡＣＫとフォールバック指示子を伝送する追加の実施例を示す図である。
【図１９】端末がＣＢＧ（ら）に対するＨＡＲＱ−ＡＣＫとフォールバック指示子を伝送する追加の実施例を示す図である。
【図２０】各コンポーネントキャリアにマッピングされたＤＡＩ（ｄｏｗｎｌｉｎｋ  ａｓｓｉｇｎｍｅｎｔ  ｉｎｄｅｘ）値の一実施例を示す図である。
【図２１】本発明の第１実施例によるＤＡＩシグナリング方法及びそれに基づくＨＡＲＱ−ＡＣＫビットシーケンス生成方法を示す図である。
【図２２】本発明の第１実施例によるＤＡＩシグナリング方法及びそれに基づくＨＡＲＱ−ＡＣＫビットシーケンス生成方法を示す図である。
【図２３】本発明の第２実施例によるＤＡＩシグナリング方法を示す図である。
【図２４】本発明の第３実施例によるＤＡＩシグナリング方法を示す図である。
【図２５】上述した第３実施例によってシグナリングされたＤＡＩに基づいてＨＡＲＱ−ＡＣＫビットシーケンスを生成する実施例を示す図である。
【図２６】上述した第３実施例によってシグナリングされたＤＡＩに基づいてＨＡＲＱ−ＡＣＫビットシーケンスを生成する実施例を示す図である。
【図２７】上述した第３実施例によってシグナリングされたＤＡＩに基づいてＨＡＲＱ−ＡＣＫビットシーケンスを生成する他の実施例を示す図である。
【図２８】本発明の第４実施例によるＤＡＩシグナリング方法を示す図である。
【図２９】本発明の第５実施例によるＤＡＩシグナリング方法を示す図である。
【図３０】本発明の第６実施例によるＤＡＩシグナリング方法を示す図である。
【図３１】上述した第６実施例によってシグナリングされたＤＡＩに基づいてＨＡＲＱ−ＡＣＫビットシーケンスを生成する実施例を示す図である。
【図３２】本発明の第７実施例によるＤＡＩシグナリング方法を示す図である。
【図３３】上述した第７実施例によってシグナリングされたＤＡＩに基づいてＨＡＲＱ−ＡＣＫビットシーケンスを生成する実施例を示す図である。
【図３４】本発明の第８実施例によるＤＡＩシグナリング方法を示す図である。
【図３５】本発明の第９実施例によるＤＡＩシグナリング方法を示す図である。
【図３６】上述した第９実施例によってシグナリングされたＤＡＩに基づいてＨＡＲＱ−ＡＣＫビットシーケンスを生成する実施例を示す図である。
【図３７】本発明の第１０実施例によるＤＡＩシグナリング方法を示す図である。
【図３８】本発明の実施例によるＨＡＲＱ−ＡＣＫの圧縮方法を示す図である。
【図３９】本発明の実施例によってＨＡＲＱ−ＡＣＫの空間バンドリングを行う方法を示す図である。
【図４０】本発明の実施例によってＨＡＲＱ−ＡＣＫの空間バンドリングを行う方法を示す図である。
【図４１】本発明の実施例によってＨＡＲＱ−ＡＣＫの空間バンドリングを行う方法をより詳しく示す図である。
【図４２】本発明の実施例によってＨＡＲＱ−ＡＣＫの空間バンドリングを行う方法をより詳しく示す図である。
【図４３】本発明の一実施例による端末と基地局の構成をそれぞれ示すブロック図である。
【発明を実施するための形態】
【００３６】
本明細書で使用される用語は本発明における機能を考慮しながらできるだけ現在広く使用されている一般的な用語を選択したが、これは当分野に携わる技術者の意図、慣例または新たな技術の出現などによって異なり得る。また、特定の場合は出願人が任意に選定した用語もあるが、この場合、該当の発明を実施する形態の部分においてその意味を記載する。よって、本明細書で使用される用語は、単なる用語の名称ではなく、その用語の有する実質的な意味と本明細書全般にわたる内容に基づいて解釈すべきであることを明らかにする。
【００３７】
明細書全体において、ある構成が他の構成と「連結」されているとする際、これは「調節連結」されている場合だけでなく、その中間に他の構成要素を挟んで「電気的に連結」されている場合も含む。また、ある構成が特定の構成要素を「含む」という際、これは特に反対する記載がない限り、他の構成要素を除くのではなく、他の構成要素を更に含むことを意味する。加えて、特定臨界値を基準に「以上」または「以下」という限定事項は、実施例によってはそれぞれ「超過」または「未満」に適切に切り替えられる。
【００３８】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような多様な無線アクセスシステムに使用される。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で具現される。ＴＤＭＡは、ＧＳＭ（登録商標）（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ（登録商標）  ｅｖｏｌｕｔｉｏｎ）のような無線技術で具現される。ＯＦＤＭＡは、ＩＥＥＥ８０２．１１（つまり、Ｗｉ−Ｆｉ）、ＩＥＥＥ８０２．１６（つまり、ＷｉＭＡＸ）、ＩＥＥＥ８０２−２０、Ｅ−ＵＴＲＡ（Ｅｖｏｌｖｅｄ  ＵＴＲＡ）などのような無線技術で具現される。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ  ＬＴＥ（ｌｏｎｇ  ｔｅｒｍ  ｅｖｏｌｕｔｉｏｎ）はＥ−ＵＴＲＡを使用するＥ−ＵＭＴＳ（ｅｖｏｌｖｅｄ  ＵＭＴＳ）の一部であり、ＬＴＥ−Ａ（ＬＴＥ−ａｄｖａｎｃｅｄ）は３ＧＰＰ  ＬＴＥの進化したバージョンである。３ＧＰＰ  ＮＲ  ＬＴＥ／ＬＴＥ−Ａとは別に設計されるシステムであって、ＩＭＴ−２０２０の要求条件であるｅＭＢＢ（ｅｎｈａｎｃｅｄ  ＢｒｏａｄＢａｎｄ），ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）、及びｍＭＴＣ（ｍａｓｓｉｖｅ  Ｍａｃｈｉｎｅ  Ｔｙｐｅ  Ｃｏｍｍｕｎｉｃａｔｉｏｎ）サービスを支援するためのシステムである。説明を明確にするために３ＧＰＰ  ＮＲを中心に記述するが、本発明の技術的思想はこれに限らない。
【００３９】
本明細書において、特別な説明がない限り、基地局は３ＧＰＰ  ＮＲで定義するｇＮＢ（ｎｅｘｔ  ｇｅｎｅｒａｔｉｏｎ  ｎｏｄｅ  Ｂ）を含む。また、特別な説明がない限り、端末はＵＥ（ｕｓｅｒ  ｅｑｕｉｐｍｅｎｔ）を称する。
【００４０】
図１は、無線通信システムで使用される無線フレーム構造の一例を示す図である。図１を参照すると、３ＧＰＰ  ＮＲシステムで使用される無線フレーム（またはラジオフレーム）は、１０ｍｓ（ΔｆｍａｘＮｆ／１００）＊Ｔｃ）の長さを有する。また、無線フレームは１０個の均等な大きさのサブフレーム（ｓｕｂｆａｍｅ、ＳＦ）からなる。ここで、Δｆｍａｘ＝４８０＊１０３Ｈｚ、Ｎｆ＝４０９６、Ｔｃ＝１／（Δｆｍａｘ＊Ｎｆ，ｒｅｆ）、Δｆｒｅｆ＝１５＊１０３Ｈｚ、Ｎｆ，ｒｅｆ＝２０４８である。一つのフレーム内の１０個のサブフレームにそれぞれ０から９までの番号が与えられる。それぞれのサブフレームは１ｍｓの長さを有し、サブキャリア間隔（ｓｕｂｃａｒｒｉｅｒ  ｓｐａｃｉｎｇ）によって一つまたは複数個のスロットからなる。より詳しくは、３ＧＰＰ  ＮＲシステムで使用し得るサブキャリア間隔は１５＊２μｋＨｚである。μはサブキャリア間隔構成因子（ｓｕｂｃａｒｒｉｅｒ  ｓｐａｃｉｎｇ  ｃｏｎｆｉｇｕｒａｔｉｏｎ）であって、μ＝０〜４の値を有する。つまり、１５ｋＨｚ、３０ｋＨｚ、６０ｋＨｚ、１２０ｋＨｚ、または２４０ｋＨｚがサブキャリア間隔として使用される。１ｍｓ長さのサブフレームは２μ個のスロットからなる。この際、各スロットの長さは２−μｍｓである。一つのサブフレーム内の２μ個のスロットは、それぞれ０から２μ−１までの番号が与えられる。また、一つの無線フレーム内のスロットは、それぞれ０から１０＊２μ−１までの番号が与えられる。時間資源は、無線フレーム番号（または無線フレームインデックスともいう）、サブフレーム番号（またはサブフレームインデックスともいう）、スロット番号（またはスロットインデックス）のうち少なくともいずれか一つによって区分される。
【００４１】
図２は、無線通信システムにおける下りリンク（ＤＬ）／上りリンク（ＵＬ）スロット構造の一例を示す図である。特に、図２は３ＧＰＰ  ＮＲシステムの資源格子（ｒｅｓｏｕｒｃｅ  ｇｒｉｄ）構造を示す。アンテナポート当たり一つの資源格子がある。図２を参照すると、スロットは時間ドメインで複数のＯＦＤＭシンボルを含み、周波数ドメインで複数の資源ブロック（ｒｅｓｏｕｒｃｅ  ｂｌｏｃｋ、ＲＢ）を含む。ＯＦＤＭシンボルは、一つのシンボル区間を意味することもある。特別な説明がない限り、ＯＦＤＭシンボルは簡単にシンボルと称される。図２を参照すると、各スロットから伝送される信号はＮｓｉｚｅ、μｇｒｉｄ、ｘ＊ＮＲＢＳＣ個のサブキャリア（ｓｕｂｃａｒｒｉｅｒ）とＮｓｌｏｔｓｙｍｂ個のＯＦＤＭシンボルからなる資源格子で表現される。ここで、下りリンク資源格子であればｘ＝ＤＬであり、上りリンク資源格子であればｘ＝ＵＬである。Ｎｓｉｚｅ、μｇｒｉｄ、ｘはサブキャリア間隔構成因子μによる資源ブロック（ＲＢ）の個数を示し（ｘはＤＬまたはＵＬ）、Ｎｓｌｏｔｓｙｍｂはスロット内のＯＦＤＭシンボルの個数を示す。ＮＲＢＳＣは一つのＲＢを構成するサブキャリアの個数であって、ＮＲＢＳＣ＝１２である。ＯＦＤＭシンボルは、多重アクセス方式によってＣＰ−ＯＦＤＭ（ｃｙｃｌｉｃ  ｐｒｅｆｉｘ  ＯＦＤＭ）シンボル、またはＤＦＴ−Ｓ−ＯＦＤＭ（ｄｉｓｃｒｅｔｅ  Ｆｏｕｒｉｅｒ  ｔｒａｎｓｆｏｒｍ  ｓｐｒｅａｄ  ＯＦＤＭ）シンボルと称される。
【００４２】
一つのスロットに含まれるＯＦＤＭシンボルの数は、ＣＰ（ｃｙｃｌｉｃ  ｐｒｅｆｉｘ）の長さに応じて異なり得る。例えば、正規（ｎｏｒｍａｌ）ＣＰであれば一つのスロットが１４個のＯＦＤＭシンボルを含むが、拡張（ｅｘｔｅｎｄｅｄ）ＣＰであれば一つのスロットが１２個のＯＦＤＭシンボルを含む。具体的な実施例において、拡張ＣＰは６０ｋＨｚのサブキャリア間隔でのみ使用される。図２では説明の便宜上、一つのスロットが１４ＯＦＤＭシンボルからなる場合を例示したが、本発明の実施例は他の工数のＯＦＤＭシンボルを有するスロットでも同じ方式で適用される。図２を参照すると、各ＯＦＤＭシンボルは、周波数ドメインで、Ｎｓｉｚｅ、μｇｒｉｄ、ｘ＊ＮＲＢＳＣ個のサブキャリアを含む。サブキャリアの類型は、データを伝送するためのデータサブキャリア、参照信号（ｒｅｆｅｒｅｎｃｅ  ｓｉｇｎａｌ）を伝送するための参照信号サブキャリア、ガードバンド（ｇｕａｒｄ  ｂａｎｄ）に分けられる。キャリア周波数は中心周波数（ｃｅｎｔｅｒ  ｆｒｅｑｕｅｎｃｙ、ｆｃ）ともいう。
【００４３】
一つのＲＢは、周波数ドメインでＮＲＢＳＣ個（例えば、１２個）の連続するサブキャリアと定義される。ちなみに、一つのＯＦＤＭシンボルと一つのサブキャリアからなる資源を資源要素（ｒｅｓｏｕｒｃｅ  ｅｌｅｍｅｎｔ、ＲＥ）またはトーン（ｔｏｎｅ）と称する。よって、一つのＲＢはＮｓｌｏｔｓｙｍｂ＊ＮＲＢＳＣ個の資源要素からなる。資源格子内の各資源要素は、一つのスロット内のインデックス対（ｋ、ｌ）によって固有に定義される。ｋは周波数ドメインで０からＮｓｉｚｅ、μｇｒｉｄ、ｘ＊ＮＲＢＳＣ−１まで与えられるインデックスであり、１は時間ドメインで０からＮｓｌｏｔｓｙｍｂ−１まで与えられるインデックスである。
【００４４】
端末が基地局から信号を受信するか基地局に信号を伝送するためには、端末の時間／周波数同期を基地局の時間／周波数同期と合わせるべきである。基地局と端末が同期化しなければ、端末がＤＬ信号の復調及びＵＬ信号の伝送を正確な時点に行うのに必要な時間及び周波数パラメータを決定できないためである。
【００４５】
ＴＤＤ（ｔｉｍｅ  ｄｉｖｉｓｉｏｎ  ｄｕｐｌｅｘ）またはアンペアドスペクトル（ｕｎｐａｉｒｅｄ  ｓｐｅｃｔｒｕｍ）で動作する無線フレームの各シンボルは、下りリンクシンボル（ＤＬ  ｓｙｍｂｏｌ）、上りリンクシンボル（ＵＬ  ｓｙｍｂｏｌ）、またはフレキシブルシンボル（ｆｌｅｘｉｂｌｅ  ｓｙｍｂｏｌ）のうち少なくともいずれか一つからなる。ＦＤＤ（ｆｒｅｑｕｅｎｃｙ  ｄｉｖｉｓｉｏｎ  ｄｕｐｌｅｘ）またはペアドスペクトル（ｐａｉｒｅｄ  ｓｐｅｃｔｒｕｍ）で下りリンクキャリアで動作する無線フレームは、下りリンクシンボルまたはフレキシブルシンボルからなり、上りリンクキャリアで動作する無線フレームは、上りリンクシンボルまたはフレキシブルシンボルからなる。下りリンクシンボルでは下りリンク伝送はできるが上りリンク伝送はできず、上りリンクシンボルでは上りリンク伝送はできるが下りリンク伝送はできない。フレキシブルシンボルは、信号に応じて下りリンクで使用されるか上りリンクで使用されるかが決定される。
【００４６】
各シンボルのタイプ（ｔｙｐｅ）に関する情報、つまり、下りリンクシンボル、上りリンクシンボル、及びフレキシブルシンボルのうちいずれか一つを示す情報は、セル特定（ｃｅｌｌ−ｓｐｅｃｉｆｉｃまたはｃｏｍｍｏｎ）ＲＲＣ（ｒａｄｉｏ  ｒｅｓｏｕｒｃｅ  ｃｏｎｔｒｏｌ）信号からなる。また、各シンボルのタイプに関する情報は、追加に特定端末（ＵＥ−ｓｐｅｃｉｆｉｃまたはｄｅｄｉｃａｔｅｄ）ＲＲＣ信号からなる。基地局は、セル特定ＲＲＣ信号を使用し、ｉ）セル特定スロット構成の周期、ｉｉ）セル特定スロット構成の周期の最初から下りリンクシンボルのみを有するスロットの数、ｉｉｉ）下りリンクシンボルのみを有するスロットの直後のスロットの最初のシンボルから下りリンクシンボルの数、ｉｖ）セル特定スロット構成の周期の最後から上りリンクシンボルのみを有するスロットの数、ｖ）上りリンクシンボルのみを有するスロットの直前のスロットの最後のシンボルから上りリンクシンボルの数を知らせる。ここで、上りリンクシンボルと下りリンクシンボルのいずれからも構成されていないシンボルはフレキシブルシンボルである。
【００４７】
シンボルタイプに関する情報が端末特定ＲＲＣ信号からなれば、基地局はフレキシブルシンボルが下りリンクシンボルなのかまたは上りリンクシンボルなのかを、セル特定ＲＲＣ信号でシグナリングする。この際、端末特定ＲＲＣ信号は、セル特定ＲＲＣ信号からなる下りリンクシンボルまたは上りリンクシンボルを他のシンボルタイプに変更することができない。端末特定ＲＲＣ信号は、スロットごとに該当スロットのＮｓｌｏｔｓｙｍｂシンボルのうち下りリンクシンボルの数、該当スロットのＮｓｌｏｔｓｙｍｂシンボルのうち上りリンクシンボルの個数をシグナリングする。この際、スロットの下りリンクシンボルはスロットの最初のシンボルからｉ番目のシンボルまで連続的に構成される。また、スロットの上りリンクシンボルはスロットのｊ番目のシンボルから最後のシンボルまで連続的に構成される（ここで、ｉ＜ｊ）。スロットにおいて、上りリンクシンボルと下りリンクシンボルのいずれからも構成されていないシンボルはフレキシブルシンボルである。
【００４８】
前記のようなＲＲＣ信号からなるシンボルのタイプをセミ−スタティック（ｓｅｍｉ−ｓｔａｔｉｃ）ＤＬ／ＵＬ構成と称する。上述したＲＲＣ信号からなるセミ−スタティックＤＬ／ＵＬ構成において、フレキシブルシンボルは物理下りリンク制御チャネル（ＰＤＣＣＨ）で伝送されるダイナミックＳＦＩ（ｓｌｏｔ  ｆｏｒｍａｔ  ｉｎｆｏｒｍａｔｉｏｎ）を介して下りリンクシンボル、上りリンクシンボル、またはフレキシブルシンボルに指示される。この際、ＲＲＣ信号からなる下りリンクシンボルまたは上りリンクシンボルは、他のシンボルタイプに変更されない。表１は、基地局が端末に指示するダイナミックＳＦＩを例示する。
【００４９】
【表１】
2020529780.tif 000003
【００５０】
表１において、Ｄは下りリンクシンボルを、Ｕは上りリンクシンボルを、Ｘはフレキシブルシンボルを示す。表１に示したように、一つのスロットで最大２回のＤＬ／ＵＬスイッチング（ｓｗｉｔｃｈｉｎｇ）が許容される。
【００５１】
図３は、３ＧＰＰシステム（例えば、ＮＲ）に利用される物理チャネルと、該当物理チャンネルを利用した一般的な信号伝送方法を説明する図である。端末の電源がつくか端末が新しくセルに進入すれば、端末は初期セル探索作業を行うＳ１０１。詳しくは、端末は初期セル探索で基地局と同期を合わせる。このために、端末は基地局から主同期信号（ｐｒｉｍａｒｙ  ｓｙｎｃｈｒｏｎｉｚａｔｉｏｎ  ｓｉｇｎａｌ、ＰＳＳ）及び副同期信号（Ｓｅｃｏｎｄａｒｙ  ｓｙｎｃｈｒｏｎｉｚａｔｉｏｎ  ｓｉｇｎａｌ、ＳＳＳ）を受信して基地局と同期を合わせ、セルＩＤなどの情報を獲得する。次に、端末は基地局から物理放送チャネルを受信し、セル内の放送情報を獲得する。
【００５２】
職端末を終えた端末は、物理下りリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）及び前記ＰＤＣＣＨに乗せられている情報によって物理下りリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）を受信することで、初期セル端末を介して獲得したシステム情報より詳しいシステム情報を獲得するＳ１０２。
【００５３】
端末が基地局に最初にアクセスするか、信号を伝送するための無線資源がなければ、端末は基地局に対して任意のアクセス過程を行うＳ１０３乃至Ｓ１０６。まず、端末は物理任意アクセスチャネル（ｐｈｙｓｉｃａｌ  ｒａｎｄｏｍ  ａｃｃｅｓｓ  ｃｈａｎｎｅｌ、ＰＲＡＣＨ）を介してプリアンブルを伝送しＳ１０３、基地局からＰＤＣＣＨ及び対応するＰＤＳＣＨを介してプリアンブルに対する応答メッセージを受信するＳ１０４。端末に有効なランダムアクセス応答メッセージが受信されれば、端末は基地局からＰＤＣＣＨを介して伝達された上りリンクグラントから指示した物理上りリンク共有チャネル（ｐｈｙｓｉｃａｌ  ｕｐｌｉｎｋ  ｓｈａｒｅｄ ｃｈａｎｎｅｌ、ＰＵＳＣＨ）を介して自らの識別子などを含むデータを基地局に伝送するＳ１０５。次に、端末は衝突を解決するために基地局の指示としてＰＤＣＣＨの受信を待つ。端末が自らの識別子を介してＰＤＣＣＨの受信に成功すればＳ１０６、ランダムアクセス過程は終了される。
【００５４】
上述した手順後、端末は一般的な上り／下りリンク信号伝送手順としてＰＤＣＣＨ／ＰＤＳＣＨ受信Ｓ１０７、及び物理上りリンク共有チャネル（ＰＵＳＣＨ）／物理上りリンク制御チャネル（ｐｈｙｓｉｃａｌ  ｕｐｌｉｎｋ  ｃｏｎｔｒｏｌ  ｃｈａｎｎｅｌ、ＰＵＣＣＨ）を伝送Ｓ１０８する。特に、端末は、ＰＤＣＣＨを介して下りリンク制御情報（ｄｏｗｎｌｉｎｋ  ｃｏｎｔｒｏｌ  ｉｎｆｏｒｍａｔｉｏｎ、ＤＣＩ）を受信する。ＤＣＩは、端末に対する資源割当情報のような制御情報を含む。また、ＤＣＩは使用目的に応じてフォーマットが異なり得る。端末が上りリンクを介して基地局に伝送する上りリンク制御情報（ｕｐｌｉｎｋ  ｃｏｎｔｒｏｌ  ｉｎｆｏｒｍａｔｉｏｎ、ＵＣＩ）は、下りリンク／上りリンクＡＣＫ／ＮＡＣＫ信号、ＣＱＩ（ｃｈａｎｎｅｌ  ｑｕａｌｉｔｙ  ｉｎｄｉｃａｔｏｒ）、ＰＭＩ（ｐｒｅｃｏｄｉｎｇ  ｍａｔｒｉｘ  ｉｎｄｅｘ）、ＲＩ（ｒｎａｋ  ｉｎｄｉｃａｔｏｒ）などを含む。ここで、ＣＱＩ、ＰＭＩ、及びＲＩは、ＣＳＩ（ｃｈａｎｎｅｌ  ｓｔａｔｅ  ｉｎｆｏｒｍａｔｉｏｎ）に含まれる。３ＧＰＰ  ＮＲシステムの場合、端末はＰＵＳＣＨ及び／またはＰＵＣＣＨを介して上述したＨＡＲＱ−ＡＣＫとＣＳＩなどの制御情報を伝送する。
【００５５】
図４は、３ＧＰＰ  ＮＲシステムにおける初期セルアクセスのためのＳＳ／ＰＢＣＨブロックを示す図である。端末は、電源が入るか新しくセルにアクセスしようとする際、セルとの時間及び周波数同期を獲得し、初期セル探索過程を行う。端末は、セル探索過程でセルの物理セル識別子（ｐｈｙｓｉｃａｌ  ｃｅｌｌ  ｉｄｅｎｔｉｔｙ）ＮｃｅｌｌＩＤを検出する。このために、端末は基地局から同期信号、例えば、主同期信号（ＰＳＳ）及び副同期信号（ＳＳＳ）を受信して基地局と同期を合わせる。この際、端末はセル識別子（ｉｄｅｎｔｉｔｙ、ＩＤ）などの情報を獲得する。
【００５６】
図４（ａ）を参照して、同期信号（ｓｙｎｃｈｒｏｎｉｚａｔｉｏｎ  ｓｉｇｎａｌ、ＳＳ）をより詳しく説明する。同期信号はＰＳＳとＳＳＳに分けられる。ＰＳＳは、ＯＦＤＭシンボル同期、スロット同期のような時間ドメイン同期及び／または周波数ドメイン同期を得るために使用される。ＳＳＳは、フレーム同期、セルグループＩＤを得るために使用される。図４（ａ）と表２を参照すると、ＳＳ／ＰＢＣＨブロックは周波数軸に連続した２０ＲＢｓ（＝２４０サブキャリア）からなり、時間軸に連続した４ＯＦＤＭシンボルからなる。この際、ＳＳ／ＰＢＣＨブロックにおいて、ＰＳＳは最初のＯＦＤＭシンボル、ＳＳＳは３番目のＯＦＤＭシンボルで５６〜１８２番目のサブキャリアを介して伝送される。ここで、ＳＳ／ＰＢＣＨブロックの最も低いサブキャリアインデックスを０から付ける。ＰＳＳが伝送される最初のＯＦＤＭシンボルにおいて、残りのサブキャリア、つまり、０〜５５、１８３〜２３９番目のサブキャリアを介しては基地局が信号を伝送しない。また、ＳＳＳが伝送される３番目のＯＦＤＭシンボルにおいて、４８〜５５、１８３〜１９１番目のサブキャリアを介しては基地局が信号を伝送しない。基地局は、ＳＳ／ＰＢＣＨブロックにおいて、前記信号を除いた残りのＲＥを介してＰＢＣＨ（ｐｈｙｓｉｃａｌ  ｂｒｏａｄｃａｓｔ  ｃｈａｎｎｅｌ）を伝送する。
【００５７】
【表２】
2020529780.tif 000004
【００５８】
ＳＳは３つのＰＳＳとＳＳＳの組み合わせを介して計１００８個の固有の物理階層セル識別子（ｐｈｙｓｉｃａｌ  ｌａｙｅｒ  ｃｅｌｌ  ＩＤ）を、詳しくは、それぞれの物理階層セルＩＤはたった一つの物理−階層セル−識別子グループの部分になるように、各グループが３つの固有の識別子を含む３３６個の物理−階層セル−識別子グループにグルーピングされる。よって、物理階層セルＩＤＮｃｅｌｌＩＤ＝３Ｎ（１）ＩＤ＋Ｎ（２）ＩＤは、物理−階層セル−識別子グループを示す９から３３５までの範囲内のインデックスＮ（１）ＩＤと、前記物理−階層セル−識別子グループ内の物理−階層識別子を示す０から２までのインデックスＮ（２）ＩＤによって固有に定義される。端末はＰＳＳを検出し、３つの固有の物理−階層識別子のうち一つを識別する。また、端末はＳＳＳを検出し、前記物理−階層識別子に連関する３３６個の物理階層セルＩＤのうち一つを識別する。この際、ＰＳＳのシーケンスｄＰＳＳ（ｎ）は以下のようである。
【００５９】
【数１】
2020529780.tif 000005
【００６０】
ここで、
【数２】
2020529780.tif 000006
であり、
【数３】
2020529780.tif 000007
に与えられる。
【００６１】
また、ＳＳＳのシーケンスｄＳＳＳ（ｎ）は以下のようである。
【数４】
2020529780.tif 000008
【００６２】
ここで、
【数５】
2020529780.tif 000009
であり、
【数６】
2020529780.tif 000010
に与えられる。
【００６３】
１０ｍｓ長さの無線フレームは、５ｍｓ長さの２つの半フレームに分けられる。図４（ｂ）を参照して、各半フレーム内でＳＳ／ＰＢＣＨブロックが伝送されるスロットについて説明する。ＳＳ／ＰＢＣＨブロックが伝送されるスロットは、ケースＡ、Ｂ、Ｃ、Ｄ、Ｅのうちいずれか一つである。ケースＡにおいて、サブキャリア間隔は１５ｋＨｚであり、ＳＳ／ＰＢＣＨブロックの開始時点は｛２、８｝＋１４＊ｎ番目のシンボルである。この際、３ＧＨｚ以下のキャリア周波数において、ｎ＝０、１である。また、３ＧＨｚ超過６ＧＨｚ以下のキャリア周波数において、ｎ＝０、１、２、３である。ケースＢにおいて、サブキャリア間隔は３０ｋＨｚであり、ＳＳ／ＰＢＣＨブロックの開始時点は｛４、８、１６、２０｝＋２８＊ｎ番目のシンボルである。この際、３ＧＨｚ以下のキャリア周波数において、ｎ＝０である。また、３ＧＨｚ超過６ＧＨｚ以下のキャリア周波数において、ｎ＝０、１である。ケースＣにおいて、サブキャリア間隔は３０ｋＨｚであり、ＳＳ／ＰＢＣＨブロックの開始時点は｛２、８｝＋１４＊ｎ番目のシンボルである。この際、３ＧＨｚ以下のキャリア周波数において、ｎ＝０、１である。また、３ＧＨｚ超過６ＧＨｚ以下のキャリア周波数において、ｎ＝０、１、２、３である。ケースＤにおいて、サブキャリア間隔は１２０ｋＨｚであり、ＳＳ／ＰＢＣＨブロックの開始時点は｛４、８、１６、２０｝＋２８＊ｎ番目のシンボルである。この際、６ＧＨｚ以上のキャリア周波数において、ｎ＝０、１、２、３、５、６、７、８、１０、１１、１２、１３、１５、１６、１７、１８である。ケースＥにおいて、サブキャリア間隔は２４０ｋＨｚであり、ＳＳ／ＰＢＣＨブロックの開始時点は｛８、１２、１６、２０、３２、３６、４０、４４｝＋５６＊ｎ番目のシンボルである。この際、６ＧＨｚ以上のキャリア周波数において、ｎ＝０、１、２、３、５、６、７、８である。
【００６４】
図５は、３ＧＰＰ  ＮＲシステムにおける制御情報及び制御チャネル伝送のための手順を示す図である。図５（ａ）を参照すると、基地局は制御情報（例えば、ＤＣＩ）にＲＮＴＩ（ｒａｄｉｏ  ｎｅｔｗｏｒｋ  ｔｅｍｐｏｒａｒｙ  ｉｅｄｎｔｉｆｉｅｒ）でマスク（例えば、ＸＯＲ演算）されたＣＲＣ（ｃｙｃｌｉｃ  ｒｅｄｕｎｄａｎｃｙ  ｃｈｅｃｋ）を付加するＳ２０２。基地局は、各制御情報の目的／対象に応じて決定されるＲＮＴＩ値でＣＲＣをスクランブルする。一つ以上の端末が使用する共通ＲＮＴＩは、ＳＩ−ＲＮＴＩ（ｓｙｓｔｅｍ  ｉｎｆｏｒｍａｔｉｏｎ  ＲＮＴＩ）、Ｐ−ＲＮＴＩ（ｐａｇｉｎｇ  ＲＮＴＩ）、ＲＡ−ＲＮＴＩ（ｒａｎｄｏｍ  ａｃｃｅｓｓ  ＲＮＴＩ）、及びＴＰＣ−ＲＮＴＩ（ｔｒａｍｓｍｉｔ  ｐｏｗｅｒ  ｃｏｎｔｒｏｌ  ＲＮＴＩ）のうち少なくともいずれか一つを含む。また、端末−特定ＲＮＴＩは、Ｃ−ＲＮＴＩ（ｃｅｌｌ  ｔｅｍｐｏｒａｒｙ  ＲＮＴＩ）及びＣＳ−ＲＮＴＩのうち少なくともいずれか一つを含む。次に、基地局はチャネルエンコーディング（例えば、ｐｏｌａｒ  ｃｏｄｉｎｇ）を行ったＳ２０４後、ＰＤＣＣＨ伝送のために使用された資源（ら）の量に合わせてレート−マッチング（ｒａｔｅ−ｍａｔｃｈｉｎｇ）をするＳ２０６。次に、基地局はＣＣＥ（ｃｏｎｔｒｏｌ  ｃｈａｎｎｅｌ  ｅｌｅｍｅｎｔ）基盤のＰＤＣＣＨ構造に基づいて、ＤＣＩ（ら）を多重化するＳ２０８。また、基地局は、多重化されたＤＣＩ（ら）に対してスクランブリング、モジュレーション（例えば、ＱＰＳＫ）、インターリービングなどの追加過程Ｓ２１０を適用した後、伝送しようとする資源にマッピングする。ＣＣＥはＰＤＣＣＨのための基本単位であり、一つのＣＣＥは複数（例えば、６つ）のＲＥＧ（ｒｅｓｏｕｒｃｅ  ｅｌｅｍｅｎｔ  ｇｒｏｕｐ）からなる。一つのＲＥＧは複数（例えば、１２個）のＲＥからなる。一つのＰＤＣＣＨのために使用されたＣＣＥの個数を集成レベル（ａｇｇｒｅｇａｔｉｏｎ  ｌｅｖｅｌ）と定義する。３ＧＰＰ  ＮＲシステムでは、１、２、４、８、または１６の集成レベルを使用する。図５（ｂ）はＣＣＥ集成レベルとＰＤＣＣＨの多重化に関する図であり、一つのＰＤＣＣＨのために使用されたＣＣＥ集成レベルの種類とそれによる制御領域で伝送されるＣＣＥ（ら）を示す。
【００６５】
図６は、３ＧＰＰ  ＮＲシステムにおけるＰＤＣＣＨ（ｐｈｙｓｉｃａｌ  ｄｏｗｎｌｉｎｋ  ｃｏｎｔｒｏｌ  ｃｈａｎｎｅｌ）が伝送されるＣＯＲＥＳＥＴ（ｃｏｎｔｒｏｌ  ｒｅｓｏｕｒｃｅ  ｓｅｔ）を示す図である。ＣＯＲＥＳＥＴは、端末のための制御信号であるＰＤＣＣＨが伝送される時間−周波数資源である。また、後述する探索空間は一つのＣＯＲＥＳＥＴにマッピングされる。よって、端末はＰＤＣＣＨを受信するために全ての周波数帯域をモニタリングするのではなく、ＣＯＲＥＳＥＴと指定された時間−周波数領域をモニタリングして、ＣＯＲＥＳＥＴにマッピングされたＰＤＣＣＨをデコーディングする。基地局は、端末にセル別に一つまたは複数個のＣＯＲＥＳＥＴを構成する。ＣＯＲＥＳＥＴは、時間軸に最大３つまでの連続したシンボルからなる。また、ＣＯＲＥＳＥＴは周波数軸に連続した６つのＰＲＢの単位からなる。図５の実施例において、ＣＯＲＥＳＥＴ＃１は連続的なＰＲＢからなり、ＣＯＲＥＳＥＴ＃２とＣＯＲＥＳＥＴ＃３は不連続的なＰＲＢからなる。ＣＯＲＥＳＥＴは、スロット内のいかなるシンボルにも位置し得る。例えば、図５の実施例において、ＣＯＲＥＳＥＴ＃１はスロットの１番目のシンボルから始まり、ＣＯＲＥＳＥＴ＃２はスロットの５番目のシンボルから始まり、ＣＯＲＥＳＥＴ＃９はスロットの９番目のシンボルから始まる。
【００６６】
図７は、３ＧＰＰ  ＮＲシステムにおけるＰＤＣＣＨ探索空間を設定する方法を示す図である。端末にＰＤＣＣＨを伝送するために、各ＣＯＲＥＳＥＴには少なくとも一つ以上の探索空間が存在する。本発明の実施例において、探索空間は端末のＰＤＣＣＨが伝送される全ての時間−周波数資源（以下、ＰＤＣＣＨ候補）の集合である。探索空間は、３ＧＰＰ  ＮＲの端末が共通に探索すべき共通探索空間（ｃｏｍｍｏｎ  ｓｅａｒｃｈ  ｓｐａｃｅ）と、特定端末が探索すべき端末−特性探索空間（ｔｅｒｍｉｎａｌ−ｓｐｅｃｉｆｉｃ  ｏｒ  ＵＥ−ｓｐｅｃｉｆｉｃ  ｓｅａｒｃｈ  ｓｐａｃｅ）を含む。共通探索空間では、同一基地局に属するセルにおける全ての端末が共通に探すように設定されているＰＤＣＣＨをモニタリングする。また、端末−特定探索空間は、端末に応じて互いに異なる探索空間の位置で、各端末に割り当てられたＰＤＣＣＨをモニタリングするように端末別に設定される。端末−特定探索空間の場合、ＰＤＣＣＨが割り当てられる制限された制御領域のため、端末間の探索空間が部分的に重なって割り当てられている可能性がある。ＰＤＣＣＨをモニタリングすることは、探索空間内のＰＤＣＣＨ候補をブラインドデコーディングすることを含む。ブラインドデコーディングに成功した場合をＰＤＣＣＨが（成功的に）検出／受信されたと表現し、ブラインドデコーディングに失敗した場合をＰＤＣＣＨが未検出／未受信されたと表現か、成功的に検出／受信されていないと表現する。
【００６７】
説明の便宜上、一つ以上の端末に下りリンク制御情報を伝送するために、端末が既に知っているグループ共通（ｇｒｏｕｐ  ｃｏｍｍｏｎ、ＧＣ）ＲＮＴＩでスクランブルされたＰＤＣＣＨをグループ共通（ＧＣ）ＰＤＣＣＨ、または共通ＰＤＣＣＨと称する。また、一つの特定端末に上りリンクスケジューリング情報または下りリンクスケジューリング情報を伝送するために、特定端末が既に知っている端末−特定ＲＮＴＩでスクランブルされたＰＤＣＣＨを端末−特定ＰＤＣＣＨと称する。前記共通ＰＤＣＣＨは共通探索空間に含まれ、端末−特定ＰＤＣＣＨは共通探索空間または端末−特定ＰＤＣＣＨに含まれる。
【００６８】
基地局は、ＰＤＣＣＨを介して伝送チャネルであるＰＣＨ（ｐａｇｉｎｇ  ｃｈａｎｎｅｌ）及びＤＬ−ＳＣＨ（ｄｏｗｎｌｉｎｋ−ｓｈａｒｅｄ  ｃｈａｎｎｅｌ）の資源割当に関する情報（つまり、ＤＬ  Ｇｒａｎｔ）、またはＵＬ−ＳＣＨの資源割当とＨＡＲＱ（ｈｙｂｒｉｄ  ａｕｔｏｍａｔｉｃ  ｒｅｐｅａｔ  ｒｅｑｕｅｓｔ）に関する情報（つまり、ＵＬ  Ｇｒａｎｔ）を端末または端末グループに知らせる。基地局は、ＰＣＨ伝送ブロック、及びＤＬ−ＳＣＨ伝送ブロックをＰＤＳＣＨを介して伝送する。基地局は、特定制御情報または特定サービスデータを除いたデータをＰＤＳＣＨを介して伝送する。また、端末は、特定制御情報または特定サービスデータを除いたデータをＰＤＳＣＨを介して受信する。
【００６９】
基地局は、ＰＤＳＣＨのデータがいかなる端末（一つまたは複数の端末）に伝送されるのか、該当端末がいかにＰＤＳＣＨデータを受信しデコーディングすべきなのかに関する情報をＰＤＣＣＨに含ませて伝送する。例えば、特定ＰＤＣＣＨに伝送されるＤＣＩが「Ａ」というＲＮＴＩにＣＲＣマスキングされており、そのＤＣＩが「Ｂ」という無線資源（例えば、周波数位置）にＰＤＳＣＨが割り当てられていることを指示し、「Ｃ」という伝送形式情報（例えば、伝送ブロックのサイズ、変調方式、コーディング情報など）を指示すると仮定する。端末は、自らが有するＲＮＴＩ情報を利用してＰＤＣＣＨをモニタリングする。この場合、「Ａ」ＲＮＴＩでＰＤＣＣＨをブラインドデコーディングする端末があれば、該当端末はＰＤＣＣＨを受信し、受信したＰＤＣＣＨの情報を介して「Ｂ」と「Ｃ」によって指示されるＰＤＳＣＨを受信する。
【００７０】
表３は、無線通信システムで使用されるＰＵＣＣＨ（ｐｈｙｓｉｃａｌ  ｕｐｌｉｎｋ  ｃｏｎｔｒｏｌ  ｃｈａｎｎｅｌ）の一実施例を示す。
【００７１】
【表３】
2020529780.tif 000011
【００７２】
ＰＵＣＣＨは、以下の上りリンク制御情報（ＵＣＩ）を伝送するのに使用される。
【００７３】
−ＳＲ（ｓｃｈｅｄｕｌｉｎｇ  ｒｅｑｕｅｓｔ）：上りリンクＵＬ−ＳＣＨ資源を要請するのに使用される情報である。
【００７４】
−ＨＡＲＱ−ＡＣＫ：（ＤＬ  ＳＰＳ  ｒｅｌｅａｓｅを指示する）ＰＤＣＣＨに対する応答及び／またはＰＤＳＣＨ上の上りリンク伝送ブロック（ｔｒａｎｓｐｏｒｔ  ｂｌｏｃｋ、ＴＢ）に対する応答である。ＨＡＲＱ−ＡＣＫは、ＰＤＣＣＨまたはＰＤＳＣＨを介して伝送された情報の受信可否を示す。ＨＡＲＱ−ＡＣＫ応答は、ポジティブＡＣＫ（簡単に、ＡＣＫ）、ネガティブＡＣＫ（以下、ＮＡＣＫ）、ＤＴＸ（ｄｉｓｃｏｎｔｉｎｕｏｕｓ  ｔｒａｎｓｍｉｓｓｉｏｎ）、またはＮＡＣＫ／ＤＴＸを含む。ここで、ＨＡＲＱ−ＡＣＫという用語は、ＨＡＲＱ−ＡＣＫ／ＮＡＣＫ、ＡＣＫ／ＮＡＣＫと混用される。一般に、ＡＣＫはビット値１で表され、ＮＡＣＫはビット値０で表される。
【００７５】
−ＣＳＩ：下りリンクチャネルに対するフィードバック情報である。基地局が伝送するＣＳＩ−ＲＳ（ｒｅｆｅｒｅｎｃｅ  ｓｉｇｎａｌ）に基づいて端末が生成する。ＭＩＭＯ（ｍｕｌｔｉｐｌｅ  ｉｎｐｕｔ  ｍｕｌｔｉｐｌｅ  ｏｕｔｐｕｔ）−関連フィードバック情報は、ＲＩ及びＰＭＩを含む。ＣＳＩは、ＣＳＩが示す情報に応じてＣＳＩパート１とＣＳＩパート２に分けられる。
【００７６】
３ＧＰＰ  ＮＲシステムでは、多様なサービスシナリオと多様なチャネル環境、及びフレーム構造を支援するために、５つのＰＵＣＣＨフォーマットが使用される。
【００７７】
ＰＵＣＣＨフォーマット０は、１ビットまたは２ビットＨＡＲＱ−ＡＣＫ情報またはＳＲを伝達するフォーマットである。ＰＵＣＣＨフォーマット０は、時間軸に１つまたは２つのＯＦＤＭシンボルと、周波数軸に１つのＲＢを介して伝送される。ＰＵＣＣＨフォーマット０が２つのＯＦＤＭシンボルで伝送されれば、２つのシンボルに同じシーケンスが互いに異なるＲＢで伝送される。これを介し、端末は周波数ダイバーシティゲイン（ｄｉｖｅｒｓｉｔｙ  ｇａｉｎ）を得る。より詳しくは、端末はＭｂｉｔビットＵＣＩ（Ｍｂｉｔ＝１ｏｒ２）に応じてサイクリックシフト（ｃｙｃｌｉｃ  ｓｈｉｆｔ）の値ｍｃｓを決定し、長さ１２のベースシーケンス（ｂａｓｅ  ｓｅｑｕｅｎｃｅ）を決められた値ｍｃｓでサイクリックシフトしたシーケンスを、１つのＯＦＤＭシンボル及び１つのＰＲＢの１２個のＲＥｓにマッピングして伝送する。端末が使用可能なサイクリックシフトの個数が１２個で、Ｍｂｉｔ＝１であれば、１ｂｉｔ  ＵＣＩ０と１は、サイクリックシフト値の差が６である２つのサイクリックシフトに当たるシーケンスで示される。また、Ｍｂｉｔ＝２であれば、２ｂｉｔ  ＵＣＩ００、０１、１１、１０は、サイクリックシフト値の差が３である４つのサイクリックシフトに当たるシーケンスで示される。
【００７８】
ＰＵＣＣＨフォーマット１は、１ビットまたは２ビットＨＡＲＱ−ＡＣＫ情報またはＳＲを伝達する。ＰＵＣＣＨフォーマット１は、時間軸に連続的なＯＦＤＭシンボルと、周波数軸に１つのＰＲＢを介して伝送される。ここで、ＰＵＣＣＨフォーマット１が占めるＯＦＤＭシンボルの数は４〜１４のうち一つである。より詳しくは、Ｍｂｉｔ＝１であるＵＣＩはＢＰＳＫでモジュレーションされる。端末は、Ｍｂｉｔ＝２であるＵＣＩをＱＰＳＫ（ｑｕａｄｒａｔｕｒｅ  ｐｈａｓｅ  ｓｈｉｆｔ  ｋｅｙｉｎｇ）でモジュレーションされる。モジュレーションされた複素数シンボル（ｃｏｍｐｌｅｘ  ｖａｌｕｅｄ  ｓｙｍｂｏｌ）ｄ（０）に長さ１２のシーケンスをかけて信号を得る。端末は、得られた信号をＰＵＣＣＨフォーマット１が割り当てられた偶数番目のＯＦＤＭシンボルに、時間軸ＯＣＣ（ｏｒｔｈｏｇｏｎａｌ  ｃｏｖｅｒ  ｃｏｄｅ）でスプレディング（ｓｐｒｅａｄｉｎｇ）して伝送する。ＰＵＣＣＨフォーマット１は、使用するＯＣＣの長さに応じて同じＲＢで多重化される互いに異なる端末の最大個数が決めあれる。ＰＵＣＣＨフォーマット１の奇数番目ＯＦＤＭシンボルには、ＤＭＲＳ（ｄｅｍｏｄｕｌａｔｉｏｎ  ｒｅｆｅｒｅｎｃｅ  ｓｉｇｎａｌ）がＯＣＣでスプレディングされてマッピングされる。
【００７９】
ＰＵＣＣＨフォーマット２は、２ビットを超過するＵＣＩを伝達する。ＰＵＣＣＨフォーマット２は、時間軸に１つまたは２つのＯＦＤＭシンボルと、周波数軸に１つまたは複数個のＲＢを介して伝送される。ＰＵＣＣＨフォーマット２が２つのＯＦＤＭシンボルで伝送されれば、２つのＯＦＤＭシンボルを介して同じシーケンスが互いに異なるＲＢで伝送される。これを介し、端末は周波数ダイバーシティゲインを得る。より詳しくは、ＭｂｉｔビットＵＣＩ（Ｍｂｉｔ＞２）はビット−レベルスクランブリングされ、ＱＰＳＫモジュレーションされて１つまたは２つのＯＦＤＭシンボル（ら）のＲＢ（ら）にマッピングされる。ここで、ＲＢの数は１〜１６のうち一つである。
【００８０】
ＰＵＣＣＨフォーマット３またはＰＵＣＣＨフォーマット４は、２ビットを超過するＵＣＩを伝達する。ＰＵＣＣＨフォーマット３またはＰＵＣＣＨフォーマット４は、時間軸に連続的なＯＦＤＭシンボルと、周波数軸に１つのＰＲＢを介して伝送される。ＰＵＣＣＨフォーマット３またはＰＵＣＣＨフォーマット４が占めるＯＦＤＭシンボルの数は４〜１４のうち一つである。詳しくは、端末は、ＭｂｉｔビットＵＣＩ（Ｍｂｉｔ＞２）をπ／２−ＢＰＳＫ（Ｂｉｎａｒｙ  Ｐｈａｓｅ  Ｓｈｉｆｔ  Ｋｅｙｉｎｇ）またはＱＰＳＫでモジュレーションし、複素数シンボルｄ（０）〜ｄ（Ｍｓｙｍｂ−１）を生成する。ここで、π／２−ＢＰＳＫを使用するとＭｓｙｍｂ＝Ｍｂｉｔであり、ＱＰＳＫを使用するとＭｓｙｍｂ＝Ｍｂｉｔ／２である。端末は、ＰＵＣＣＨフォーマット３にブロック−単位スプレディングを適用しない。但し、端末は、ＰＵＣＣＨフォーマット４が２つまたは４つの多重化容量（ｍｕｌｔｉｐｌｅｘｉｎｇ  ｃａｐａｃｉｔｙ）を有するように、長さ−１２のＰｒｅＤＦＴ−ＯＣＣを使用して１つのＲＢ（つまり、１２ｓｕｂｃａｒｒｉｅｒｓ）にブロック−単位スプレディングを適用してもよい。端末は、スプレディングされた信号を伝送プリコーディング（ｔｒａｎｓｍｉｔ  ｐｒｅｃｏｄｉｎｇ）（またはＤＦＴ−ｐｒｅｃｏｄｉｎｇ）し、各ＲＥにマッピングして、スプレディングされた信号を伝送する。
【００８１】
この際、ＰＵＣＣＨフォーマット２、ＰＵＣＣＨフォーマット３、またはＰＵＣＣＨフォーマット４が示すＲＢの数は、端末が伝送するＵＣＩの長さと最大コードレート（ｃｏｄｅ  ｒａｔｅ）に応じて決定される。端末がＰＵＣＣＨフォーマット２を使用すれば、端末はＰＵＣＣＨを介してＨＡＲＱ−ＡＣＫ情報及びＣＳＩ情報を共に伝送する。もし、端末が伝送し得るＲＢの個数がＰＵＣＣＨフォーマット２、ＰＵＣＣＨフォーマット３、またはＰＵＣＣＨフォーマット４が使用し得る最大ＲＢの数より大きければ、端末はＵＣＩ情報の優先順位に応じて一部のＵＣＩ情報は伝送せず、残りのＵＣＩ情報のみ伝送する。
【００８２】
ＰＵＣＣＨフォーマット１、ＰＵＣＣＨフォーマット３、またはＰＵＣＣＨフォーマット４がスロット内で周波数ホッピング（ｆｒｅｑｕｅｎｃｙ  ｈｏｐｐｉｎｇ）を指示するように、ＲＲＣ信号を介して構成される。周波数ホッピングが構成される際、周波数ホッピングするＲＢのインデックスはＲＲＣ信号からなる。ＰＵＣＣＨフォーマット１、ＰＵＣＣＨフォーマット３、またはＰＵＣＣＨフォーマット４が時間軸でＮ個のＯＦＤＭシンボルにわたって伝送されれば、最初のホップ（ｈｏｐ）はｆｌｏｏｒ（Ｎ／２）個のＯＦＤＭシンボルを有し、２番目のホップはｃｅｉｌ（Ｎ／２）個のＯＦＤＭシンボルを有する。
【００８３】
ＰＵＣＣＨフォーマット１、ＰＵＣＣＨフォーマット３、またはＰＵＣＣＨフォーマット４は、複数のスロットに繰り返し伝送さ得るように構成される。この際、ＰＵＣＣＨが繰り返し伝送されるスロットの個数ＫはＲＲＣ信号によって構成される。繰り返し伝送されるＰＵＣＣＨは、各スロット内で同じ位置のＯＦＤＭシンボルから始まり、同じ長さを有するべきである。端末がＰＵＣＣＨを伝送すべきスロットのＯＦＤＭシンボルのうちいずれか一つのＯＦＤＭシンボルでもＲＲＣ信号によってＤＬシンボルと指示されれば、端末はＰＵＣＣＨを該当スロットから伝送せず、次のスロットに延期して伝送する。
【００８４】
一方、３ＧＰＰ  ＮＲシステムにおいて、端末はキャリア（またはセル）の帯域幅より小さいか同じ帯域幅を利用して送受信を行う。そのために、端末はキャリア帯域幅のうち一部の連続的な帯域幅からなるＢＷＰ（ｂａｎｄｗｉｄｔｈ  ｐａｒｔ）を構成される。ＴＤＤに応じて動作するかまたはアンペアドスペクトルで動作する端末は、一つのキャリア（またはセル）に最大４つのＤＬ／ＵＬ  ＢＷＰペア（ｐａｉｒｓ）を構成される。また、端末は一つのＤＬ／ＵＬ  ＢＷＰペアを活性化する。ＦＤＤに応じて動作するかまたはペアドスペクトルで動作する端末は、下りリンクキャリア（またはセル）に最大４つのＤＬ  ＢＷＰを構成され、上りリンクキャリア（またはセル）に最大４つのＵＬ  ＢＷＰを構成される。端末は、キャリア（またはセル）ごとに一つのＤＬ  ＢＷＰとＵＬ  ＢＷＰを活性化する。端末は、活性化されたＢＷＰ以外の時間−周波数資源から受信するか送信しなくてもよい。活性化されたＢＷＰをアクティブＢＷＰと称する。
【００８５】
基地局は、端末が構成されたＢＷＰのうち化されたＢＷＰをＤＣＩと称する。ＤＣＩから指示したＢＷＰは活性化され、他の構成されたＢＷＰ（ら）は非活性化される。ＴＤＤで動作するキャリア（またはセル）において、基地局は端末のＤＬ／ＵＬ  ＢＷＰペアを変えるために、ＰＤＳＣＨまたはＰＵＳＣＨをスケジューリングするＤＣＩに活性化されるＢＷＰを指示するＢＰＩ（ｂａｎｄｗｉｄｔｈ  ｐａｒｔ  ｉｎｄｉｃａｔｏｒ）を含ませる。端末は、ＰＤＳＣＨまたはＰＵＳＣＨをスケジューリングするＤＣＩを受信し、ＢＰＩに基づいて活性化されるＤＬ／ＵＬ  ＢＷＰペアを識別する。ＦＤＤで動作する下りリンクキャリア（またはセル）の場合、基地局は端末のＤＬ  ＢＷＰを変えるために、ＰＤＳＣＨをスケジューリングするＤＣＩに活性化されるＢＷＰを知らせるＢＰＩを含ませる。ＦＤＤで動作する上りリンクキャリア（またはセル）の場合、基地局は端末のＵＬ  ＢＷＰを変えるために、ＰＵＳＣＨをスケジューリングするＤＣＩに活性化されるＢＷＰを知らせるＢＰＩを含ませる。
【００８６】
図８は、キャリア集成を説明する概念図である。キャリア集成とは、無線通信システムがより広い周波数帯域を使用するために、端末が上りリンク資源（またはコンポーネントキャリア）及び／または下りリンク資源（またはコンポーネントキャリア）からなる周波数ブロック、または（論理的意味の）セルを複数個使用して一つの大きい論理周波数帯域で使用する方法を意味する。以下では、説明の便宜上、コンポーネントキャリアという用語に統一する。
【００８７】
図８を参照すると、３ＧＰＰ  ＮＲシステムの一例示として、全体システム帯域は最大１６個のコンポーネントキャリアを含み、それぞれのコンポーネントキャリアは最大４００ＭＨｚの帯域幅を有する。コンポーネントキャリアは、一つ以上の物理的に連続するサブキャリアを含む。図８ではそれぞれのコンポーネントキャリアがいずれも同じ帯域幅を有するように示したが、これは例示に過ぎず、それぞれのコンポーネントキャリアは互いに異なる帯域幅を有してもよい。また、それぞれのコンポーネントキャリアは周波数軸で互いに隣接しているように示したが、前記図面は論理的な概念で示したものであって、それぞれのコンポーネントキャリアは物理的に互いに隣接してもよく、離れていてもよい。
【００８８】
それぞれのコンポーネントキャリアにおいて、互いに異なる中心周波数が使用される。また、物理的に隣接したコンポーネントキャリアにおいて、共通した一つの中心周波数が使用される。図８の実施例において、全てのコンポーネントキャリアが物理的に隣接していると仮定すれば、全てのコンポーネントキャリアで中心周波数Ａが使用される。また、それぞれのコンポーネントキャリアが物理的に隣接していないと仮定すれば、コンポーネントキャリアそれぞれにおいて中心周波数Ａ、中心周波数Ｂが使用される。
【００８９】
キャリア集成で全体のシステム帯域が拡張されれば、各端末との通信に使用される周波数帯域はコンポーネントキャリア単位に定義される。端末Ａは全体のシステム帯域である１００ＭＨｚを使用し、５つのコンポーネントキャリアをいずれも使用して通信を行う。端末Ｂ１〜Ｂ５は２０ＭＨｚの帯域幅のみを使用し、一つのコンポーネントキャリアを使用して通信を行う。端末Ｃ１及びＣ２は４０ＭＨｚの帯域幅のみを使用し、それぞれ２つのコンポーネントキャリアを使用して通信を行う。２つのコンポーネントキャリアは、論理／物理的に隣接するか隣接しない。図８の実施例では、端末Ｃ１が隣接していない２つのコンポーネントキャリアを使用し、端末Ｃ２が隣接した２つのコンポーネントキャリアを使用する場合を示す。
【００９０】
図９は、単一キャリア通信と多重キャリア通信を説明するための図である。特に、図９（ａ）は単一キャリアのサブフレーム構造を示し、図９（ｂ）は多重キャリアのサブフレーム構造を示す。
【００９１】
図９（ａ）を参照すると、一般的な無線通信システムはＦＤＤモードの場合一つのＤＬ帯域とそれに対応する一つのＵＬ帯域を介してデータ伝送または受信を行う。他の具体的な実施例において、無線通信システムはＴＤＤモードの場合、無線フレームを時間ドメインで上りリンク時間ユニットと下りリンク時間ユニットに区分し、上り／下りリンク時間ユニットを介してデータ伝送または受信を行う。図９（ｂ）を参照すると、ＵＬ及びＤＬにそれぞれ３つの２０ＭＨｚコンポーネントキャリア（ｃｏｍｐｏｎｅｎｔ  ｃａｒｒｉｅｒ、ＣＣ）が集まって、６０ＭＨｚの帯域幅が支援される。それぞれのＣＣは、周波数ドメインで互いに隣接するか非隣接する。図９（ｂ）は、便宜上ＵＬ  ＣＣの帯域幅とＤＬ  ＣＣの帯域幅がいずれも同じで対称な場合を示したが、各ＣＣの帯域幅は独立的に決められてもよい。また、ＵＬ  ＣＣの個数とＤＬ  ＣＣの個数が異なる非対称のキャリア集成も可能である。ＲＲＣを介して特定端末に割当／構成されたＤＬ／ＵＬ  ＣＣを特定端末のサービング（ｓｅｒｖｉｎｇ）ＤＬ／ＵＬ  ＣＣと称する。
【００９２】
基地局は、端末のサービングＣＣのうち一部または全部と活性化（ａｃｔｉｖａｔｅ）するか一部のＣＣを非活性化（ｄｅａｃｔｉｖａｔｅ）して、端末と通信を行う。基地局は、活性化／非活性化されるＣＣを変更してもよく、活性化／非活性化されるＣＣの個数を変更してもよい。基地局が端末に利用可能なＣＣをセル−特定または端末−特定と割り当てると、端末に対するＣＣ割当が全面的に再構成されるか端末がハンドオーバー（ｈａｎｄｏｖｅｒ）しない限り、一旦割り当てられたＣＣのうち少なくとも一つは非活性化されなくてもよい。端末に非活性化されない一つのＣを主ＣＣ（ｐｒｉｍａｒｙ  ＣＣ、ＰＣＣ）またはＰＣｅｌｌ（ｐｒｉｍａｒｙ  ｃｅｌｌ）と称し、基地局が自由に活性化／非活性化されるＣＣを副ＣＣ（ｓｅｃｏｎｄａｒｙ  ＣＣ、ＳＣＣ）またはＳＣｅｌｌ（ｓｅｃｏｎｄａｒｙ  ｃｅｌｌ）と称する。
【００９３】
一方、３ＧＰＰ  ＮＲは無線資源を管理するためにセル（ｃｅｌｌ）の概念を使用する。セルは、下りリンク資源と上りリンク資源の組み合わせ、つまり、ＤＬ  ＣＣとＵＬ  ＣＣの組み合わせと定義される。セルは、ＤＬ資源単独、またはＤＬ資源とＵＬ資源の組み合わせからなる。キャリア集成が支援されれば、ＤＬ資源（または、ＤＬ  ＣＣ）のキャリア周波数とＵＬ資源（または、ＵＬ  ＣＣ）のキャリア周波数との間のリンケージ（ｌｉｎｋａｇｅ）はシステム情報によって指示される。キャリア周波数とは、各セルまたはＣＣの中心周波数を意味する。ＰＣＣに対応するセルをＰＣｅｌｌと称し、ＳＣＣに対応するセルをＳＣｅｌｌと称する。下りリンクにおいてＰＣｅｌｌに対応するキャリアはＤＬ  ＰＣＣであり、上りリンクにおいてＰＣｅｌｌに対応するキャリアはＵＬ  ＰＣＣである。類似し、下りリンクにおいてＳＣｅｌｌに対応するキャリアはＤＬ  ＳＣＣであり、上りリンクにおいてＳＣｅｌｌに対応するキャリアはＵＬ  ＳＣＣである。端末性能（ｃａｐａｃｉｔｙ）に応じて、サービングセル（ら）は一つのＰＣｅｌｌと０以上のＳＣｅｌｌからなる。ＲＲＣ＿ＣＯＮＮＥＣＴＥＤ状態にあるがキャリア集成が設定されていないか、キャリア集成を支援しないＵＥの場合、ＰＣｅｌｌのみからなるサービングセルがたった一つ存在する。
【００９４】
上述したように、キャリア集成で使用されるセルという用語は、一つの基地局または一つのアンテナグループによって通信サービスが提供される一定の地理的領域を称するセルという用語とは区分される。一定の地理的領域を称するセルとキャリア集成のセルを区分するために、本発明ではキャリア集成のセルをＣＣと称し、地理的領域のセルをセルと称する。
【００９５】
図１０は、クロス−キャリアスケジューリング技法が適用される例を示す図である。  クロス−キャリアスケジューリングが設定されれば、第１ＣＣを介して伝送される制御チャネルはキャリア指示子フィールド（ｃａｒｒｉｅｒ  ｉｎｄｉｃａｔｏｒ  ｆｉｅｌｄ、ＣＩＦ）を利用して、第１ＣＣまたは第２ＣＣを介して伝送されるデータチャネルをスケジューリングする。ＣＩＦはＤＣＩ内に含まれる。言い換えると、スケジューリングセル（ｓｃｈｅｄｕｌｉｎｇ  ｃｅｌｌ）が設定され、スケジューリングセルのＰＤＣＣＨ領域から伝送されるＤＬグラント／ＵＬグラントは、スケジューリングセルされたセル（ｓｃｈｅｄｕｌｅｄ  ｃｅｌｌ）のＰＤＳＣＨ／ＰＵＳＣＨをスケジューリングする。つまり、複数のコンポーネントキャリアに対する研削領域がスケジューリングされたセルのＰＤＣＣＨ領域が存在する。ＰＣｅｌｌは基本的にスケジューリングセルであり、特定ＳＣｅｌｌが上位階層によってスケジューリングセルと指定される。
【００９６】
図１０の実施例では、３つのＤＬ  ＣＣが併合されていると改定する。ここで、ＤＬコンポーネントキャリア＃０はＤＬ  ＰＣＣ（または、ＰＣｅｌｌ）と仮定し、ＤＬコンポーネントキャリア＃１及びＤＬコンポーネントキャリア＃２はＤＬ  ＳＣＣ（または、ＳＣｅｌｌ）と仮定する。また、ＤＬ  ＰＣＣがＰＤＣＣＨモニタリングＣＣと設定されていると仮定する。端末−特定（または端末−グループ−特定、またはセル−特定）上位階層シグナリングによってクロス−キャリアスケジューリングを構成しなければＣＩＦがディスエーブル（ｄｉｓａｂｌｅ）となり、それぞれのＤＬ  ＣＣはＮＲ  ＰＤＣＣＨ規則に従ってＣＩＦなしに自らのＰＤＳＣＨをスケジューリングするＰＤＣＣＨのみを伝送する（ノン−クロス−キャリアスケジューリング、セルフ−キャリアスケジューリング）。それに対し、端末−特定（または端末−グループ−特定、またはセル−特定）上位階層シグナリングによってクロス−キャリアスケジューリングを構成すればＣＩＦがイネーブル（ｅｎｓａｂｌｅ）となり、特定のＣＣ（例えば、ＤＬ  ＰＣＣ）はＣＩＦを利用してＤＬ  ＣＣ  ＡのＰＤＳＣＨをスケジューリングするＰＤＣＣＨのみならず、他のＣＣのＰＤＳＣＨをスケジューリングするＰＤＣＣＨも伝送する（クロス−キャリアスケジューリング）。それに対し、他のＤＬ  ＣＣではＰＤＣＣＨが伝送されない。よって、端末は端末にクロス−キャリアスケジューリングが構成されているのか否かに応じて、ＣＩＦを含まないＰＤＣＣＨをモニタリングしてセルフ−キャリアスケジューリングされたＰＤＳＣＨを受信するか、ＣＩＦを含むＰＤＣＣＨをモニタリングしてクロス−キャリアスケジューリングされたＰＤＳＣＨを受信する。
【００９７】
一方、図９及び図１０は、３ＧＰＰ  ＬＴＥ−Ａシステムのサブフレーム構造を例示しているが、これと同じまたは類似した構成が３ＧＰＰ  ＮＲシステムにも適用可能である。但し、３ＧＰＰ  ＮＲシステムにおいて、図９及び図１０のサブフレームはスロットに切り替えられる。
【００９８】
図１１は、本発明の実施例によるコードブロックグループ（ＣＢＧ）の構成及びそれの時間周波数資源マッピングを示す図である。より詳しくは、図１１（ａ）は一つの伝送ブロック（ＴＢ）に含まれたＣＢＧ構成の一実施例を示し、図１１（ｂ）は該当ＣＢＧ構成の時間周波数資源マッピングを示す。
【００９９】
チャネル符号は、最大支援可能な長さが定義されている。例えば、３ＧＰＰ  ＬＴＥ（−Ａ）で使用されるターボコードの最大支援長さは６１４４ビットである。しかし、ＰＤＳＣＨで伝送される伝送ブロック（ＴＢ）の長さは６１４４ビットより長くてもよい。もしＴＢの長さが最大支援長さより長ければ、ＴＢは最大６１４４ビット長さのコードブロック（ｃｏｄｅ  ｂｌｏｃｋ、ＣＢ）に分けられる。各ＣＢはチャネル符号化が行われる単位である。追加に、効率的な再伝送のために、いくつかのＣＢを束ねて一つのＣＢＧを構成してもよい。端末と基地局は、ＣＢＧがいかに構成されているのかに関する情報を必要とする。
【０１００】
ＴＢ内において、ＣＢＧ及びＣＢは多様な実施例によって構成される。一実施例によると、使用し得るＣＢＧの個数が固定された値に決められるか、基地局と端末との間にＲＲＢ構成情報で構成される。この際、ＴＢの長さに応じてＣＢの個数が決定され、ＣＢＧは前記決められた個数情報に応じて設定される。他の実施例によると、一つのＣＢＧに含まれるＣＢの個数が固定された値に決められるか、基地局と端末との間にＲＲＢ構成情報で構成されてもよい。この際、ＴＢの長さに応じてＣＢの個数が決定されれば、ＣＢＧの個数は一つのＣＢＧ当たりＣＢの個数情報に応じて設定される。
【０１０１】
図１１（ａ）の実施例を参照すると、一つのＴＢは８つのＣＢに分けられる。８つのＣＢは、更に４つのＣＢＧに束ねられる。このようなＣＢとＣＢＧのマッピング関係（または、ＣＢＧ構成）は、基地局と端末との間に静的（ｓｔａｔｉｃ）に設定されるか、ＲＲＣ構成情報で半静的（ｓｅｍｉ−ｓｔａｔｉｃ）に設定される。他の実施例によると、前記マッピング関係は、ダイナミックシグナリングを介して設定される。基地局が伝送したＰＤＣＣＨを端末が受信すれば、端末はＣＢとＣＢＧのマッピング関係（または、ＣＢＧ構成）を目地的情報及び／または黙示的情報を介して直間接的に識別する。一つのＣＢＧは一つのＣＢのみを含んでもよく、一つのＴＢを構成する全てのＣＢを含んでもよい。ちなみに、本発明の実施例で提案する技法は、ＣＢとＣＢＧ構成に関係なく適用される。
【０１０２】
図１１（ｂ）を参照すると、一つのＴＢを構成するＣＢＧは、ＰＤＳＣＨがスケジューリングされた時間−周波数資源にマッピングされる。一実施例によると、各ＣＢＧは周波数軸に先に割り当てられてから、時間軸に拡張される。４つのＣＢＧを含む１つのＴＢからなるＰＤＳＣＨが７つのＯＤＦＭシンボルに割り当てられれば、ＣＢＧ０は最初及び２番目のＯＦＤＭシンボルにわたって伝送され、ＣＢＧ１は２番目、３番目、及び４番目のＯＦＤＭシンボルにわたって伝送され、ＣＢＧ２は４番目、５番目、及び６番目のＯＦＤＭシンボルにわたって伝送され、ＣＢＧ３は６番目及び７番目のＯＦＤＭシンボルにわたって伝送される。このようなＣＢＧとＰＤＳＣＨで割り当てられた時間−周波数マッピング関係は端末の間に決められている。但し、図１１（ｂ）に示したマッピング関係は本発明を説明するための一実施例であり、本発明の実施例で提案する技法は、ＣＢＧの時間−周波数マッピング関係とは関係なく適用されてもよい。
【０１０３】
図１２は、基地局がＴＢ−基盤伝送またはＣＢＧ−基盤伝送を行い、端末がそれに対する応答としてＨＡＲＱ−ＡＣＫの伝送を行う過程を示す図である。図１２を参照すると、基地局はＴＢ−基盤伝送とＣＢＧ−基盤伝送のうち、端末に適合した伝送方式を構成する。端末は、基地局が構成した伝送方式によるＨＡＲＱ−ＡＣＫビット（ら）をＰＵＣＣＨまたはＰＵＳＣＨに伝送する。基地局は、端末に伝送されるＰＤＳＣＨをスケジューリングするためにＰＤＣＣＨを構成する。ＰＤＣＣＨは、ＴＢ−基盤伝送及び／またはＣＢＧ−基盤伝送をスケジューリングする。例えば、ＰＤＣＣＨでは１つのＴＢまたは２つのＴＢがスケジューリングされる。１つのＴＢがスケジューリングされれば、端末は１−ｂｉｔ  ＨＡＲＱ−ＡＣＫをフィードバックすべきである。もし２つのＴＢがスケジューリングされれば、２つのＴＢそれぞれのための２−ｂｉｔ  ＨＡＲＱ−ＡＣＫをフィードバックすべきである。基地局と端末との間の曖昧さ（ａｍｂｉｇｕｉｔｙ）をなくすために、２−ｂｉｔ  ＨＡＲＱ−ＡＣＫの各ビットと２つのＴＢとの間には決められた順番が存在する。ちなみに、ＭＩＭＯ伝送ランクまたはレイヤが低ければ一つのＰＤＳＣＨで１つのＴＢが伝送され、ＭＩＭＯ伝送ランクまたはレイヤが高ければ一つのＰＤＳＣＨで２つのＴＢが伝送される。
【０１０４】
端末は、一つのＴＢ当たり１−ｂｉｔ  ＴＢ−基盤ＨＡＲＱ−ＡＣＫを伝送し、各ＴＢの受信成功可否を基地局に知らせる。一つのＴＢに対するＨＡＲＱ−ＡＣＫを生成するために、端末はＴＢ−ＣＲＣを介して該当ＴＢの受信エラー可否を確認する。ＴＢに対するＴＢ−ＣＲＣのチェックに成功すれば、端末は該当ＴＢのＨＡＲＱ−ＡＣＫのためにＡＣＫを生成する。しかし、ＴＢに対するＴＢ−ＣＲＣエラーが発生すれば、端末は該当ＴＢのＨＡＲＱ−ＡＣＫのためにＮＡＣＫを生成する。端末は、このように生成されたＴＢ−基盤ＨＡＲＱ−ＡＣＫ（ら）を基地局に伝送する。基地局は端末から受信したＴＢ−基盤ＨＡＲＱ−ＡＣＫ（ら）のうち、ＮＡＣＫが応答されたＴＢを再伝送する。
【０１０５】
また、端末は、一つのＣＢＧ当たり１−ｂｉｔ  ＣＢＧ−基盤ＨＡＲＱ−ＡＣＫを伝送し、各ＣＢＧの受信成功可否を基地局に知らせる。一つのＣＢＧに対するＨＡＲＱ−ＡＣＫを生成するために、端末はＣＢＧに含まれた全てのＣＢをデコーディングし、ＣＢ−ＣＲＣを介して該当ＣＢの受信エラー可否を確認する。端末が一つのＣＢＧを構成する全てのＣＢの受信に成功すれば（つまり、全てのＣＢ−ＣＲＣのチェックに成功すれば）、端末は該当ＣＢＧのＨＡＲＱ−ＡＣＫのためにＡＣＫを生成する。しかし、端末が一つのＣＢＧを構成するＣＢのうち少なくとも一つの受信に成功しなければ（つまり、少なくとも一つのＣＢ−ＣＲＣエラーが発生すれば）、端末は該当ＣＢＧのＨＡＲＱ−ＡＣＫのためにＮＡＣＫを生成する。端末は、このように生成されたＣＢＧ−基盤ＨＡＲＱ−ＡＣＫ（ら）を基地局に伝送する。基地局は端末から受信したＣＢＧ−基盤ＨＡＲＱ−ＡＣＫ（ら）のうち、ＮＡＣＫが応答されたＣＢＧを再伝送する。一実施例によると、再伝送されるＣＢＧのＣＢ構成は従来に伝送されたＣＢＧのＣＢ構成と同じである。端末が基地局に伝送するＣＢＧ−基盤ＨＡＲＱ−ＡＣＫビット（ら）の長さは、ＰＤＳＣＨを介して伝送されるＣＢＧの個数、またはＲＲＣ信号からなるＣＢＧの最大個数に基づいて決定される。また、上述した実施例のように、ＣＢＧ−基盤ＨＡＲＱ−ＡＣＫとは別途に、ＴＢ−基盤ＨＡＲＱ−ＡＣＫが追加に伝送されてもよい。この際、ＴＢ−基盤ＨＡＲＱ−ＡＣＫは、ＴＢ−ＣＲＣのチェックに成功したのか否かを示す。
【０１０６】
本発明の実施例によると、ＴＢの成功的な伝送ために、ＣＢＧ−基盤ＨＡＲＱ−ＡＣＫフィードバックが使用される。基地局は端末にＣＢＧ−基盤ＨＡＲＱ−ＡＣＫ伝送を指示する。この際、ＣＢＧ−基盤ＨＡＲＱ−ＡＣＫによる再伝送技法が使用される。ＣＢＧ−基盤ＨＡＲＱ−ＡＣＫは、ＰＵＣＣＨを介して伝送される。また、ＰＵＳＣＨを介してＵＣＩが伝送されるように設定されれば、ＣＢＧ−基盤ＨＡＲＱ−ＡＣＫは該当ＰＵＳＣＨを介して伝送されてもよい。ＰＵＣＣＨにおいて、ＨＡＲＱ−ＡＣＫ資源の設定はＲＲＣ信号を介して構成される。また、ＣＢＧ−基盤で伝送されるＰＤＳＣＨをスケジューリングするＰＤＣＣＨを介して、実際に伝送されるＨＡＲＱ−ＡＣＫ資源が指示される。端末は、ＲＲＣからなるＰＵＣＣＨ資源のうちＰＤＣＣＨを介して指示された一つ以上のＰＵＣＣＨ資源を介し、伝送されたＣＢＧの受信成功可否に対するＨＡＲＱ−ＡＣＫ（ら）を伝送する。
【０１０７】
基地局は、端末に伝送されたＣＢＧ（ら）に対する端末の受信成功可否を該当端末のＣＢＧ−基盤ＨＡＲＱ−ＡＣＫフィードバックを介して識別する。つまり、端末から受信された各ＣＢＧに対するＨＡＲＱ−ＡＣＫを介し、基地局は端末が受信に成功したＣＢＧ（ら）と端末が受信に失敗したＣＢＧ（ら）を認知する。基地局は、受信され亜ｔＣＢＧ−基盤ＨＡＲＱ−ＡＣＫに基づいてＣＢＧ再伝送を行う。より詳しくは、基地局は、一つのＴＢにおいて受信に失敗したＨＡＲＱ−ＡＣＫが応答されたＣＢＧ（ら）のみを束ねて再伝送する。この際、受信に成功したＨＡＲＱ−ＡＣＫが応答されたＣＢＧ（ら）を再伝送から除外する。基地局は、再伝送されるＣＢＧ（ら）を一つのＰＤＳＣＨにスケジューリングして端末に伝送する。
【０１０８】
ＰＤＳＣＨを介して伝送されるＣＢＧ（ら）の個数は、一つのＴＢを伝送するためのＣＢＧ再伝送過程で異なり得る。よって、端末は、該当ＰＤＳＣＨから伝送されるＣＢＧ（ら）に対する受信成功可否をＨＡＲＱ−ＡＣＫを介して伝送する必要がある。しかし、端末は、既に基地局にＡＣＫが伝送されて該当ＰＤＳＣＨから再伝送されていないＣＢＧ（ら）に対するＨＡＲＱ−ＡＣＫ（ら）は伝送する必要がない。前記のように、ＨＡＲＱ−ＡＣＫビット（ら）をＰＤＳＣＨから伝送されるＣＢＧの個数によって減少させる。これを介し、ＨＡＲＱ−ＡＣＫの信頼度を上げられるだけでなく、使用していないＨＡＲＱ−ＡＣＫ資源をガの端末または同一端末の他のＴＢに当たるＣＢＧ（ら）のためのＨＡＲＱ−ＡＣＫ資源として再活用できるようになり、上りリンク制御チャネルのオーバーヘッドを下げることができる。しかし、ＰＤＳＣＨから伝送されるＣＢＧの個数に応じてＨＡＲＱ−ＡＣＫビット（ら）を送る方式は、上述した長所にもかかわらず、以下のような２つの状況で短所が発生する恐れがある。
【０１０９】
ｉ）端末がＨＡＲＱ−ＡＣＫを伝送するＰＵＣＣＨ（または、ＨＡＲＱ−ＡＣＫが含まれたＰＵＳＣＨ）を伝送した後、基地局からＮＡＣＫ−ｔｏ−ＡＣＫエラーが発生する。この際、基地局は再伝動すべきＣＢＧ（ら）の伝送に成功したと判断し、再伝送のための次のＰＤＳＣＨを介して伝送しない。端末は受信に失敗したＣＢＧ（ら）の再伝送を期待するが、該当ＣＢＧ（ら）が次のＰＤＳＣＨを介して伝送されないため、更に該当ＣＢＧ（ら）を再伝送するためのＮＡＣＫ（ら）の伝送が要求される。しかし、該当ＣＢＧ（ら）は再伝送のための次のＰＤＳＣＨを介して伝送されていないため、端末が該当ＣＢＧ（ら）のためのＨＡＲＱ−ＡＣＫを再伝送することができなくなる。よって、端末のＨＡＲＱ−ＡＣＫを伝送するＰＵＣＣＨ（または、ＨＡＲＱ−ＡＣＫが含まれたＰＵＳＣＨ）の伝送から発生し得るＮＡＣＫ−ｔｏ−ＡＣＫエラーが発生した際、それを改善するための方法が必要である。
【０１１０】
ｉｉ）ＣＢＧ−基盤伝送において、端末はＣＢＧに含まれたＣＢのＣＲＣの成功可否に応じてＣＢＧの受信成功可否を判断する。つまり、ＣＢＧに含まれた全てのＣＢのＣＢ−ＣＲＣのチェックに成功すれば、端末は該当ＣＢＧに対するＨＡＲＱ−ＡＣＫとしてＡＣＫを伝送する。それに対し、ＣＢＧに含まれたＣＢのうち一つのＣＢからでもエラーが発生すれば、端末は該当ＣＢＧに対するＨＡＲＱ−ＡＣＫとしてＮＡＣＫを伝送する。しかし、ＴＢの受信成功可否はＴＢに取り付けられているＴＢ−ＣＲＣのチェック成功可否に応じて決定される。よって、端末は全てのＣＢＧ（ら）の受信に成功したと判断し、該当ＣＢＧ（ら）に対応するＨＡＲＱ−ＡＣＫとしてＡＣＫを伝送するが、ＴＢ−ＣＲＣのチェックに失敗してＴＢの受信に失敗する状況が発生する恐れがある。よって、このような状況を改善するための方法が必要である。
【０１１１】
本発明の実施例によると、ＰＤＳＣＨから伝送されるＣＢＧの個数に応じてＨＡＲＱ−ＡＣＫビット（ら）を伝送する方式を使用する際に発生し得る前記問題点を解決するための方法として、フォールバック指示子（ｆａｌｌｂａｃｋ  ｉｎｄｉｃａｔｏｒ）が使用される。前記フォールバック指示子は、一つのＴＢの全てのＣＢＧをＰＤＳＣＨを介して再伝送（以下、フォールバックモード）するようにする指示子である。端末は以下の実施例によってフォールバック指示子を生成し、前記フォールバック指示子を既に割り当てられているＰＵＣＣＨ資源を介してＨＡＲＱ−ＡＣＫと共に伝送する。フォールバック指示子は２つの状態のうちいずれか一つを指示する。本発明の実施例では第１状態を「フォールバックモード要請」と称し、第２状態を「非−フォールバック要請」と称する。「フィードバックモード要請」とは、一つのＴＢの全てのＣＢＧの再伝送を要請する状態であり、「非−フォールバック要請」とは、前記のような全てのＣＢＧの再伝動が要求されない状態である。本発明の追加の実施例によると、前記フォールバック指示子はＴＢ−基盤ＨＡＲＱ−ＡＣＫとも使用される。ＴＢ−基盤ＨＡＲＱ−ＡＣＫの具体的な実施例は後述する。
【０１１２】
本発明の一実施例によると、ＣＢＧ−基盤に動作するように構成された端末に、一つのＴＢに対して一つのＣＢＧのみ構成される。つまり、一つのＴＢに含まれた全てのＣＢが一つのＣＢＧに構成される。この際、端末が伝送するＨＡＲＱ−ＡＣＫフィードバックは、ＴＢ−ＣＲＣの成功可否に応じて決定される。つまり、ＴＢ−ＣＲＣのチェックに成功すれば端末は該当ＣＢＧに対するＨＡＲＱ−ＡＣＫとしてＡＣＫを伝送し、ＴＢ−ＣＲＣのチェックに失敗すれば端末は該当ＣＢＧに対するＨＡＲＱ−ＡＣＫとしてＮＡＣＫを伝送する。この場合、フォールバックモードの遂行可否は、フォールバック指示子の明示的な伝送なしに前記ＣＢＧに対するＡＣＫ／ＮＡＣＫから決定される。より詳しくは、フォールバックモードでの動作を期待する端末は、ＣＢＧに対するＨＡＲＱ−ＡＣＫとしてＮＡＣＫを伝送する。端末からＨＡＲＱ−ＡＣＫとしてＮＡＣＫを伝送されれば、基地局はフォールバックモードが必要であると判断し、それによって該当ＴＢの全てのＣＢＧをＰＤＳＣＨを介して再伝送する。
【０１１３】
本発明の他の実施例によると、ＣＢＧ−基盤に動作するように構成された端末に、一つのＴＢに対してＮ個のＣＢＧが構成される（ここで、Ｎは１より大きい自然数）。つまり、一つのＴＢが２つ以上のＣＢＧからなる。この際、端末がフォールバック指示子とＨＡＲＱ−ＡＣＫを伝送する方法は以下の実施例のようである。
【０１１４】
まず、一つのＴＢに対するＮ個のＣＢＧ（つまり、全てのＣＢＧ）がＰＤＳＣＨで伝送される。この場合、端末は各ＣＢＧの受信成功可否をＣＢ−ＣＲＣを介して判断し、先に構成されるか指示されたＰＵＣＣＨ資源を介して、Ｎ個のＣＢＧに対するＨＡＲＱ−ＡＣＫを伝送する。端末は各ＣＢＧに含まれた全てのＣＢ−ＣＲＣのチェックに成功すれば、該当ＣＢＧのためのＨＡＲＱ−ＡＣＫとしてＡＣＫを伝送する。そうでなければ、端末は該当ＣＢＧのためのＨＡＲＱ−ＡＣＫとしてＮＡＣＫを伝送する。前記ＣＢＧのためのＨＡＲＱ−ＡＣＫは、端末が伝送するＰＵＣＣＨ、またはＰＵＳＣＨにおけるＨＡＲＱ−ＡＣＫを介して伝送される。基地局は、端末からＮＡＣＫが応答されたＣＢＧを束ねてＰＤＳＣＨを介して再伝送する。この場合、フォールバックモードの遂行可否は、フォールバック指示子の明示的な伝送なしに前記ＣＢＧに対するＡＣＫ／ＮＡＣＫから決定される。より詳しくは、フォールバックモードでの動作を望む端末は、ＣＢＧに対するＨＡＲＱ−ＡＣＫとしてＮＡＣＫを伝送する。端末から全てのＣＢＧに対するＨＡＲＱ−ＡＣＫとしてＮＡＣＫを伝送されれば、基地局はフォールバックモードが必要であると判断し、それによって該当ＴＢの全てのＣＢＧをＰＤＳＣＨを介して再伝送する。
【０１１５】
表４は、Ｎ＝２である際に端末が伝送するＨＡＲＱ−ＡＣＫフィードバックとそれによる動作を示す。端末のＨＡＲＱ−ＡＣＫが［ＡＣＫ  ＡＣＫ］であれば、基地局は端末が該当ＴＢの受信に成功したと判断する。端末のＨＡＲＱ−ＡＣＫが［ＡＣＫ  ＮＡＣＫ］であれば、基地局は端末が最初のＣＢＧの受信は成功したが、２番目のＣＢＧの受信は失敗したと判断する。よって、基地局は２番目のＣＢＧをＰＤＳＣＨを介して再伝送する。端末のＨＡＲＱ−ＡＣＫが［ＮＡＣＫ  ＡＣＫ］であれば、基地局は端末が２番目のＣＢＧの受信は成功したが、最初のＣＢＧの受信は失敗したと判断する。よって、基地局は最初のＣＢＧをＰＤＳＣＨを介して再伝送する。端末のＨＡＲＱ−ＡＣＫが［ＮＡＣＫ  ＮＡＣＫ］であれば、基地局は端末がフィードバックモードを必要とすると判断する。よって、基地局は最初のＣＢＧと２番目のＣＢＧを束ねてＰＤＳＣＨを介して再伝送する。
【０１１６】
【表４】
2020529780.tif 000012
【０１１７】
次に、Ｎより小さい自然数Ｍに対し、一つのＴＢに対するＭ個のＣＢＧ（つまり、一部のＣＢＧ）がＰＤＳＣＨで伝送される。一つのＴＢに対する一部のＣＢＧが伝送されれば、端末がフォールバック指示子とＨＡＲＱ−ＡＣＫを伝送する方法は以下の実施例のようである。それぞれの実施例において、以前の実施例と同じであるか相応する部分に対しては重複する説明を省略する。
【０１１８】
本発明の第１実施例によると、端末は、Ｍ個のＣＢＧそれぞれに対するＡＣＫ／ＮＡＣＫビットと１−ｂｉｔフォールバック指示子を束ねたＭ＋１ビットをＨＡＲＱ−ＡＣＫ資源を介して伝送する。この際、Ｍ−ｂｉｔ  ＨＡＲＱ−ＡＣＫより１−ｂｉｔフォールバック指示子に優先順位が与えられ、フォールバックモードの遂行可否が決定される。端末は、伝送された各ＣＢＧの受信成功可否をＣＢ−ＣＲＣを介して判断する。より詳しくは、端末に最大Ｎ個のＣＢＧが伝送される可能性があるため、端末はＮ個のＨＡＲＱ−ＡＣＫビットを収容し得るＰＵＣＣＨ資源を割り当てられる。端末は該当資源を介し、１乃至Ｎ個のＨＡＲＱ−ＡＣＫビットを伝送する。端末は、１−ｂｉｔフォールバック指示子を前記ＨＡＲＱ−ＡＣＫ資源でＭ−ｂｉｔ  ＨＡＲＱ−ＡＣＫと共に束ねて、（Ｍ＋１）−ｂｉｔフィードバックを伝送する。基地局は、端末から伝送されたＰＵＣＣＨまたはＰＵＳＣＨのＰＵＣＣＨ資源を介して（Ｍ＋１）−ｂｉｔフィードバックを受信することで、伝送したＣＢＧに対するＭ−ｂｉｔ  ＨＡＲＱ−ＡＣＫとフォールバック指示子を獲得する。
【０１１９】
図１３は、受信したＨＡＲＱ−ＡＣＫフィードバックとフォールバック指示子を解釈する方法の一実施例を示す図である。図１３を参照すると、基地局は、Ｍ−ｂｉｔ  ＨＡＲＱ−ＡＣＫより１−ｂｉｔフォールバック指示子に優先順位を与え、フォールバックモードが必要であるのか否かを判断する。フォールバックモードが必要であれば、端末はフォールバック指示子が「フォールバックモード要請」を示しように伝送し、そうでなければ、端末はフォールバック指示子が「非−フォールバック要請」を示すように伝送する。基地局は、受信したフォールバック指示子がいかなる状態を指示するのかを確認する。もしフォールバック指示子が「フォールバックモード要請」を示せば、基地局はＭ−ｂｉｔ  ＨＡＲＱ−ＡＣＫのＡＣＫ／ＮＡＣＫ／ＤＴＸなどの情報は無視してフォールバックモードを行う。つまり、基地局は、該当ＴＢの全てのＣＢＧを束ねてＰＤＳＣＨを介して再伝送する。もしフォールバック指示子が「非−フォールバック要請」を示せば、基地局はＭ−ｂｉｔ  ＨＡＲＱ−ＡＣＫの情報に応じてＣＢＧの再伝送を行う。つまり、基地局はＮＡＣＫが応答されたＣＢＧ（ら）を束ねてＰＤＳＣＨを介して再伝送する。
【０１２０】
本発明の第２実施例によると、端末はＨＡＲＱ−ＡＣＫ資源を介して確保されたＮ個のビットからＭ個のＨＡＲＱ−ＡＣＫビット（ら）を除いた残りの（Ｎ−Ｍ）ビット（ら）をフォールバック指示子と使用する。この際、Ｍ−ｂｉｔ  ＨＡＲＱ−ＡＣＫより（Ｎ−Ｍ）−ｂｉｔフォールバック指示子に優先順位が与えられ、フォールバックモードの遂行可否が決定される。端末は、Ｍ個のＣＢＧそれぞれに対するＡＣＫ／ＮＡＣＫビットと（Ｎ−Ｍ）−ｂｉｔフォールバック指示子を束ねたＮビットをＨＡＲＱ−ＡＣＫ資源を介して伝送する。つまり、端末は、（Ｎ−Ｍ）−ｂｉｔフォールバック指示子を前記ＨＡＲＱ−ＡＣＫ資源でＭ−ｂｉｔ  ＨＡＲＱ−ＡＣＫと共に束ねて、Ｎ−ｂｉｔフィードバックを伝送する。基地局は、端末から伝送されたＰＵＣＣＨまたはＰＵＳＣＨを介してＮ−ｂｉｔフィードバックを受信することで、伝送したＣＢＧに対するＭ−ｂｉｔ  ＨＡＲＱ−ＡＣＫと（Ｍ−Ｎ）ｂｉｔフォールバック指示子を獲得する。前記（Ｍ−Ｎ）−ｂｉｔフォールバック指示子は、「フォールバックモード要請」及び「非−フォールバック要請」状態のうちいずれか一つを指示する。（Ｍ−Ｎ）−ｂｉｔフォールバック指示子は複数個のビットからなるため、１−ｂｉｔフォールバック指示子より伝送の信頼度を上げることができる。
【０１２１】
図１３を参照して、受信したＨＡＲＱ−ＡＣＫフィードバックとフォールバック指示子を解釈する方法を説明すると以下のようである。基地局は、Ｍ−ｂｉｔ  ＨＡＲＱ−ＡＣＫより（Ｎ−Ｍ）−ｂｉｔフォールバック指示子に優先順位を与え、フォールバックモードが必要であるのか否かを判断する。フォールバックモードが必要であれば、端末は（Ｎ−Ｍ）−ｂｉｔフォールバック指示子が「フォールバックモード要請」を示しように伝送し、そうでなければ、端末は（Ｎ−Ｍ）−ｂｉｔフォールバック指示子が「非−フォールバック要請」を示すように伝送する。基地局は、受信したフォールバック指示子がいかなる状態を指示するのかを確認する。もしフォールバック指示子が「フォールバックモード要請」を示せば、基地局はフォールバックモードを行う。もしフォールバック指示子が「非−フォールバック要請」を示せば、基地局はＭ−ｂｉｔ  ＨＡＲＱ−ＡＣＫの情報に応じてＣＢＧの再伝送を行う。それに対する具体的な実施例は、前記第１実施例で述べたようである。
【０１２２】
表５は、Ｎ＝３、Ｍ＝２である際に端末が伝送するフォールバック指示子及びＨＡＲＱ−ＡＣＫフィードバックとそれによる動作を示す。この際、一つのＴＢは３つのＣＢＧからなり、前記一つのＴＢに対する一部のＣＢＧである最初のＣＢＧと２番目のＣＢＧがＰＤＳＣＨで伝送される。
【０１２３】
【表５】
2020529780.tif 000013
【０１２４】
図５を参照すると、基地局はＨＡＲＱ−ＡＣＫビットよりフォールバック指示子を優先的に確認する。もしフォールバック指示子が「フォールバックモード要請」を示せば、基地局は常にフォールバックモードを行う。つまり、基地局は該当ＴＢを構成する全てのＣＢＧ、つまり、最初のＣＢＧ、２番目のＣＢＧ、及び３番目のＣＢＧをＰＤＳＣＨに再伝送する。もしフォールバック指示子が「非−フォールバック要請」を示せば、基地局は２−ｂｉｔ  ＨＡＲＱ−ＡＣＫの情報に応じてＣＢＧの再伝送を行う。つまり、端末のＨＡＲＱ−ＡＣＫが［ＡＣＫ  ＡＣＫ］であれば、基地局は端末が２つのＣＢＧの受信に成功したと判断する。端末のＨＡＲＱ−ＡＣＫが［ＡＣＫ  ＮＡＣＫ］であれば、基地局は端末が最初のＣＢＧの受信は成功したが、２番目のＣＢＧの受信は失敗したと判断する。よって、基地局は２番目のＣＢＧをＰＤＳＣＨを介して再伝送する。端末のＨＡＲＱ−ＡＣＫが［ＮＡＣＫ  ＡＣＫ］であれば、基地局は端末が２番目のＣＢＧの受信は成功したが、最初のＣＢＧの受信は失敗したと判断する。よって、基地局は最初のＣＢＧをＰＤＳＣＨを介して再伝送する。端末のＨＡＲＱ−ＡＣＫが［ＮＡＣＫ  ＮＡＣＫ］であれば、基地局は端末が最初のＣＢＧ及び２番目のＣＢＧの受信に失敗したと判断する。よって、基地局は最初のＣＢＧと２番目のＣＢＧを束ねてＰＤＳＣＨを介して再伝送する。
【０１２５】
本発明の第３実施例によると、端末は、Ｍ個のＣＢＧそれぞれに対するＡＣＫ／ＮＡＣＫビットと１−ｂｉｔフォールバック指示子を束ねたＭ＋１ビットをＰＵＣＣＨ資源を介して伝送する。この際、１−ｂｉｔフォールバック指示子よりＭ−ｂｉｔ  ＨＡＲＱ−ＡＣＫに優先順位（または、同等な順位）が与えられ、フォールバックモードの遂行可否が決定される。端末が１−ｂｉｔフォールバック指示子をＨＡＲＱ−ＡＣＫ資源を介してＭ−ｂｉｔ  ＨＡＲＱ−ＡＣＫと共に伝送し、基地局がこれを受信する実施例は、前記第１実施例で述べたようである。
【０１２６】
図１４は、受信したＨＡＲＱ−ＡＣＫフィードバックとフォールバック指示子を解釈する方法の他の実施例を示す図である。図１４を参照すると、基地局は１−ｂｉｔフォールバック指示子よりＭ−ｂｉｔ  ＨＡＲＱ−ＡＣＫに優先順位（または、同等な順位）を与え、フォールバックモードが必要であるのか否かを判断する。つまり、基地局はＭ−ｂｉｔ  ＨＡＲＱ−ＡＣＫがいずれもＮＡＣＫであれば、１−ｂｉｔフォールバック指示子を確認してフォールバックモードが必要であるのか否かを判断する。フォールバックモードが必要であれば、端末はＭ−ｂｉｔ  ＨＡＲＱ−ＡＣＫがいずれもＮＡＣＫを示し、フォールバック指示子が「フォールバックモード要請」を示すように伝送する。この場合、基地局は、該当ＴＢの全てのＣＢＧを束ねてＰＤＳＣＨを介して再伝送する。そうでなければ、基地局はフォールバックモードが必要ではないと判断する。つまり、Ｍ−ｂｉｔ  ＨＡＲＱ−ＡＣＫのうち少なくとも一つのＡＣＫがあれば、基地局はフィードバック指示子が指示する値にかかわらずフォールバックモードを行わない。この際、基地局はＭ−ｂｉｔ  ＨＡＲＱ−ＡＣＫの情報に応じて、ＮＡＣＫが応答されたＣＢＧ（ら）を束ねてＰＤＳＣＨを介して再伝送する。
【０１２７】
本発明の第４実施例によると、端末はＨＡＲＱ−ＡＣＫ資源を介して確保されたＮ個のビットからＭ個のＨＡＲＱ−ＡＣＫビット（ら）を除いた残りの（Ｎ−Ｍ）ビット（ら）をフォールバック指示子と使用する。この際、（Ｎ−Ｍ）−ｂｉｔフォールバック指示子よりＭ−ｂｉｔ  ＨＡＲＱ−ＡＣＫに優先順位（または、同等な順位）が与えられ、フォールバックモードの遂行可否が決定される。端末が（Ｎ−Ｍ）−ｂｉｔフォールバック指示子をＨＡＲＱ−ＡＣＫ資源を介してＭ−ｂｉｔ  ＨＡＲＱ−ＡＣＫと共に伝送し、基地局がこれを受信する実施例は、前記第２実施例で述べたようである。
【０１２８】
図１４を参照して、受信したＨＡＲＱ−ＡＣＫフィードバックとフォールバック指示子を解釈する方法を説明すると以下のようである。基地局は、（Ｎ−Ｍ）−ｂｉｔフォールバック指示子よりＭ−ｂｉｔ  ＨＡＲＱ−ＡＣＫに優先順位（または、同等な順位）を与えられ、フォールバックモードが必要であるのか否かを判断する。つまり、基地局はＭ−ｂｉｔ  ＨＡＲＱ−ＡＣＫがいずれもＮＡＣＫであれば、（Ｎ−Ｍ）−ｂｉｔフォールバック指示子を確認してフォールバックモードが必要であるのか否かを判断する。フォールバックモードが必要であれば、端末はＭ−ｂｉｔ  ＨＡＲＱ−ＡＣＫがいずれもＮＡＣＫを示し、（Ｎ−Ｍ）−ｂｉｔフォールバック指示子が「フォールバックモード要請」を示すように伝送する。この場合、基地局は、該当ＴＢの全てのＣＢＧを束ねてＰＤＳＣＨを介して再伝送する。そうでなければ、基地局はフォールバックモードが必要ではないと判断する。つまり、Ｍ−ｂｉｔ  ＨＡＲＱ−ＡＣＫのうち少なくとも一つのＡＣＫがあれば、基地局はフィードバック指示子が指示する値にかかわらずフォールバックモードを行わない。この際、基地局はＭ−ｂｉｔ  ＨＡＲＱ−ＡＣＫの情報に応じて、ＮＡＣＫが応答されたＣＢＧ（ら）を束ねてＰＤＳＣＨを介して再伝送する。
【０１２９】
表６は、Ｎ＝３、Ｍ＝２である際に端末が伝送するフォールバック指示子及びＨＡＲＱ−ＡＣＫフィードバックとそれによる動作を示す。この際、一つのＴＢは３つのＣＢＧからなり、前記一つのＴＢに対する一部のＣＢＧである最初のＣＢＧと２番目のＣＢＧがＰＤＳＣＨで伝送される。
【０１３０】
【表６】
2020529780.tif 000014
【０１３１】
表６を参照すると、２−ｂｉｔ  ＨＡＲＱ−ＡＣＫが［ＮＡＣＫ  ＮＡＣＫ］で、フォールバック指示子が「フォールバックモード要請」を示せば、基地局はフォールバックモードを行う。つまり、基地局は該当ＴＢを構成する全てのＣＢＧ、つまり、最初のＣＢＧ、２番目のＣＢＧ、及び３番目のＣＢＧをＰＤＳＣＨに再伝送する。それ以外の場合、基地局はフォールバックモードが必要ではないと判断する。この際、基地局は２−ｂｉｔ  ＨＡＲＱ−ＡＣＫ情報に応じてＣＢＧの再伝送を行う。つまり、端末のＨＡＲＱ−ＡＣＫが［ＡＣＫ  ＡＣＫ］であれば、フォールバック指示子の値にかかわらず、基地局は端末が２つのＣＢＧの受信に成功したと判断する。端末のＨＡＲＱ−ＡＣＫが［ＡＣＫ  ＮＡＣＫ］であれば、フォールバック指示子の値にかかわらず、基地局は端末が最初のＣＢＧの受信は成功したが、２番目のＣＢＧの受信は失敗したと判断する。よって、基地局は２番目のＣＢＧをＰＤＳＣＨを介して再伝送する。端末のＨＡＲＱ−ＡＣＫが［ＮＡＣＫ  ＡＣＫ］であれば、フォールバック指示子の値にかかわらず、基地局は端末が２番目のＣＢＧの受信は成功したが、最初のＣＢＧの受信は失敗したと判断する。よって、基地局は最初のＣＢＧをＰＤＳＣＨを介して再伝送する。端末のＨＡＲＱ−ＡＣＫが［ＮＡＣＫ  ＮＡＣＫ］であって、フォールバック指示子が「非−フォールバック要請」を示せば、基地局は端末が最初のＣＢＧ及び２番目のＣＢＧの受信に失敗したと判断する。よって、基地局は最初のＣＢＧと２番目のＣＢＧを束ねてＰＤＳＣＨを介して再伝送する。
【０１３２】
本発明の第５実施例によると、ＴＢの再伝送は明示的なフォールバック指示子なしに上位階層の再伝送を介して行われる。つまり、物理階層の誤った伝送を回復するためのフィードバックモードは使用されない。一実施例によると、基地局と端末には明示的なフォールバック指示子資源がなく、ＣＢＧに対するＨＡＲＱ−ＡＣＫ資源のみ存在する。この場合、端末に再伝送が必要なＣＢＧ（ら）がＰＤＳＣＨ伝送に含まれていなければ、該当ＰＤＳＣＨ伝送のＣＢ−ＣＲＣの成功及びＴＢ−ＣＲＣの成功可否にかかわらず、端末は該当ＰＤＳＣＨの全てのＣＢＧに対するＨＡＲＱ−ＡＣＫとしてＡＣＫを伝送する。このように、端末は該当ＴＢの受信失敗を認知するが、全てのＣＢＧに対してＡＣＫを伝送することで、これ以上不必要な再伝送を防ぐ。前記受信に失敗したＴＢは、物理階層のＨＡＲＱ−ＡＣＫ伝送を介した再伝送ではなく、上位階層での再伝送を介して回復される。
【０１３３】
図１５は、上述した実施例によって端末がＣＢＧ（ら）に対するＨＡＲＱ−ＡＣＫとフォールバック指示子を伝送する一例を示す図である。図１５の実施例によると、基地局は一つのＴＢに３つのＣＢＧを構成し（つまり、Ｎ＝３）、それによって端末は３−ｂｉｔのＨＡＲＱ−ＡＣＫを伝送するＰＵＣＣＨ資源を割り当てられる。最初のＰＤＳＣＨ伝送において、基地局はＣＢＧ＃１、ＣＢＧ＃２、及びＣＢＧ＃３を伝送する。端末は３つのＣＢＧのうちＣＢＧ＃３の受信に成功し、ＣＢＧ＃１及びＣＢＧ＃２の受信に失敗する。よって、端末は最初のＰＤＳＣＨ伝送に対する３−ｂｉｔ  ＨＡＲＱ−ＡＣＫとして［ＮＡＣＫ  ＮＡＣＫ  ＡＣＫ］を伝送する。２番目のＰＤＳＣＨ伝送において、基地局は既に端末からＡＣＫが応答されたＣＢＧ＃３は除いて、ＣＢＧ＃１及びＣＢＧ＃２のみ再伝送する。端末は、２番目ＰＤＳＣＨ伝送に対する応答として、３−ｂｉｔ  ＨＡＲＱ−ＡＣＫを伝送する。この際、端末は、３−ｂｉｔ  ＨＡＲＱ−ＡＣＫのつい最初の２つのビットは再伝送されたＣＢＧ＃１及びＣＢＧ＃２の受信可否を示すのに使用し、ＣＢＧ＃３に対応する最後の１つのビットはフォールバック指示子と使用する。
【０１３４】
図１６乃至図１９は、端末がＣＢＧ（ら）に対するＨＡＲＱ−ＡＣＫフィードバックとフォールバック指示子を伝送する追加の実施例を示す図である。本発明の追加の実施例によると、端末が伝送するＨＡＲＱ−ＡＣＫペイロード（ｐａｙｌｏａｄ）の長さは、ＲＲＣ信号からなるＣＢＧの最大個数に基づいて構成される。よって、端末にはＮ個のＣＢＧ−基盤ＨＡＲＱ−ＡＣＫビットが構成される。以下、図１６乃至図１９の実施例において、ＲＲＣ信号からなるＣＢＧの最大個数はＮとし、基地局が伝送するＴＢが含むＣＢＧ（ら）の個数はＭとする。この際、Ｎ−ｂｉｔ  ＨＡＲＱ−ＡＣＫのうちＭ個のビット（ら）は、各ＣＢＧの受信成功可否を示すＣＢＧ−基盤ＨＡＲＱ−ＡＣＫ（つまり、Ｍ−ｂｉｔ  ＣＢＧ−基盤ＨＡＲＱ−ＡＣＫ）である。また、ＭがＮより小さければ、Ｎ−ｂｉｔ  ＨＡＲＱ−ＡＣＫのうち残りのＮ−Ｍ個のビット（ら）はフォールバック指示子である。
【０１３５】
本発明の実施例では、端末がＰＤＳＣＨを介して伝送された各ＣＢＧの受信に成功したのか否かを示すＨＡＲＱ−ＡＣＫをＣＢＧ−基盤ＨＡＲＱ−ＡＣＫ、またはＣＢＧ−レベルＨＡＲＱ−ＡＣＫとする。また、上述したように、本発明の実施例において、フォールバック指示子はＴＢ−基盤ＨＡＲＱ−ＡＣＫとも称される。本発明の実施例では、端末がＰＤＳＣＨを介して伝送された各ＴＢの受信に成功したのか否かを示すＨＡＲＱ−ＡＣＫをＴＢ−基盤ＨＡＲＱ−ＡＣＫ、またはＴＢ−レベルＨＡＲＱ−ＡＣＫとする。
【０１３６】
本発明の実施例によると、（Ｎ−Ｍ）−ｂｉｔフォールバック指示子は多様な方法で構成される。一実施例によると、（Ｎ−Ｍ）−ｂｉｔフォールバック指示子は、いずれもＡＣＫまたはいずれもＮＡＣＫからなる。他の実施例によると、（Ｎ−Ｍ）−ｂｉｔフォールバック指示子は、１−ｂｉｔ  ＴＢ−基盤ＨＡＲＱ−ＡＣＫがＮ−Ｍ個のビット（ら）で繰り返し構成される。また他の実施例によると、（Ｎ−Ｍ）−ｂｉｔフォールバック指示子は、Ｍ−ｂｉｔ  ＣＢＧ−基盤ＨＡＲＱ−ＡＣＫの値に基づいて構成される。もしＭがＮの約数であれば、（Ｎ−Ｍ）−ｂｉｔフォールバック指示子は、Ｍ−ｂｉｔ  ＣＢＧ−基盤ＨＡＲＱ−ＡＣＫの値が繰り返し構成される。
【０１３７】
表７は、Ｎ＝４でＭ＝１〜４である際、４−ｂｉｔ  ＨＡＲＱ−ＡＣＫフィードバックを構成する一実施例を示す。まず、Ｍ＝１であれば、ＣＢＧ＃０に対するＨＡＲＱ−ＡＣＫ  ｂ０が４回繰り返されて、４−ｂｉｔ  ＨＡＲＱ−ＡＣＫ［ｂ０  ｂ０  ｂ０  ｂ０］が構成される。次に、Ｍ＝２であれば、ＣＢＧ＃０に対するＨＡＲＱ−ＡＣＫ  ｂ０と、ＣＢＧ＃１に対するＨＡＲＱ−ＡＣＫ  ｂ１が２回繰り返されて、４−ｂｉｔ  ＨＡＲＱ−ＡＣＫ［ｂ０  ｂ１  ｂ０  ｂ１］が構成される。次に、Ｍ＝３であれば、４−ｂｉｔ  ＨＡＲＱ−ＡＣＫはＣＢＧ＃０に対するＨＡＲＱ−ＡＣＫ  ｂ０と、ＣＢＧ＃１に対するＨＡＲＱ−ＡＣＫ  ｂ１、ＣＢＧ＃２に対するＨＡＲＱ−ＡＣＫ  ｂ２、そしてｂ０、ｂ１、及びｂ２の組み合わせによって決定されたＸを利用して、［ｂ０  ｂ１  ｂ２  ｂｘが構成される。一実施例によると、ｘは、ｂ０、ｂ１、及びｂ２のＸＯＲ演算を介して獲得される。他の実施例によると、ｘは、ｂ０＋ｂ１＋ｂ２（ｍｏｄ２）の値に決定される。表７はＮ−ｂｉｔ  ＨＡＲＱ−ＡＣＫフィードバックを構成する一実施例を示しており、前記列挙した実施例のうち少なくとも一つの組み合わせによってＮ−ｂｉｔ  ＨＡＲＱ−ＡＣＫフィードバックが構成される。
【０１３８】
【表７】
2020529780.tif 000015
【０１３９】
本発明の他の実施例によると、端末は一つのＰＤＳＣＨで２つのＴＢが伝送される伝送モードで構成される。この際、端末は２つのＴＢに対するＣＢＧ−基盤ＨＡＲＱ−ＡＣＫペイロードの長さに合わせてＨＡＲＱ−ＡＣＫフィードバックを伝送する。もし各ＴＢがＣＢＧの最大個数が構成されており、端末が一つのＴＢのみをスケジューリングするＰＤＳＣＨを受信すれば、端末は一つのＴＢに対するＣＢＧ−基盤ＨＡＲＱ−ＡＣＫを繰り返して、２つのＴＢに対するＣＢＧ−基盤ＨＡＲＱ−ＡＣＫペイロードの長さのＨＡＲＱ−ＡＣＫを生成する。
【０１４０】
例えば、端末は２つのＴＢまで伝送される伝送モードで構成され、一つのＴＢが最大４つのＣＢＧからなってもよい。もし端末に一つのＴＢのみスケジューリングされれば、該当ＴＢに含まれた４つのＣＢＧ遺体するＣＢＧ−基盤ＨＡＲＱ−ＡＣＫｓ［ｂ０  ｂ１  ｂ２  ｂ３］が２回繰り返されて、８−ｂｉｔ  ＨＡＲＱ−ＡＣＫｓ［ｂ０  ｂ１  ｂ２  ｂ３  ｂ０  ｂ１  ｂ２  ｂ３］が構成される。それに対し、端末に２つのＴＢのみスケジューリングされれば、最初のＴＢに含まれた４つのＣＢＧ遺体するＣＢＧ−基盤ＨＡＲＱ−ＡＣＫｓ［ｂ０  ｂ１  ｂ２  ｂ３］と２番目のＴＢに含まれた４つのＣＢＧに対するＨＡＲＱ−ＡＣＫｓ［ｃ０  ｃ１  ｃ２  ｃ３］を結合して、８−ｂｉｔ  ＨＡＲＱ−ＡＣＫｓ［ｂ０  ｂ１  ｂ２  ｂ３  ｃ０  ｃ１  ｃ２  ｃ３］が構成される。端末は、このように構成されたＨＡＲＱ−ＡＣＫを基地局に伝送する。
【０１４１】
一方、一つのＰＤＳＣＨから２つのＴＢが伝送される伝送モードでも、基地局が伝送するＴＢが含むＣＢＧの個数Ｍは、ＲＲＣ信号からなるＣＢＧの最大個数はＮより小さい。この際、Ｎ−ｂｉｔ  ＨＡＲＱ−ＡＣＫのうちＭ個のビット（ら）を除いた残りのＮ−Ｍ個のビット（ら）を構成する方法は上述した実施例のようである。
【０１４２】
一方、本発明の追加の実施例によると、ＣＢＧ（ら）に対するＣＢＧ−基盤ＨＡＲＱ−ＡＣＫ（ら）とフォールバック指示子（または、ＴＢ−基盤ＨＡＲＱ−ＡＣＫ）は、互いに異なるＰＵＣＣＨ資源を介して伝送される。図１６乃至図１９は、このように端末が互いに異なるＨＡＲＱ−ＡＣＫ資源を介してＣＢＧ−基盤ＨＡＲＱ−ＡＣＫ（ら）とフォールバック指示子を伝送する実施例を示す。
【０１４３】
まず、図１６は、ＣＢＧ−基盤ＨＡＲＱ−ＡＣＫ（ら）の伝送とフォールバック指示子（または、ＴＢ−基盤ＨＡＲＱ−ＡＣＫ）の伝送に体外に異なるＨＡＲＱ−ＡＣＫ資源を割り当てる例を示す。図１６を参照すると、基地局は端末に互いに異なる時間の２つのＨＡＲＱ−ＡＣＫ資源を割り当てる。互いに異なる時間の２つのＨＡＲＱ−ＡＣＫ資源は、それぞれＣＢＧ−基盤ＨＡＲＱ−ＡＣＫ（ら）の伝送とフォールバック指示子（または、ＴＢ−基盤ＨＡＲＱ−ＡＣＫ）の伝送のために使用される。本発明の実施例によると、フォールバック指示子（または、ＴＢ−基盤ＨＡＲＱ−ＡＣＫ）を伝送するための資源は、ＣＢＧ−基盤ＨＡＲＱ−ＡＣＫ（ら）を伝送するための資源より先になるように構成される。例えば、端末はスロットｎから受信されたＰＤＳＣＨに対するＨＡＲＱ−ＡＣＫ資源として、スロットｎ＋ｋ１（つまり、資源Ａ）とスロットｎ＋ｋ２（つまり、資源Ｂ）を割り当てられる（ここで、ｋ１＜ｋ２）。前記資源のうち、スロットｎ＋ｋ１の資源Ａはフォールバック指示子（または、ＴＢ−基盤ＨＡＲＱ−ＡＣＫ）を伝送するための資源であり、スロットｎ＋ｋ２の資源ＢはＣＢＧ−基盤ＨＡＲＱ−ＡＣＫ（ら）を伝送するための資源である。一方、資源Ｂを介して伝送されるＣＢＧ−基盤ＨＡＲＱ−ＡＣＫペイロードの長さは、伝送されるＣＢＧの個数、ＲＲＣ信号からなるＣＢＧの最大個数、または該当ＴＢが有し得るＣＢＧの個数のうちいずれか一つに基づいて構成される。
【０１４４】
図１７は、互いに異なるＨＡＲＱ−ＡＣＫ資源を介してＣＢＧ−基盤ＨＡＲＱ−ＡＣＫ（ら）とフォールバック指示子（または、ＴＢ−基盤ＨＡＲＱ−ＡＣＫ）を伝送される一実施例を示す。図１７の実施例によると、端末はＣＢＧ−基盤ＨＡＲＱ−ＡＣＫ（ら）とＴＢ−基盤ＨＡＲＱ−ＡＣＫのうちいずれか一つのみを選択的に伝送する。より詳しくは、ＣＢＧ−基盤通信からなる端末が基地局にＨＡＲＱ−ＡＣＫを伝送する状況において、ＣＢＧ（ら）に対するＨＡＲＱ−ＡＣＫ（ら）がいずれもＡＣＫまたはＮＡＣＫであれば、端末はＴＢ−基盤ＨＡＲＱ−ＡＣＫのみを伝送し、ＣＢＧ−基盤ＨＡＲＱ−ＡＣＫ（ら）は伝送しない。それに対し、ＣＢＧ（ら）に対するＨＡＲＱ−ＡＣＫ（ら）が少なくとも一つのＡＣＫと少なくとも一つのＮＡＣＫを含めば、端末はＣＢＧ−基盤ＨＡＲＱ−ＡＣＫ（ら）のみを伝送し、ＴＢ−基盤ＨＡＲＱ−ＡＣＫは伝送しない。
【０１４５】
端末は、ＣＢＧ−基盤ＨＡＲＱ−ＡＣＫ（ら）とフォールバック指示子（つまり、ＴＢ−基盤ＨＡＲＱ−ＡＣＫ）のうち伝送しようとするＨＡＲＱ−ＡＣＫの種類に応じて互いに異なる２つのＨＡＲＱ−ＡＣＫ資源のうち一つを選択し、選択された資源を介して該当ＨＡＲＱ−ＡＣＫを伝送する。図１７（ａ）に示したように、ＴＢ−基盤ＨＡＲＱ−ＡＣＫを伝送しようとする際、端末はスロットｎ＋ｋ１を介してＴＢ−基盤ＨＡＲＱ−ＡＣＫを伝送する。この際、端末はスロットｎ＋ｋ２を介してＣＢＧ−基盤ＨＡＲＱ−ＡＣＫ（ら）を伝送しない。一実施例によると、端末は、ＴＢ−ＣＲＣのチェックに成功すれば、ＴＢ−基盤ＨＡＲＱ−ＡＣＫとしてＡＣＫを伝送する。一方、端末は、いずれのＣＢ−ＣＲＣもチェックに成功したが、ＴＢ−ＣＲＣエラーが発生した場合にＴＢ−基盤ＨＡＲＱ−ＡＣＫとしてＮＡＣＫを伝送する。また、端末は、全てのＣＢＧの受信に失敗した場合（つまり、全てのＣＢーＣＲＣが失敗した場合）にも、ＴＢ−基盤ＨＡＲＱ−ＡＣＫとしてＮＡＣＫを伝送する。図１７（ｂ）に示したように、ＣＢＧ−基盤ＨＡＲＱ−ＡＣＫ（ら）を伝送しようとする際、端末はスロットｎ＋ｋ２を介してＣＢＧ−基盤ＨＡＲＱ−ＡＣＫ（ら）を伝送する。この際、端末はスロットｎ＋ｋ１を介してＴＢ−基盤ＨＡＲＱ−ＡＣＫを伝送しない。
【０１４６】
図１７の実施例において、基地局の動作は以下のようである。基地局は、スロットｎ＋ｋ１の資源Ａを介して端末のＴＢ−基盤ＨＡＲＱ−ＡＣＫ伝送を期待する。資源Ａを介して端末のＴＢ−基盤ＨＡＲＱ−ＡＣＫの受信に成功し、前記ＨＡＲＱ−ＡＣＫがＡＣＫであれば、基地局は端末がＴＢの受信に成功したと判断する。資源Ａを介して端末のＴＢ−基盤ＨＡＲＱ−ＡＣＫの受信に成功し、前記ＨＡＲＱ−ＡＣＫがＮＡＣＫであれば、基地局は端末が全てのＣＢＧ（または、全てのＣＢ）の受信に失敗したと判断する。よって、基地局は全てのＣＢＧ（または、全てのＣＢ）を再伝送する。資源Ａを介して端末のＴＢ−基盤ＨＡＲＱ−ＡＣＫの受信に成功したら、基地局は端末が資源Ｂ（つまり、スロットｎ＋ｋ２）を使用しないと判断する。よって、資源Ａを介して端末のＴＢ−基盤ＨＡＲＱ−ＡＣＫが伝送されれば、資源Ｂは他の目的で使用される。例えば、資源Ｂは他のユーザのＨＡＲＱ−ＡＣＫ伝送に使用されてもよい。一方、資源Ａを介して端末のＴＢ−基盤ＨＡＲＱ−ＡＣＫの受信に成功されなければ、基地局は端末がＣＢＧ−基盤ＨＡＲＱ−ＡＣＫ（ら）を伝送したと判断する。よって、基地局は、スロットｎ＋ｋ２の資源Ｂを介して端末のＣＢＧ−基盤ＨＡＲＱ−ＡＣＫ（ら）を受信する。基地局はＣＢＧ−基盤ＨＡＲＱ−ＡＣＫ（ら）に基づいて、端末が受信に失敗したＣＢＧ（ら）の再伝送を行う。
【０１４７】
図１８は、互いに異なるＨＡＲＱ−ＡＣＫ資源を介してＣＢＧ−基盤ＨＡＲＱ−ＡＣＫ（ら）とフォールバック指示子（または、ＴＢ−基盤ＨＡＲＱ−ＡＣＫ）を伝送される他の実施例を示す。図１８の実施例によると、端末は全てのＣＢＧの受信に成功したのか否かに応じて、ＴＢ−基盤ＨＡＲＱ−ＡＣＫのみで伝送するか、ＣＢＧ−基盤ＨＡＲＱ−ＡＣＫ（ら）とＴＢ−基盤ＨＡＲＱ−ＡＣＫを共に伝送する。
【０１４８】
図１８（ａ）に示したように、端末が全てのＣＢＧの受信に成功し、ＴＢ−ＣＲＣのチェックに成功すれば、端末はスロットｎ＋ｋ１を介してＴＢ−基盤ＨＡＲＱ−ＡＣＫとしてＡＣＫを伝送する。この際、端末はスロットｎ＋ｋ２を介してＣＢＧ−基盤ＨＡＲＱ−ＡＣＫ（ら）を伝送しない。図１８（ｂ）に示したように、端末が少なくとも一つのＣＢＧの受信に失敗するか、ＴＢ−ＣＲＣにエラーが発生すれば、端末はスロットｎ＋ｋ１を介してＴＢ−基盤ＨＡＲＱ−ＡＣＫとしてＮＡＣＫを伝送する。この際、端末はスロットｎ＋ｋ２を介してＣＢＧ−基盤ＨＡＲＱ−ＡＣＫ（ら）を伝送する。
【０１４９】
図１８の実施例において、基地局の動作は以下のようである。基地局は、スロットｎ＋ｋ１の資源Ａを介して端末のＴＢ−基盤ＨＡＲＱ−ＡＣＫ伝送を常に期待する。資源Ａを介して受信された端末のＴＢ−基盤ＨＡＲＱ−ＡＣＫがＡＣＫであれば、基地局は端末がＴＢの受信に成功し他と判断する。この場合、基地局は端末が資源Ｂ（つまり、スロットｎ＋ｋ２）を使用しないと判断する。よって、資源Ａを介して端末のＴＢ−基盤ＨＡＲＱ−ＡＣＫが伝送されれば、資源Ｂは他の目的で使用される。例えば、資源Ｂは他のユーザのＨＡＲＱ−ＡＣＫ伝送に使用されてもよい。資源Ａを介して端末のＴＢ−基盤ＨＡＲＱ−ＡＣＫの受信に成功し、前記ＨＡＲＱ−ＡＣＫがＮＡＣＫ（または、ＤＴＸ）であれば、基地局は端末が少なくとも一つのＣＢＧの受信に失敗したと判断する。この場合、基地局は資源Ｂを介して端末のＣＢＧ−基盤ＨＡＲＱ−ＡＣＫ（ら）を受信する。基地局はＣＢＧ−基盤ＨＡＲＱ−ＡＣＫ（ら）に基づいて、端末が受信に失敗したＣＢＧ（ら）の再伝送を行う。
【０１５０】
本発明の他の実施例によると、ＴＢ−基盤ＨＡＲＱ−ＡＣＫがＡＣＫである場合にも、端末のＴＢ−基盤ＨＡＲＱ−ＡＣＫとＣＢＧ−基盤ＨＡＲＱ−ＡＣＫ（ら）が共に伝送される。基地局は、資源Ａ及び資源Ｂを介してそれぞれＴＢ−基盤ＨＡＲＱ−ＡＣＫとＣＢＧ−基盤ＨＡＲＱ−ＡＣＫ（ら）を受信し、受信されたＨＡＲＱ−ＡＣＫを利用して端末の受信成功可否を判断する。例えば、ＴＢ−基盤ＨＡＲＱ−ＡＣＫがＡＣＫで、ＣＢＧ−基盤ＨＡＲＱ−ＡＣＫ（ら）がいずれもＡＣＫであれば、基地局は端末がＴＢの受信に成功したと判断する。しかし、ＴＢ−基盤ＨＡＲＱ−ＡＣＫがＡＣＫで、ＣＢＧ−基盤ＨＡＲＱ−ＡＣＫ（ら）がＡＣＫではなければ、基地局はＣＢＧ−基盤ＨＡＲＱ−ＡＣＫ（ら）に基づいてＣＢＧ−基盤再伝送を行う。他の方法として、ＴＢ−基盤ＨＡＲＱ−ＡＣＫがＡＣＫであれば、基地局はＣＢＧ−基盤ＨＡＲＱ−ＡＣＫの値にかかわらず、端末がＴＢの受信に成功したと判断する。
【０１５１】
もしＴＢ−基盤ＨＡＲＱ−ＡＣＫがＮＡＣＫであるにもかかわらず、資源Ｂを介してＣＢＧ−基盤ＨＡＲＱ−ＡＣＫ（ら）の受信に成功しなければ、基地局は端末が全てのＣＢＧの受信に失敗したと判断し、全てのＣＢＧを再伝送する。また他の実施例によると、ＴＢ−基盤ＨＡＲＱ−ＡＣＫがＮＡＣＫあるにもかかわらず、資源Ｂを介してＣＢＧ−基盤ＨＡＲＱ−ＡＣＫ（ら）の受信に成功しなければ、基地局はＴＢ−基盤ＨＡＲＱ−ＡＣＫでＡＣＫ-ｔｏ−ＮＡＣＫエラーが発生したとみなし、端末が該当ＴＢの受信に成功したと判断する。
【０１５２】
また、ＴＢ−基盤ＨＡＲＱ−ＡＣＫがＮＡＣＫで、ＣＢＧ−基盤ＨＡＲＱ−ＡＣＫ（ら）が全てＡＣＫであれば、基地局は端末が全てのＣＢＧの受信に失敗したと仮定し、全てのＣＢＧを再伝送する。更に他の実施例によると、ＴＢ−基盤ＨＡＲＱ−ＡＣＫがＮＡＣＫで、ＣＢＧ−基盤ＨＡＲＱ−ＡＣＫ（ら）が全てＡＣＫであれば、基地局はＴＢ−基盤ＨＡＲＱ−ＡＣＫでＡＣＫ-ｔｏ−ＮＡＣＫエラーが発生したとみなし、端末が該当ＴＢの受信に成功したと判断する。
【０１５３】
図１９は、ＴＢ−基盤ＨＡＲＱ−ＡＣＫの伝送とＣＢＧ−基盤ＨＡＲＱ−ＡＣＫ（ら）の伝送との間に端末が該当ＴＢに対する再伝送をスケジューリングするＰＤＣＣＨを受信する実施例を示す。より詳しくは、端末がスロットｎ＋ｋ１の資源Ａを介してＴＢ−基盤ＨＡＲＱ−ＡＣＫを伝送し、スロットｎ＋ｋ２の資源Ｂを介してＣＢＧ−基盤ＨＡＲＱ−ＡＣＫ（ら）を伝送しようとする際、該当ＴＢに対する再伝送をスケジューリングするＰＤＣＣＨがスロットｎ＋ｋ２以前のスロットｎ＋ｋ３を介して受信される（つまり、ｋ３＜ｋ２）。この場合、端末はスロットｎ＋ｋ２を介してＣＢＧ−基盤ＨＡＲＱ−ＡＣＫ（ら）を伝送しない。このように、基地局はＴＢに対する再伝送をスケジューリングするＰＤＣＣＨをＣＢＧ−基盤ＨＡＲＱ−ＡＣＫ（ら）を伝送するためのスロットｎ＋ｋ２以前に伝送すれば、スロットｎ＋ｋ２の資源Ｂは他の目的で使用される。例えば、資源Ｂは他のユーザのＨＡＲＱ−ＡＣＫ伝送に使用されてもよい。
【０１５４】
本発明の実施例によると、基地局は多様な方法で端末にスロットｎ＋ｋ１の資源Ａとスロットｎ＋ｋ２の資源Ｂに関する情報を指示する。一実施例によると、基地局はＤＣＩを介してオフセットｋ１とオフセットｋ２をそれぞれ独立して指示する。他の実施例によると、基地局はオフセットｋ１とオフセットｋ２の差の値を端末に予め知らせるか固定し、オフセットｋ１とオフセットｋ２のいずれか一つのみをＤＣＩを介して指示する。端末はＤＩＣを介して指示されたいずれか一つのオフセットと予め知られている（または、固定されている）オフセットの差の値を利用して、オフセットｋ１とオフセットｋ２の値を獲得する。この際、獲得されたオフセットのうち小さい値がＴＢ−基盤ＨＡＲＱ−ＡＣＫを伝送するためのオフセットとして使用され、オフセットのうち大きい値がＣＢＧ−基盤ＨＡＲＱ−ＡＣＫ（ら）を伝送するためのオフセットとして使用される。
【０１５５】
端末にＨＡＲＱ−ＡＣＫ多重化が構成されていれば、前記実施例において、スロットｎ＋ｋ１の資源Ａを介して伝送されるＴＢ−基盤ＨＡＲＱ−ＡＣＫは一つまたは複数個のＴＢに対するＴＢ−基盤ＨＡＲＱ−ＡＣＫが多重化されたものである。また、前記実施例において、スロットｎ＋ｋ２の資源Ｂを介して伝送されるＣＢＧ−基盤ＨＡＲＱ−ＡＣＫ（ら）は一つまたは複数個のＴＢに対するＣＢＧ−基盤ＨＡＲＱ−ＡＣＫが多重化されたものである。一実施例によると、資源Ｂを介して伝送されるＣＢＧ−基盤ＨＡＲＱ−ＡＣＫ（ら）は、ＴＢ−基盤ＨＡＲＱ−ＡＣＫとしてＮＡＣＫが伝送されたＴＢに対するＣＢＧ−基盤ＨＡＲＱ−ＡＣＫビットを多重化して生成される。つまり、資源Ａを介して伝送されるＴＢ−基盤ＨＡＲＱ−ＡＣＫとしてＡＣＫが伝送されたＴＢに対しては、資源Ｂを介してＣＢＧ−基盤ＨＡＲＱ−ＡＣＫ伝送が行われない。
【０１５６】
一方、上述した実施例において、資源はスロット単位を基準に説明したが、本発明はこれに限らない。つまり、Ｓｈｏｒｔ−ＰＵＣＣＨ伝送などの状況において、上述した実施例のスロットはＯＦＤＭシンボルに切り替えられる。この際、ＯＦＤＭシンボルｎ＋ｋ１及び／またはＯＦＤＭシンボルｎ＋ｋ２は、ＰＵＣＣＨが始まるＯＦＤＭシンボルである。
【０１５７】
また、上述した実施例では、ｋ１＜ｋ２と仮定している。しかし、本発明の他の実施例によると、オフセットｋ１とオフセットｋ２は同じ値と設定されてもよい（つまり、ｋ＝ｋ１＝ｋ２）。つまり、ＴＢ−基盤ＨＡＲＱ−ＡＣＫの伝送地ＣＢＧ−基盤ＨＡＲＱ−ＡＣＫ（ら）の伝送に同じ時間のＨＡＲＱ−ＡＣＫ資源が割り当てられてもよい。端末が一つのＰＤＳＣＨから２つのＴＢが伝送される伝送モードで構成されれば、端末は同じスロットｎ＋ｋに構成された資源Ａと資源Ｂのうち一つの資源を選択してＨＡＲＱ−ＡＣＫ伝送を行う。一実施例によると、一つのＰＤＳＣＨを介して伝送された２つのＴＢに対するＨＡＲＱ−ＡＣＫがいずれもＡＣＫであれば、端末はスロットｎ＋ｋの資源Ａを介してＴＢ−基盤ＨＡＲＱ−ＡＣＫとして［ＡＣＫ  ＡＣＫ］を伝送する。この際、端末はスロットｎ＋ｋの資源Ｂは使用しなくてもよい。もし一つのＰＤＳＣＨを介して伝送された２つのＴＢに対するＨＡＲＱ−ＡＣＫがいずれもＡＣＫではなければ、端末はスロットｎ＋ｋの資源Ｂを介して前記２つのＴＢに含まれたＣＢＧに対するＣＢＧ−基盤ＨＡＲＱ−ＡＣＫを伝送する。この際、端末はスロットｎ＋ｋの資源Ａは使用しなくてもよい。
【０１５８】
本発明の追加の実施例によると、複数のＴＢに対するＣＢＧ−基盤ＨＡＲＱ−ＡＣＫが多重化されれば、ペイロードの長さを減らすために圧縮された（ｃｏｍｐｒｅｓｓｅｄ）ＣＢＧ−基盤ＨＡＲＱ−ＡＣＫが使用される。つまり、元の（ｏｒｉｇｉｎａｌ）ＣＢＧ−基盤ＨＡＲＱ−ＡＣＫからペイロードの長さを縮小して圧縮されたＣＢＧ−基盤ＨＡＲＱ−ＡＣＫが使用される端末は決められた規則に従って元のＣＢＧ−基盤ＨＡＲＱ−ＡＣＫから圧縮されたＣＢＧ−基盤ＨＡＲＱ−ＡＣＫを生成し、前記圧縮されたＣＢＧ−基盤ＨＡＲＱ−ＡＣＫを基地局に伝送する。
【０１５９】
圧縮されたＣＢＧ−基盤ＨＡＲＱ−ＡＣＫを生成する第１実施例は以下のようである。基地局は、一つのＴＢに対する全体のＣＢＧ−基盤ＨＡＲＱ−ＡＣＫ状態のうち、元もよく発生すると期待される状態を選択して、端末がこれをシグナリングするようにする。ここで、ＣＢＧ−基盤ＨＡＲＱ−ＡＣＫ状態とは、元のＣＢＧ−基盤ＨＡＲＱ−ＡＣＫが有し得るビットの組み合わせを指す。つまり、４−ｂｉｔ  ＣＢＧ−基盤ＨＡＲＱ−ＡＣＫは計１６個の状態、つまり、［ＡＣＫ  ＡＣＫ  ＡＣＫ  ＡＣＫ］〜［ＮＡＣＫ  ＮＡＣＫ  ＮＡＣＫ  ＮＡＣＫ］の状態を有する。基地局は、前記のような元のＣＢＧ−基盤ＨＡＲＱ−ＡＣＫ状態のうちからＰ個の状態を選択する。つまり、ＰＤＳＣＨを介して伝送される全体ＴＢの個数をＩとしたら、ｉ番目のＴＢの下のＣＢＧ−基盤ＨＡＲＱ−ＡＣＫ状態は、Ｐ個の状態のうちＰｉ番目の状態にマッピングされる。この場合、端末は全体Ｉ個のＴＢ（ら）に対する前記マッピングされたＰｉを以下の数式を介して多重化してＵを獲得し、前記Ｕを２進法に変換して、全体のＴＢ（ら）に対する圧縮されたＣＢＧ−基盤ＨＡＲＱ−ＡＣＫ（ら）を獲得する。
【０１６０】
【数７】
2020529780.tif 000016
【０１６１】
基地局は、端末から圧縮されたＣＢＧ−基盤ＨＡＲＱ−ＡＣＫ（ら）を受信し、前記圧縮されたＣＢＧ−基盤ＨＡＲＱ−ＡＣＫ（ら）をＰ−進法に変換して、各ＴＢにマッピングされたＣＢＧ−基盤ＨＡＲＱ−ＡＣＫ状態情報Ｐｉを獲得する。
【０１６２】
一実施例によると、前記Ｐの値と基地局が選択したＰ個のＣＢＧ−基盤ＨＡＲＱ−ＡＣＫ状態の情報は、基地局が端末に伝送するＲＲＣ信号を介して構成される。他の実施例によると、前記Ｐの値は端末が伝送し得るＰＵＣＣＨの容量、及び端末が伝送すべきＴＢの個数（またはＰＤＳＣＨの個数）のうち少なくとも一つに基づいて決定される。また、Ｐ個のＣＢＧ−基盤ＨＡＲＱ−ＡＣＫ状態を決定するために、全体のＣＢＧ−基盤ＨＡＲＱ−ＡＣＫ状態は予め設定された順番によって予め配列される。一実施例によると、予め設定された順番は、全体のＣＢＧ−基盤ＨＡＲＱ−ＡＣＫ状態のうち各状態の発生頻度に基づいて決定される。例えば、隣接したＣＢＧの受信エラーを示すＣＢＧ−基盤ＨＡＲＱ−ＡＣＫ状態は、非隣接ＣＢＧの受信エラーを示すＣＢＧ−基盤ＨＡＲＱ−ＡＣＫ状態より高い順番に決定される。全体のＣＢＧ−基盤ＨＡＲＱ−ＡＣＫ状態のうちＰ個の状態は、このように予め配列された順番に基づいて選択される。
【０１６３】
表８は、Ｐ個のＣＢＧ−基盤ＨＡＲＱ−ＡＣＫ状態を決定する一実施例を示す。表８の実施例では、４つのＣＢＧ−基盤ＨＡＲＱ−ＡＣＫビットに基づく計１６個の元のＣＢＧ−基盤ＨＡＲＱ−ＡＣＫ状態のうちからＰ個の状態が決定される。ここで、Ｐが２、４、６、９、１１、１４、または１６である場合の選択されたＰ個のＣＢＧ−基盤ＨＡＲＱ−ＡＣＫ状態の情報を例示している。
【０１６４】
【表８】
2020529780.tif 000017
【０１６５】
選択されたＰ個の状態それぞれは、予め配列された順番に基づいてｐｉ番目の状態にインデクシングされる。上述したように、各ＴＢは元のＣＢＧ−基盤ＨＡＲＱ−ＡＣＫ状態は、Ｐ個の状態のうちｐｉ番目の状態にマッピングされる。元のＣＢＧ−基盤ＨＡＲＱ−ＡＣＫ状態の個数をＮとしたら、Ｎ対Ｐのマッピングが行われる。本発明の実施例によると、元のＣＢＧ−基盤ＨＡＲＱ−ＡＣＫ状態は、前記元の状態のＮＡＣＫビットを基準にｐｉ番目の状態にマッピングされる。つまり、元のＣＢＧ−基盤ＨＡＲＱ−ＡＣＫ状態において、ＮＡＣＫビットは、マッピングされたｐｉ番目のＣＢＧ−基盤ＨＡＲＱ−ＡＣＫ状態でもＮＡＣＫであるべきである。例えば、元のＣＢＧ−基盤ＨＡＲＱ−ＡＣＫ状態において、２番目のビットがＮＡＣＫ（つまり、０）であれば、前記元の状態がマッピングされ得る状態は２番目のビットがＮＡＣＫである状態、つまり、［００００］、［０００１］、［００１０］、［００１１］、［１０００］、［１００１］、［１０１０］、及び［１０１１］のうちいずれか一つである。
【０１６６】
圧縮されたＣＢＧ−基盤ＨＡＲＱ−ＡＣＫを生成する第2実施例は以下のようである。ＲＲＣ信号からなるＣＢＧの最大個数はＮとし、基地局が伝送するＴＢが含むＣＢＧ（ら）の個数はＭとする。この際、Ｎ−ｂｉｔ  ＨＡＲＱ−ＡＣＫのうちＭ個のビット（ら）は、各ＣＢＧの受信成功可否を示すＣＢＧ−基盤ＨＡＲＱ−ＡＣＫ（つまり、Ｍ−ｂｉｔ  ＣＢＧ−基盤ＨＡＲＱ−ＡＣＫ）である。基地局は、一つのＴＢに対する元のＣＢＧ−基盤ＨＡＲＱ−ＡＣＫペイロードの長さをＲＲＣ信号からなるＣＢＧの最大個数に基づいて構成される。つまり、一つのＴＢに対する元のＣＢＧ−基盤ＨＡＲＱ−ＡＣＫはＮビットからなる。この際、元のＣＢＧ−基盤ＨＡＲＱ−ＡＣＫは［ｂ０、ｂ１、…、ｂＭ−１、Ｘ０、Ｘ１、…、ＸＮ−Ｍ−１］で表される。つまり、元のＣＢＧ−基盤ＨＡＲＱ−ＡＣＫはＭ−ｂｉｔ  ＣＢＧ−基盤ＨＡＲＱ−ＡＣＫ［ｂ０、ｂ１、…、ｂＭ−１］と、残りのＮ−Ｍ個のビット（ら）［Ｘ０、Ｘ１、…、ＸＮ−Ｍ−１］からなる。この際、Ｘｍは固定された値（例えば、ＡＣＫまたはＮＡＣＫ）からなるか、Ｍ−ｂｉｔ  ＣＢＧ−基盤ＨＡＲＱ−ＡＣＫの値に基づいて構成される。これに対する具体的な方法は上述した実施例のようである。
【０１６７】
ＨＡＲＱ−ＡＣＫペイロードの長さを減らすために、基地局は端末に圧縮されたＣＢＧ−基盤ＨＡＲＱ−ＡＣＫの使用を指示する。基地局は、ＲＲＣ信号やＰＤＣＣＨを介して前記指示情報をシグナリングする。圧縮されたＣＢＧ−基盤ＨＡＲＱ−ＡＣＫの使用を指示する情報を端末が受信されば、端末はＮビットからなる元のＣＢＧ−基盤ＨＡＲＱ−ＡＣＫをＬビットからなる圧縮されたＣＢＧ−基盤ＨＡＲＱ−ＡＣＫに減らす。
【０１６８】
もしＬがＭより大きいか同じであれば、圧縮されたＣＢＧ−基盤ＨＡＲＱ−ＡＣＫは［ｂ０、ｂ１、…、ｂＭ−１、Ｙ０、Ｙ１、…、ＹＬ−Ｍ−１］で表される。つまり、圧縮されたＣＢＧ−基盤ＨＡＲＱ−ＡＣＫはＭ−ｂｉｔ  ＣＢＧ−基盤ＨＡＲＱ−ＡＣＫ［ｂ０、ｂ１、…、ｂＭ−１］と、残りのＬ−Ｍ個のビット（ら）［Ｙ１、…、ＹＬ−Ｍ−１］からなる。よって、Ｍ−ｂｉｔ  ＣＢＧ−基盤ＨＡＲＱ−ＡＣＫは圧縮されたＣＢＧ−基盤ＨＡＲＱ−ＡＣＫにそのまま含まれ、残りのビット（ら）のみＮ−Ｍ個からＬ−Ｍ個に減るようになる。つまり、Ｍ−ｂｉｔ  ＣＢＧ−基盤ＨＡＲＱ−ＡＣＫは、圧縮されたＣＢＧ−基盤ＨＡＲＱ−ＡＣＫに保存される。この際、Ｙｍは固定された値（例えば、ＡＣＫまたはＮＡＣＫ）からなるか、Ｍ−ｂｉｔ  ＣＢＧ−基盤ＨＡＲＱ−ＡＣＫの値に基づいて構成される。
【０１６９】
もしＬがＭより小さければ、圧縮されたＣＢＧ−基盤ＨＡＲＱ−ＡＣＫには［ａ０、ａ１、…、ａＭ−１］からなる。この際、圧縮されたＣＢＧ−基盤ＨＡＲＱ−ＡＣＫには元のＣＢＧ−基盤ＨＡＲＱ−ＡＣＫから残りのＮ−Ｍ個のビット（ら）を除いて、Ｍ−ｂｉｔ  ＣＢＧ−基盤ＨＡＲＱ−ＡＣＫ［ｂ０、ｂ１、…、ｂＭ−１］の少なくとも一部を組み合わせて生成される。一実施例によると、圧縮されたＣＢＧ−基盤ＨＡＲＱ−ＡＣＫ［ａ０、ａ１、…、ａＭ−１］において、ｋ＝０〜Ｌ−２のａｋはｂｋ＊ｗ、ｂｋ＊ｗ＋１、…、ｂ（ｋ＋１）＊ｗ−１がいずれも１（つまり、ＡＣＫ）であれば１（つまり、ＡＣＫ）であり、そうでなければ０（つまり、ＮＡＣＫ）になる。また、ｋ＝Ｌ−１のａｋはｂｋ＊ｗ、ｂｋ＊ｗ＋１、…、ｂＭ−１がいずれも１（つまり、ＡＣＫ）であれば１（つまり、ＡＣＫ）であり、そうでなければ０（つまり、ＮＡＣＫ）になる。ここで、ｖ＝ｆｌｏｏｅｒ（Ｍ／Ｌ）である。
【０１７０】
例えば、Ｎ＝８、Ｍ＝４で、残りのＮ−Ｍ個のビット（つまり、４ｂｉｔｓ）は常に０（つまり、ＮＡＣＫ）を伝送すると仮定する。また、元のＣＢＧ−基盤ＨＡＲＱ−ＡＣＫが［１０１１００００］と仮定する。元のＣＢＧ−基盤ＨＡＲＱ−ＡＣＫから４ビットの圧縮されたＣＢＧ−基盤ＨＡＲＱ−ＡＣＫを生成すれば、圧縮されたＣＢＧ−基盤ＨＡＲＱ−ＡＣＫは［１０１１］になる。つまり、４ｂｉｔｓ  ＣＢＧ−基盤ＨＡＲＱ−ＡＣＫ［１０１１］は、ペイロードの長さを４ビットまで減らせても圧縮されたＣＢＧ−基盤ＨＡＲＱ−ＡＣＫで保存される。それに対し、元のＣＢＧ−基盤ＨＡＲＱ−ＡＣＫから２ビットの圧縮されたＣＢＧ−基盤ＨＡＲＱ−ＡＣＫを生成すれば、圧縮されたＣＢＧ−基盤ＨＡＲＱ−ＡＣＫは［０１］になる。この場合、４ｂｉｔｓ  ＣＢＧ−基盤ＨＡＲＱ−ＡＣＫ［１０１１］は圧縮されたＣＢＧ−基盤ＨＡＲＱ−ＡＣＫで保存されない。圧縮されたＣＢＧ−基盤ＨＡＲＱ−ＡＣＫ［０１］は、４ｂｉｔｓ  ＣＢＧ−基盤ＨＡＲＱ−ＡＣＫ［１０１１］を２ビットずつ束ねて生成される。
【０１７１】
以下の実施例では、コンポーネントキャリア単位の伝送情報を仮定する。本発明の一実施例において、コンポーネントキャリアはセルという用語に切り替えられる。本発明の実施例では、説明の便宜上、キャリア集成を使用した伝送を説明する。但し、キャリア集成を使用するＴＤＤ方式のシステムの場合、コンポーネントキャリアはＨＡＲＱ−ＡＣＫが多重化されるサブフレーム（または、スロット）の全てのコンポーネントキャリアを指す。端末は、一つ以上のコンポーネントキャリア（ら）からＰＤＳＣＨ（ら）を受信し、それに対する応答としてＨＡＲＱ−ＡＣＫビットシーケンスを生成する。前記ＨＡＲＱ−ＡＣＫビットシーケンスは、一つ以上のコンポーネントキャリア（ら）の各コンポーネントキャリアに対するＨＡＲＱ−ＡＣＫビット（ら）を結合して生成される。本発明の実施例において、ＨＡＲＱ−ＡＣＫ情報ビット（ら）、ＨＡＲＱ−ＡＣＫコードブック（ｃｏｄｅｂｏｏｋ）、ＨＡＲＱ−ＡＣＫコードワード（ｃｏｄｅｗｏｒｄ）、ＨＡＲＱ−ＡＣＫペイロードなどの用語に切り替えられる。また、以下の実施例において、ＴＢ−基盤伝送（またはＰＤＳＣＨ）に対するＨＡＲＱ−ＡＣＫビットシーケンスは、ＴＢ−基盤ＨＡＲＱ−ＡＣＫビットシーケンスと、ＣＢＧ−基盤伝送（またはＰＤＳＣＨ）に対するＨＡＲＱ−ＡＣＫビットシーケンスは、ＣＢＧ−基盤ＨＡＲＱ−ＡＣＫビットシーケンスとそれぞれ称される。
【０１７２】
キャリア集成が使用されれば、各コンポーネントキャリアは互いに異なる伝送方式からなる。つまり、第１コンポーネントキャリアは１つのＴＢ伝送からなり、第２コンポーネントキャリアは２つのＴＢの伝送からなる。それだけでなく、３ＧＰＰ  ＮＲシステムでは、上述したようにＴＢ−基盤伝送と共にＣＢＧ−基盤伝送が支援される。つまり、第１コンポーネントキャリアはＴＢ−基盤伝送からなり、第２コンポーネントキャリアはＣＢＧ−基盤伝送からなる。
【０１７３】
一方、端末はセルフ−キャリアスケジューリング及びクロス−キャリアスケジューリングのうち、端末に構成された方式に応じて特定コンポーネントキャリアでＰＤＣＣＨをモニタリングし、ＰＤＣＣＨの情報に基づいてＰＤＳＣＨを受信する。また、端末は各コンポーネントキャリアからＰＤＳＣＨを介して伝送されたＴＢに対するＨＡＲＱ−ＡＣＫをＰＵＣＣＨ（または、ＰＵＳＣＨ）を介して伝送する。しかし、端末は基地局が構成したコンポーネントキャリアのうち一部のコンポーネントキャリアにスケジューリングされたＰＤＣＣＨのデコーディングに失敗する可能性がある（つまり、ＤＴＸが発生）。この際、端末は該当コンポーネントキャリアのＨＡＲＱ−ＡＣＫ（ら）を除外し、デコーディングに成功したコンポーネントキャリアのＨＡＲＱ−ＡＣＫ（ら）のみをＰＵＣＣＨ（または、ＰＵＳＣＨ）に伝送する。しかし、端末が一部のコンポーネントキャリアのＨＡＲＱ−ＡＣＫ（ら）の伝送を除外すれば、基地局と端末との間のＨＡＲＱ−ＡＣＫフィードバックの解釈に誤差が発生する恐れがある。このような問題を解決するために、ＬＴＥ−Ａ  Ｒｅｌ．１３では、ＤＡＩを利用してＤＴＸを検出する方法が使用されている。
【０１７４】
図２０は、各コンポーネントキャリアにマッピングされたＤＡＩ値の一実施例を示す図である。図２０を参照すると、それぞれのＰＤＳＣＨをスケジューリングするＰＤＣＣＨは、カウンタ−ＤＡＩ（カウンタ−ＤＡＩ）とトータル−ＤＡＩ（ｔｏｔａｌ）を含む。カウンタ−ＤＡＩは、最初のコンポーネントキャリア（つまり、コンポーネントキャリア＃０）から現在のコンポーネントキャリアまでスケジューリングされたＰＤＳＣＨ（ら）の累積個数を示す。また、トータル−ＤＡＩは、全体のコンポーネントキャリアにスケジューリングＰＤＳＣＨの総個数を示す。カウンタ−ＤＡＩフィールドがＡ個のビットからなれば、カウンタ−ＤＡＩは０から２Ａ＊ｎ−１個の値を有する（ここで、ｎは自然数）。もし最初のコンポーネントキャリアから現在のコンポーネントキャリアまでスケジューリングされたＰＤＳＣＨ（ら）の個数をＣとすると、カウンタ−ＤＡＩの値は（Ｃ−１）ｍｏｄ２Ａと設定される。同じく、トータル−ＤＡＩフィールドがＢ個のビットからなれば、トータル−ＤＡＩは０から２Ｂ＊ｍ−１個の値を有する（ここで、ｍは自然数）。もし全体のコンポーネントキャリアにスケジューリングされたＰＤＳＣＨ（ら）の個数をＴとすると、トータル−ＤＡＩの値は（Ｔ−１）ｍｏｄ２Ｂと設定される。端末はＰＤＣＣＨをデコーディングすることで、該当ＰＤＣＣＨがスケジューリング下ＰＤＳＣＨが伝送された順番を識別する。この際、端末は該当ＰＤＳＣＨが伝送された順番に応じてＰＤＳＣＨのＨＡＲＱ−ＡＣＫを伝送する。
【０１７５】
図２０を参照すると、８つのコンポーネントキャリアまで併合して使用し得る端末に、基地局がコンポーネントキャリア＃０、＃１、＃３、＃４、＃５、及び＃７を介してＰＤＳＣＨを伝送する。コンポーネントキャリアにスケジューリングされたＰＤＳＣＨの総個数が６であるため、トータル−ＤＡＩの値は５に設定される。よって、コンポーネントキャリア＃０、＃１、＃３、＃４、＃５、及び＃７の（カウンタ−ＤＡＩ、トータル−ＤＡＩ）値はそれぞれ（０、５）、（１、５）、（２、５）、（３、５）、（４、５）、（５、５）と設定される。コンポーネントキャリア＃３を介して伝送されたＰＤＣＣＨのデコーディングに失敗したら、端末はコンポーネントキャリア＃１を介して伝送されたＰＤＣＣＨのカウンタ−ＤＡＩ値とコンポーネントキャリア＃４を介して伝送されたＰＤＣＣＨのカウンタ−ＤＡＩ値に基づいて、一つのＰＵＣＣＨの受信（及びそれに対応する一つのＰＤＳＣＨの受信）に失敗したことを識別する。  また、コンポーネントキャリア＃７を介して伝送されたＰＤＣＣＨのデコーディングに失敗したら、端末はコンポーネントキャリア＃５を介して伝送されたＰＤＣＣＨのカウンタ−ＤＡＩ値とトータル−ＤＡＩ値に基づいて、一つのＰＤＳＣＨがコンポーネントキャリア＃５の後にスケジューリングされたが受信に成功しなったことを識別する。
【０１７６】
前記のようにＤＡＩを利用すれば、端末は受信に成功したＰＤＳＣＨの順番と受信に失敗したＰＤＳＣＨの順番を識別することができる。しかし、端末は受信に失敗したＰＤＳＣＨが含むＴＢの個数は知らないため、ＨＡＲＱ−ＡＣＫビットシーケンスを決定することができない。これを解決するために、２つの方法が使用される。第１方法は、全てのＰＤＳＣＨに空間バンドリング（ｓｐａｔｉａｌ  ｂｕｎｄｌｉｎｇ）を適用することである。言い換えると、２つのＴＢが伝送されるＰＤＳＣＨのための２−ｂｉｔ  ＨＡＲＱ−ＡＣＫを束ねて１−ｂｉｔにすることである。このような方法は追加のＵＣＩオーバーベッドがないが、伝送性が落ちる恐れがある。第２方法は、空間バンドリングを適用せず、ＰＤＳＣＨが２つのＴＢを含んでいると仮定することである。言い換えると、この方法は１つのＴＢが伝送されるＰＤＳＣＨのためにも２−ｂｉｔ  ＨＡＲＱ−ＡＣＫが伝送される。この方法は追加のＵＣＩオーバーベッドを発生する短所がある。
【０１７７】
一方、上述したように、３ＧＰＰ  ＮＲシステムではＴＢ−基盤伝送とＣＢＧ−基盤伝送が共に支援される。端末が複数のコンポーネントキャリアに対するＨＡＲＱ−ＡＣＫビットを多重化して伝送するように構成されれば、基地局はコンポーネントキャリアごとにＣＢＧ−基盤伝送が可能であるのか否かを端末に知らせる。しかし、ＣＢＧ−基盤伝送を構成するコンポーネントキャリアではＴＢ−基盤伝送が行われてもよい。よって、端末は特定コンポーネントキャリアではＴＢ−基盤伝送のみを期待し、他の特定のコンポーネントキャリアではＴＢ−基盤伝送とＣＢＧ−基盤伝送の両方を期待する。端末は、各コンポーネントキャリアにスケジューリングされた全てのＰＤＣＣＨの成功に受信しなければ、上りリンクに伝送するＨＡＲＱ−ＡＣＫビットシーケンスを決定することができない。
【０１７８】
基地局と端末との間のＨＡＲＱ−ＡＣＫビットシーケンスの決定及び解釈エラーを防止するために、本発明の一実施例によると上述したＤＡＩが使用される。ＣＢＧ−基盤伝送に対する応答としてＮ個のＨＡＲＱ−ＡＣＫビットが必要であると仮定すれば、端末と基地局はＰＤＣＣＨのデコーディングに失敗したら発生し得るＨＡＲＱ−ＡＣＫビットシーケンスの解釈エラーを防ぐために、以下の３つの方法を使用する。
【０１７９】
第１方法によると、基地局が端末にキャリア集成と共に少なくとも一つのコンポーネントキャリアでＣＢＧ−基盤伝送を構成すれば、端末にスケジューリングされた全てのＰＤＳＣＨにはＣＢＧ−基盤伝送が行われると仮定する。つまり、基地局が特定コンポーネントキャリアから端末にＴＢ−基盤伝送を行った場合でも、端末はＮ−ｂｉｔ  ＨＡＲＱ−ＡＣＫをフィードバックする。ここで、Ｎは端末に構成された一つのＴＢ当たりのＣＢＧの最大個数である。しかし、第１方法の場合、ＰＵＣＣＨのオーバーヘッドが過度に大きいという短所がある。例えば、Ｎ＝４であれば１ｂｉｔ  ＨＡＲＱ−ＡＣＫが４ｂｉｔｓに増加するために、最大３００％のオーバーヘッドが発生し得る。
【０１８０】
第２方法によると、基地局が端末にキャリア集成と共に少なくとも一つのコンポーネントキャリアでＣＢＧ−基盤伝送を構成すれば、端末にスケジューリングされた全てのＰＤＳＣＨにはＴＢ−基盤伝送が行われると仮定する。この場合、端末はＰＤＳＣＨに対する応答として１−ｂｉｔまたは２−ｂｉｔのＨＡＲＱ−ＡＣＫをフィードバックするように固定される。しかし、第２方法の場合、端末が基地局からＣＢＧ−基盤伝送を構成されて実際にＣＢＧ−基盤伝送が行われるとしても、ＣＢＧ−基盤伝送によるＨＡＲＱ−ＡＣＫフィードバック情報を使用することができないため、ＣＢＧ−基盤伝送の性能利得を得ることができない。
【０１８１】
第３方法によると、基地局がキャリア集成の際に端末にコンポーネントキャリアごとに個別にＣＢＧ−基盤伝送の遂行か非を構成すれば、端末にスケジューリングされたＰＤＳＣＨには該当コンポーネントキャリアにＣＢＧ−基盤伝送が構成されているのか否かと、ＰＤＳＣＨをスケジューリングＤＣＩに応じてＣＢＧ−基盤伝送またはＴＢ−基盤伝送が行われると仮定する。つまり、基地局が端末に特定コンポーネントキャリアでＣＢＧ−基盤伝送を構成すれば、基地局が前記特定コンポーネントキャリアから端末にＴＢ−基盤伝送を行った場合であっても、端末はＮ−ｂｉｔ  ＨＡＲＱ−ＡＣＫをフィードバックする。ここで、Ｎは端末に構成された一つのＴＢ当たりのＣＢＧの最大個数である。基地局が端末に特定コンポーネントキャリアからＣＢＧ−基盤伝送を構成しなければ、端末は前記特定コンポーネントキャリアにスケジューリングされたＰＤＳＣＨにはＴＢ−基盤伝送が行われると仮定し、１−ｂｉｔまたは２−ｂｉｔのＨＡＲＱ−ＡＣＫをフィードバックするように固定される。
【０１８２】
上述したように、ＨＡＲＱ−ＡＣＫ多重化を使用する端末にＴＢ−基盤伝送とＣＢＧ−基盤伝送が共に構成されていれば、基地局と端末との間のＨＡＲＱ−ＡＣＫビットシーケンスの解釈エラーを防止するためのシグナリング方式が提供される。本発明の一実施例によると、端末は一つ以上のコンポーネントキャリア（ら）から各コンポーネントキャリアのＰＤＳＣＨスケジューリング情報を指示するＰＤＣＣＨを受信する。また、端末は前記ＰＤＣＣＨを介してＤＣＩを受信する。この際、一つ以上のコンポーネントキャリア（ら）では、少なくとも一つのコンポーネントキャリアにはＣＢＧ−基盤伝送が構成される。また、一つ以上のコンポーネントキャリア（ら）では、少なくとも一つのＴＢ−基盤伝送と少なくとも一つのＣＢＧ−基盤伝送が構成される。端末はＤＣＩのＤＣＩフォーマットに基づいて、各コンポーネントキャリアにおける伝送方式を識別する。この際、伝送方式はＴＢ−基盤伝送またはＣＢＧ−基盤伝送のうちいずれか一つである。一方、端末はＰＤＣＣＨを介してＤＡＩを受信する。前記ＤＡＩは、上述したようにカウンタ−ＤＡＩとトータル−ＤＡＩを含む。
【０１８３】
端末はＰＤＣＣＨのスケジューリング情報に基づいて一つ以上のコンポーネントキャリア（ら）から各コンポーネントキャリアのＰＤＳＣＨを受信し、各コンポーネントキャリアのＰＤＳＣＨの受信に対する応答としてＨＡＲＱ−ＡＣＫビットシーケンスを生成する。この際、端末はＤＡＩを参照してＨＡＲＱ−ＡＣＫビットシーケンスを生成する。ＨＡＲＱ−ＡＣＫビットシーケンスは、ＴＢ−基盤伝送に対するＨＡＲＱ−ＡＣＫビットシーケンス（つまり、ＴＢ−基盤ＨＡＲＱ−ＡＣＫビットシーケンス）と、ＣＢＧ−基盤伝送に対するＨＡＲＱ−ＡＣＫビットシーケンス（つまり、ＣＢＧ−基盤ＨＡＲＱ−ＡＣＫビットシーケンス）のうち少なくとも一つを含む。本発明の実施例によると、ＤＡＩはＴＢ−基盤ＨＡＲＱ−ＡＣＫビットシーケンスとＣＢＧ−基盤ＨＡＲＱ−ＡＣＫビットシーケンスにそれぞれ別途に適用される。また、ＨＡＲＱ−ＡＣＫビットシーケンス内で、ＴＢ−基盤ＨＡＲＱ−ＡＣＫビットシーケンスはＣＢＧ−基盤ＨＡＲＱ−ＡＣＫビットシーケンスより先に位置する。
【０１８４】
端末は、各セルの識別された伝送方式に基づいて、前記一つ以上のセル（ら）に対するＨＡＲＱ−ＡＣＫビットシーケンスを生成する。つまり、ＨＡＲＱ−ＡＣＫビットシーケンス内で、ＴＢ−基盤ＨＡＲＱ−ＡＣＫビットシーケンスとＣＢＧ−基盤ＨＡＲＱ−ＡＣＫビットシーケンスはそれぞれに生成される。この際、ＴＢ−基盤ＨＡＲＱ−ＡＣＫビットシーケンスでは一つのＴＢ当たり一つのＨＡＲＱ−ＡＣＫビットが生成され、ＣＢＧ−基盤ＨＡＲＱ−ＡＣＫビットシーケンスでは一つのＴＢ当たりＮ個のＨＡＲＱ−ＡＣＫビット（ら）が生成される。つまり、ＣＢＧ−基盤ＰＤＳＣＨに対するＨＡＲＱ−ＡＣＫビット（ら）は、実際にＰＤＳＣＨにスケジューリングされて伝送されるＣＢＧ（ら）の個数にかかわれず同じく一つのＴＢ当たりＮ個のビットを有するように構成される。
【０１８５】
本発明の実施例によると、前記Ｎは端末に構成された一つのＴＢ当たりのＣＢＧの最大個数である。他の実施例によると、Ｎは基地局がＨＡＲＱ−ＡＣＫ多重化のために構成した値である。追加の実施例によると、一つ以上のコンポーネントキャリア（ら）において、ＣＢＧ−基盤伝送が構成された特定コンポーネントキャリアを介して伝送されたＣＢＧ（ら）の個数ＭがＮより少なければ、前記特定コンポーネントキャリアに対するＨＡＲＱ−ＡＣＫビット（ら）は前記伝送されたＣＢＧ（ら）に対するＨＡＲＱ−ＡＣＫビット（ら）が繰り返されて構成される。また、前記一つ以上のコンポーネントキャリア（ら）において、ＣＢＧ−基盤伝送が構成された特定コンポーネントキャリアを介して伝送されたＣＢＧ（ら）の個数Ｍが前記Ｎより少なければ、前記特定コンポーネントキャリアに対するＨＡＲＱ−ＡＣＫビット（ら）は前記伝送されたＣＢＧ（ら）に対するＭ個のＨＡＲＱ−ＡＣＫビット（ら）とＮ−Ｍ個のＮＡＣＫ（ら）からなる。端末は、このように生成ＨＡＲＱ−ＡＣＫビットシーケンスを基地局に伝送する。
【０１８６】
端末がＰＤＣＣＨを受信すれば、端末はＰＤＳＣＨがスケジューリングスルＰＤＳＣＨにＴＢ−基盤伝送が適用されるのか、またはＣＢＧ−基盤伝送が適用されるのかを識別する。端末はＰＤＣＣＨを介して受信されたＤＣＩの情報に基づいて、各コンポーネントキャリア（つまり、ＰＤＳＣＨ）における伝送方式を識別する。例えば、伝送方式情報はＤＣＩで明示的な１−ｂｉｔにシグナリングされるか、ＤＣＩに含まれた他の情報の組み合わせを介して類推される。また、各コンポーネントキャリアにおける伝送方式は、ＤＣＩのＤＣＩフォーマットに基づいて識別される。互いに異なる伝送方式には互いに異なるＤＣＩフォーマットが使用される。互いに異なるＤＣＩフォーマットは、ＤＣＩに含まれた情報大きさが異なる。つまり、互いに異なるＤＣＩフォーマットは、ＤＣＩペイロードの長さが異なる。また、互いに異なるＤＣＩフォーマットでは互いに異なるＲＮＴＩでＣＲＣがスクランブリングされる。また、ＣＢＧ−基盤ＰＤＳＣＨをスケジューリングするＰＤＣＣＨが受信されれば、端末は該当ＰＤＳＣＨが全体のＣＢＧのうちいかなるCCB（ら）からなっているのかをＤＣＩに明示された情報を介して識別する。
【０１８７】
以下、各図面を参照して、ＰＤＳＣＨの受信に対する応答としてＨＡＲＱ−ＡＣＫビットシーケンスを生成する具体的な実施例を説明する。それぞれの実施例において、基地局が構成した一つ以上のコンポーネントキャリア（ら）から、少なくとも一つのコンポーネントキャリア（つまり、セル）にはＣＢＧ−基盤伝送が構成されていると仮定する。例えば、一つ以上のコンポーネントキャリア（ら）では、少なくとも一つのＴＢ−基盤伝送と少なくとも一つのＣＢＧ−基盤伝送が構成される。また、各図面の実施例において、以前図面の実施例と同じであるか相応する部分は重複する説明を省略する。本発明の実施例では、叙述の便宜上、それぞれのインデックスまたはカウンタの値は０から１ずつ増加すると仮定する。但し、本発明の実施例はこれに限らず、前記インデックスまたはカウンタの値は、予め設定された値（例えば、１）から１ずつ増加してもよい。
【０１８８】
図２１及び図２２は、本発明の第１実施例によるＤＡＩシグナリング方法及びそれに基づくＨＡＲＱ−ＡＣＫビットシーケンス生成方法を示す図である。本発明の実施例によると、ＤＡＩはＴＢ−基盤ＨＡＲＱ−ＡＣＫビットシーケンスとＣＢＧ−基盤ＨＡＲＱ−ＡＣＫビットシーケンスにそれぞれ別途に適用される。よって、基地局は伝送方式別にそれぞれ独立したカウンタ−ＤＡＩとトータル−ＤＡＩ値を生成する。基地局はＰＤＳＣＨの伝送方式によるカウンタ−ＤＡＩとトータル−ＤＡＩの値を、該当ＰＤＳＣＨをスケジューリングするＰＤＣＣＨのカウンタ−ＤＡＩフィールドとトータル−ＤＡＩフィールドを介して伝送される。端末は基地局が伝送したＰＤＣＣＨを介してＤＣＩを受信し、前記ＤＣＩの情報に応じて伝送方式（ＴＢ−基盤伝送またはＣＢＧ−基盤伝送）を区分し、それに当たるＤＡＩを受信する。端末は、受信されたＤＡＩを参照して該当伝送方式のＨＡＲＱ−ＡＣＫビットシーケンスを生成する。この際、端末は、ＰＤＣＣＨを介して受信されたカウンタ−ＤＡＩとトータル−ＤＡＩがそれぞれＰＤＣＣＨがスケジューリング下ＰＤＳＣＨの伝送方法に対するカウンタ−ＤＡＩとトータル−ＤＡＩと解釈する。表９は、本発明の第１実施例によって生成されたカウンタ−ＤＡＩとトータル−ＤＡＩを端末が解釈する方法を示す。
【０１８９】
【表９】
2020529780.tif 000018
【０１９０】
表９を参照すると、ＴＢ−基盤ＰＤＳＣＨをスケジューリングＰＤＣＣＨのカウンタ−ＤＡＩフィールドとトータル−ＤＡＩフィールドは、それぞれＴＢ−基盤伝送のためのカウンタ−ＤＡＩとトータル−ＤＡＩを示す。また、ＣＢＧ−基盤ＰＤＳＣＨをスケジューリングうるＰＤＣＣＨのカウンタ−ＤＡＩとトータル−ＤＡＩは、それぞれＣＢＧ−基盤伝送のためのカウンタ−ＤＡＩとトータル−ＤＡＩを示す。
【０１９１】
まず、ＴＢ−基盤伝送のためのカウンタ−ＤＡＩは、最初のコンポーネントキャリア（つまり、＃０）から以前のコンポーネントキャリアまでスケジューリングされたＴＢ−基盤ＰＤＳＣＨ（ら）の累積個数を示す。この場合、カウンタ−ＤＡＩの値がＣであれば、以前のコンポーネントキャリアまでスケジューリングされたＴＢ−基盤ＰＤＳＣＨ（ら）の累積個数はＣである。同じ方法で、ＴＢ−基盤伝送のためのカウンタ−ＤＡＩは、最初のコンポーネントキャリア（つまり、ＣＣ＃０）から現在のコンポーネントキャリアまでスケジューリングされたＴＢ−基盤ＰＤＳＣＨ（ら）の累積個数を示す。この場合、カウンタ−ＤＡＩの値がＣであれば、現在のコンポーネントキャリアまでスケジューリングされたＴＢ−基盤ＰＤＳＣＨ（ら）の累積個数はＣ＋１である。また、ＴＢ−基盤伝送のためのトータル−ＤＡＩは、全体のコンポーネントキャリアにスケジューリングされたＴＢ−基盤ＰＤＳＣＨの総個数を示す。もしトータル−ＤＡＩの値がＴであれば、全体のコンポーネントキャリアにスケジューリングされたＴＢ−基盤ＰＤＳＣＨの総個数はＴ＋１である。
【０１９２】
次に、ＣＢＧ−基盤伝送のためのカウンタ−ＤＡＩは、最初のコンポーネントキャリア（つまり、＃０）から以前のコンポーネントキャリアまでスケジューリングされたＣＢＧ−基盤ＰＤＳＣＨ（ら）の累積個数を示す。この場合、カウンタ−ＤＡＩの値がＣであれば、以前のコンポーネントキャリアまでスケジューリングされたＣＢＧ−基盤ＰＤＳＣＨ（ら）の累積個数はＣである。同じ方法で、ＣＢＧ−基盤伝送のためのカウンタ−ＤＡＩは、最初のコンポーネントキャリア（つまり、ＣＣ＃０）から現在のコンポーネントキャリアまでスケジューリングされたＣＢＧ−基盤ＰＤＳＣＨ（ら）の累積個数を示す。この場合、カウンタ−ＤＡＩの値がＣであれば、現在のコンポーネントキャリアまでスケジューリングされたＣＢＧ−基盤ＰＤＳＣＨ（ら）の累積個数はＣ＋１である。また、ＣＢＧ−基盤伝送のためのトータル−ＤＡＩは、全体のコンポーネントキャリアにスケジューリングされたＣＢＧ−基盤ＰＤＳＣＨの総個数を示す。もしトータル−ＤＡＩの値がＴであれば、全体のコンポーネントキャリアにスケジューリングされたＣＢＧ−基盤ＰＤＳＣＨの総個数はＴ＋１である。
【０１９３】
図２１は、上述した第１実施例によるＤＡＩシグナリング方法を示す図である。図２０を参照すると、端末にコンポーネントキャリア＃０、＃１、＃３、＃４、＃５、及び＃７を介してＰＤＳＣＨが伝送される。このうち、コンポーネントキャリア＃０、＃３、＃５、及び＃７を介してはＣＢＧ−基盤ＰＤＳＣＨが伝送され、コンポーネントキャリア＃１及び＃４を介してはＴＢ−基盤ＰＤＳＣＨが伝送される。全体のコンポーネントキャリアにスケジューリングされたＣＢＧ−基盤ＰＤＳＣＨの総個数は４であるため、ＣＢＧ−基盤伝送のためのトータル−ＤＡＩフィールドの値は３に設定される。また、ＣＢＧ−基盤伝送のためのカウンタ−ＤＡＩフィールドの値は、現在のコンポーネントキャリアまでスケジューリングされたＣＢＧ−基盤ＰＤＳＣＨ（ら）の累積個数に基づいて０から増加する値に設定される。よって、ＣＢＧ−基盤ＰＤＳＣＨが伝送されるコンポーネントキャリア＃０、＃３、＃５、及び＃７のためのＰＤＣＣＨの（カウンタ−ＤＡＩ、トータル−ＤＡＩ）フィールドの値は、それぞれ（０、３）、（１、３）、（２、３）、及び（３、３）である。同じく、全体のコンポーネントキャリアにスケジューリングされたＴＢ−基盤ＰＤＳＣＨの総個数は２であるため、ＴＢ−基盤伝送のためのトータル−ＤＡＩフィールドの値は１に設定される。また、ＴＢ−基盤伝送のためのカウンタ−ＤＡＩフィールドの値は、現在のコンポーネントキャリアまでスケジューリングされたＴＢ−基盤ＰＤＳＣＨ（ら）の累積個数に基づいて０から増加する値に設定される。よって、ＴＢ−基盤ＰＤＳＣＨが伝送されるコンポーネントキャリア＃１及び＃４のためのＰＤＣＣＨの（カウンタ−ＤＡＩ、トータル−ＤＡＩ）フィールドの値は、それぞれ（０、１）及び（１、１）である。
【０１９４】
端末は、ＰＤＳＣＨをスケジューリングするＰＤＣＣＨを受信し、ＰＤＳＣＨの伝送方式を識別する。例えば、端末はＰＤＣＣＨを受信されたＤＣＩのＤＣＩフォーマットに基づいてＰＤＳＣＨの伝送方式を識別する。この際、端末は受信されたＰＤＣＣＨのカウンタ−ＤＡＩフィールドとトータル−ＤＡＩフィールドの値を、それぞれＰＤＣＣＨがスケジューリングするＰＤＳＣＨの伝送方式に対するカウンタ−ＤＡＩとトータル−ＤＡＩと解釈する。例えば、図２１の実施例において、コンポーネントキャリア＃３を介して伝送されるＰＤＳＣＨをスケジューリングするＰＤＣＣＨが受信されれば、端末はキャリア＃３を介してＣＢＧ−基盤ＰＤＳＣＨが伝送されることを識別し、前記ＰＤＣＣＨのカウンタ−ＤＡＩフィールドとトータル−ＤＡＩフィールドの値をそれぞれＣＢＧ−基盤伝送のためのカウンタ−ＤＡＩとトータル−ＤＡＩと解釈する。受信された（カウンタ−ＤＡＩ、トータル−ＤＡＩ）フィールドの値が（１、３）であるため、端末は全体のコンポーネントキャリアに計４つのＣＢＧ−基盤ＰＤＳＣＨが割り当てられており、コンポーネントキャリア＃３を介して伝送されるＰＤＳＣＨが２番目のＣＢＧ−基盤ＰＤＳＣＨであることを識別する。
【０１９５】
もしコンポーネントキャリアインデックスの増加に応じてＣＢＧ−基盤伝送のためのカウンタ−ＤＡＩ値が順次に増加しなければ、（つまり、０→１→２→３…の順番ではなければ）、端末はＣＢＧ−基盤伝送をスケジューリングする一部のＰＤＣＣＨの受信に失敗したと判別する。また、ＣＢＧ−基盤伝送をスケジューリングするＰＤＣＣＨのうち、受信に成功した最後のＰＤＣＣＨのカウンタ−ＤＡＩとトータル−ＤＡＩ値が互いに異なれば、端末は前記最後のＰＤＣＣＨの後にＣＢＧ−基盤伝送をスケジューリングする少なくとも一つのＰＤＣＣＨの受信に失敗したと判別する。この際、受信に成功した最後のＰＤＣＣＨの後に受信に失敗したＣＢＧ−基盤伝送をスケジューリングするＰＤＣＣＨの個数は、前記最後のＰＤＣＣＨのトータル−ＤＡＩ値とカウンタ−ＤＡＩ値の差を介して識別される。このようなカウンタ−ＤＡＩ値とトータル−ＤＡＩ値の解釈方法は、ＴＢ−基盤伝送のためのカウンタ−ＤＡＩ値及びトータル−ＤＡＩ値の解釈にも同じく適用される。
【０１９６】
図２１を参照すると、端末はＣＢＧ−基盤伝送がスケジューリングされたコンポーネントキャリア＃３及び＃７を介して伝送されたＰＤＣＣＨのデコーディングに失敗し、ＣＢＧ−基盤伝送がスケジューリングされた残りのコンポーネントキャリア＃０及び＃５を介して伝送されたＰＤＣＣＨのデコーディングに成功する。この際、端末はＣＢＧ−基盤伝送のためのカウンタ−ＤＡＩ値としてそれぞれ０、２を受信する。よって、端末はＣＢＧ−基盤伝送をスケジューリングするＰＤＣＣＨのうち、カウンタ−ＤＡＩ＝１に当たるＰＤＣＣＨの受信に失敗したことを識別する。また、ＣＢＧ−基盤伝送のためのトータル−ＤＡＩ値として３が受信されるが、ＣＢＧ−基盤伝送をスケジューリングするＰＤＣＣＨのうち受信に成功した最後のＰＤＣＣＨのカウンタ−ＤＡＩ値が２であるため、最後のＰＤＣＣＨのトータル−ＤＡＩ値とカウンタ−ＤＡＩ値の差は１である。よって、端末は前記最後のＰＤＣＣＨの後、ＣＢＧ−基盤伝送をスケジューリングする１つのＰＤＣＣＨの受信に失敗したことを識別する。
【０１９７】
図２２は、上述した第1実施例によってシグナリングされたＤＡＩに基づいてＨＡＲＱ−ＡＣＫビットシーケンスを生成する方法を示す図である。本発明の実施例によると、端末は各コンポーネントキャリアのＰＤＳＣＨの受信に対する応答として、全体のコンポーネントキャリアに対するＨＡＲＱ−ＡＣＫビットシーケンスを生成する。この際、端末は各コンポーネントキャリアの識別された伝送方式に基づいてＨＡＲＱ−ＡＣＫビットシーケンスを生成する。上述したように、ＨＡＲＱ−ＡＣＫビットシーケンスは、ＴＢ−基盤ＨＡＲＱ−ＡＣＫビットシーケンスとＣＢＧ−基盤ＨＡＲＱ−ＡＣＫビットシーケンスを含む。また、端末は各コンポーネントキャリアのＰＤＳＣＨをスケジューリングするＰＤＣＣＨのＤＡＩを参照してＨＡＲＱ−ＡＣＫビットシーケンスを生成する。この際、ＤＡＩはＴＢ−基盤ＨＡＲＱ−ＡＣＫビットシーケンスとＣＢＧ−基盤ＨＡＲＱ−ＡＣＫビットシーケンスにそれぞれ別途に適用される。
【０１９８】
より詳しくは、端末は各ＣＢＧ−基盤伝送に対するＮ−ｂｉｔ  ＨＡＲＱ−ＡＣＫをＣＢＧ−基盤伝送のカウンタ−ＤＡＩ値の順に結合して、ＣＢＧ−基盤ＨＡＲＱ−ＡＣＫビットシーケンスを生成する。ＣＢＧ−基盤ＨＡＲＱ−ＡＣＫビットシーケンスにおいて、各ビットは一つのＣＢＧの受信成功可否を示す。本発明の実施例によると、ＣＢＧ−基盤ＨＡＲＱ−ＡＣＫビットシーケンスでは一つのＴＢ当たりＮ個のＨＡＲＱ−ＡＣＫビット（ら）が生成されるが、前記Ｎは端末に構成されたＴＢ当たりＣＢＧの最大個数である。また、端末は各ＴＢ−基盤伝送に対する１または２−ｂｉｔ  ＨＡＲＱ−ＡＣＫをＴＢ−基盤伝送のカウンタ−ＤＡＩ値の順に結合して、ＴＢ−基盤ＨＡＲＱ−ＡＣＫビットシーケンスを生成する。ちなみに、ＴＢ−基盤伝送に対するＨＡＲＱ−ＡＣＫは、空間バンドリングが適用されれば一つのＰＤＳＣＨ当たり１−ｂｉｔに構成され、空間バンドリングが適用されなければ一つのＰＤＳＣＨ当たり最大２−ｂｉｔに構成される。図２２の実施例では、各ＴＢ−基盤伝送に対するＨＡＲＱ−ＡＣＫとして１−ｂｉｔ  ＨＡＲＱ−ＡＣＫが伝送されると仮定する。
【０１９９】
本発明の追加の実施例によると、端末がＣＢＧ−基盤伝送をスケジューリングするＰＤＣＣＨ一つも受信しなければ、ＨＡＲＱ−ＡＣＫビットシーケンスからＣＢＧ−基盤ＨＡＲＱ−ＡＣＫビットシーケンスは除外される。つまり、ＨＡＲＱ−ＡＣＫビットシーケンスはＴＢ−基盤ビットシーケンスのみからなる。同じく、端末がＴＢ−基盤伝送をスケジューリングするＰＤＣＣＨ一つも受信しなければ、ＨＡＲＱ−ＡＣＫビットシーケンスからＴＢ−基盤ＨＡＲＱ−ＡＣＫビットシーケンスは除外される。つまり、ＨＡＲＱ−ＡＣＫビットシーケンスはＣＢＧ−基盤ビットシーケンスのみからなる。端末は、ＣＢＧ−基盤ＨＡＲＱ−ＡＣＫビットシーケンスとＴＢ−基盤ＨＡＲＱ−ＡＣＫビットシーケンスを結合して、全体のＨＡＲＱ−ＡＣＫビットシーケンスを構成する。本発明の実施例によると、端末はＣＢＧ−基盤ＨＡＲＱ−ＡＣＫビットシーケンスをＴＢ−基盤ＨＡＲＱ−ＡＣＫビットシーケンスの次に添付して、全体のＨＡＲＱ−ＡＣＫビットシーケンスを構成する。図２２を参照すると、端末が構成したＨＡＲＱ−ＡＣＫビットシーケンスは、［ｘ０（０）、ｘ１（０）、…、ｘＮ−１（０）、ｘ０（１）、ｘ１（１）、…、ｘＮ−１（１）、ｘ０（２）、ｘ１（２）、…、ｘＮ−１（２）、ｘ０（３）、ｘ１（３）、…、ｘＮ−１（３）、ｙ０（０）、ｙ０（１）］である。ここで、ｘはＣＢＧ−基盤ＨＡＲＱ−ＡＣＫビットであり、ｙはＴＢ−基盤ＨＡＲＱ−ＡＣＫビットである。また、上付き添え字は該当ＣＢＧまたはＴＢからなるＰＤＳＣＨをスケジューリングするＰＤＣＣＨのカウンタ−ＤＡＩ値を示し、下付き添え字はＰＤＳＣＨ内で該当ＣＢＧまたはＴＢの昇順の順番を示す。
【０２００】
一方、上述した第１実施例によると、端末が全体のＨＡＲＱ−ＡＣＫビットシーケンスを構成するために、端末はＴＢ−基盤伝送のための少なくとも一つＤＡＩとＣＢＧ−基盤伝送のための少なくとも一つのＤＡＩを受信すべきである。つまり、端末は、ＣＢＧ−基盤伝送をスケジューリングする少なくとも一つのＰＤＣＣＨと、ＴＢ−基盤伝送をスケジューリングする少なくとも一つのＰＤＣＣＨを受信すべきである。もし端末が一つの伝送方式に対しるＰＤＣＣＨのみを受信すれば、他の伝送方式に対するスケジューリング情報が識別されない。例えば、端末がＴＢ−基盤伝送をスケジューリングするＰＤＣＣＨを一つの成功的に受信しなければ、端末はＴＢ−基盤伝送のためのＰＤＣＣＨの伝送可否を知ることができないため、ＴＢ−基盤ＨＡＲＱ−ＡＣＫビットシーケンスを生成しない。この場合、基地局と端末との間のＨＡＲＱ−ＡＣＫビットシーケンスの解釈に対するエラーが発生する恐れがあるため、これを解決するための方法が必要である。
【０２０１】
図２３は、本発明の第２実施例によるＤＡＩシグナリング方法を示す図である。本発明の第２実施例によると、基地局はＰＤＳＣＨの伝送方式によるカウンタ−ＤＡＩ値を該当ＰＤＳＣＨをスケジューリングするＰＤＣＣＨのカウンタ−ＤＡＩ値フィールドを介して伝送し、カウンタ−ＤＡＩ値に基づいてＴＢ−基盤伝送のためのトータル−ＤＡＩ値、またはＣＢＧ−基盤伝送のためのトータル−ＤＡＩ値のうちいずれか一つを前記ＰＤＣＣＨのトータル−ＤＡＩフィールドを介して伝送する。つまり、本発明の第２実施例によると、カウンタ−ＤＡＩフィールドは該当ＰＤＳＣＨの伝送方式によるカウンタ−ＤＡＩ値をシグナリングするが、トータル−ＤＡＩフィールドはカウンタ−ＤＡＩ値に応じて該当ＰＤＳＣＨの伝送方式によるトータル−ＤＡＩ値、または他の伝送方式によるトータル−ＤＡＩ値を選択的にシグナリングする。一実施例によると、カウンタ−ＤＡＩ値が偶数であればトータル−ＤＡＩフィールドは該当ＰＤＳＣＨの伝送方式によるトータル−ＤＡＩ値を示し、カウンタ−ＤＡＩ値が奇数であればトータル−ＤＡＩフィールドは該当ＰＤＳＣＨの伝送方式ではなく他の伝送方式によるトータル−ＤＡＩ値を示す。
【０２０２】
端末は、基地局が伝送したＰＤＣＣＨを介してＤＣＩを受信し、前記ＤＣＩのＤＣＩフォーマットにおけるＤＡＩを受信する。端末は、受信されたＤＡＩを参照してＨＡＲＱ−ＡＣＫビットシーケンスを生成する。この際、端末は、ＰＤＣＣＨを介して受信されたカウンタ−ＤＡＩをＰＤＣＣＨがスケジューリング下ＰＤＳＣＨの伝送方法に対するカウンタ−ＤＡＩと解釈する。一方、端末はＰＤＣＣＨを介して受信されたトータル−ＤＡＩがＴＢ−基盤伝送のためのトータル−ＤＡＩであるのか、またはＴＢ−基盤伝送のためのトータル−ＤＡＩであるのかを、前記カウンタ−ＤＡＩ値に基づいて識別する。表１０は、本発明の第2実施例によって生成されたカウンタ−ＤＡＩとトータル−ＤＡＩを端末が解釈する方法を示す。
【０２０３】
【表１０】
2020529780.tif 000019
【０２０４】
表１０を参照すると、ＴＢ−基盤ＰＤＳＣＨをスケジューリングするＰＤＣＣＨのカウンタ−ＤＡＩフィールドはＴＢ−基盤伝送のためのカウンタ−ＤＡＩを示し、ＣＢＧ−基盤ＰＤＳＣＨをスケジューリングするＰＤＣＣＨのカウンタ−ＤＡＩフィールドはＣＢＧ−基盤伝送のためのカウンタ−ＤＡＩを示す。一方、ＴＢ−基盤ＰＤＳＣＨをスケジューリングするＰＤＣＣＨのトータル−ＤＡＩフィールドは、前記ＰＤＣＣＨのカウンタ−ＤＡＩフィールドの値が偶数であればＴＢ−基盤伝送のためのトータル−ＤＡＩを示し、前記ＰＤＣＣＨのカウンタ−ＤＡＩフィールドの値が奇数であればＣＢＧ−基盤伝送のためのトータル−ＤＡＩを示す。同じく、ＣＢＧ−基盤ＰＤＳＣＨをスケジューリングするＰＤＣＣＨのトータル−ＤＡＩフィールドは、前記ＰＤＣＣＨのカウンタ−ＤＡＩフィールドの値が偶数であればＣＢＧ−基盤伝送のためのトータル−ＤＡＩを示し、前記ＰＤＣＣＨのカウンタ−ＤＡＩフィールドの値が奇数であればＴＢ−基盤伝送のためのトータル−ＤＡＩを示す。一方、ＴＢ−基盤伝送のためのカウンタ−ＤＡＩとトータル−ＤＡＩ、及びＣＢＧ−基盤伝送のためのカウンタ−ＤＡＩとトータル−ＤＡＩが示す情報は、上述した第１実施例のようである。
【０２０５】
図２３は、上述した第２実施例によるＤＡＩシグナリング方法を示す図である。図２３の実施例において、各コンポーネントキャリアを介してＣＢＧ−基盤ＰＤＳＣＨとＴＢ−基盤ＰＤＳＣＨが伝送される状況は、上述した第１実施例のようである。この際、全体のコンポーネントキャリアにスケジューリングされたＣＢＧ−基盤ＰＤＳＣＨの総個数は４であり、全体のコンポーネントキャリアにスケジューリングされたＴＢ−基盤ＰＤＳＣＨの総個数は２である。第２実施例によって、ＣＢＧ−基盤伝送のためのＤＡＩにおいて、カウンタ−ＤＡＩ値が偶数であればトータル−ＤＡＩフィールドの値は３に設定され、カウンタ−ＤＡＩ値が奇数であればトータル−ＤＡＩフィールドの値は１に設定される。よって、ＣＢＧ−基盤ＰＤＳＣＨが伝送されるコンポーネントキャリア＃０、＃３、＃５、及び＃７のためのＰＤＣＣＨの（カウンタ−ＤＡＩ、トータル−ＤＡＩ）フィールドの値は、それぞれ（０、３）、（１、１）、（２、３）、及び（３、１）である。同じく、ＴＢ−基盤伝送のためのＤＡＩにおいて、カウンタ−ＤＡＩ値が偶数であればトータル−ＤＡＩフィールドの値は１に設定され、カウンタ−ＤＡＩ値が奇数であればトータル−ＤＡＩフィールドの値は３に設定される。よって、ＴＢ−基盤ＰＤＳＣＨが伝送されるコンポーネントキャリア＃１及び＃４のためのＰＤＣＣＨの（カウンタ−ＤＡＩ、トータル−ＤＡＩ）フィールドの値は、それぞれ（０、１）及び（１、３）である。
【０２０６】
端末は、ＰＤＳＣＨをスケジューリングするＰＤＣＣＨを受信し、ＰＤＳＣＨの伝送方式を識別する。この際、端末は受信されたＰＤＣＣＨのカウンタ−ＤＡＩフィールドの値をＰＤＣＣＨがスケジューリングするＰＤＳＣＨの伝送方式に対するカウンタ−ＤＡＩと解釈する。それに対し、端末は受信されたＰＤＣＣＨのトータル−ＤＡＩフィールドの値を再尺する際、カウンタ−ＤＡＩ値が偶数であれば該当ＰＤＳＣＨの伝送方式によるトータル−ＤＡＩと解釈し、カウンタ−ＤＡＩ値が奇数であれば該当ＰＤＳＣＨの伝送方式ではなく他の伝送方式によるトータル−ＤＡＩと解釈する。例えば、図２３の実施例において、コンポーネントキャリア＃３を介して伝送されるＰＤＳＣＨをスケジューリングするＰＤＣＣＨが受信されれば、端末はキャリア＃３を介してＣＢＧ−基盤ＰＤＳＣＨが伝送されることを識別し、前記ＰＤＣＣＨのカウンタ−ＤＡＩフィールの値をそれぞれＣＢＧ−基盤伝送のためのカウンタ−ＤＡＩと解釈する。この際、カウンタ−ＤＡＩフィールドの値が奇数であるため、端末は前記ＰＤＣＣＨのトータル−ＤＡＩフィールドの値をＴＢ−基盤伝送のためのトータル−ＤＡＩと解釈する。受信された（カウンタ−ＤＡＩ、トータル−ＤＡＩ）フィールドの値が（１、１）であるため、端末はコンポーネントキャリア＃３を介して伝送されるＰＤＳＣＨが２番目のＣＢＧ−基盤ＰＤＳＣＨであり、ぜんたいのコンポーネントキャリアに計２個のＴＢ−基盤ＰＤＳＣＨが割り当てられていることを識別する。
【０２０７】
端末がカウンタ−ＤＡＩ及び／またはトータル−ＤＡＩに基づいて、ＣＢＧ−基盤伝送またはＴＢ−基盤伝送をスケジューリングするＰＤＣＣＨの受信に失敗したと判別する方法は、上述した第１実施例と類似している。但し、端末は特定伝送方式のためのトータル−ＤＡＩを獲得するために、カウンタ−ＤＡＩフィールド値が偶数である際のＰＤＣＣＨでトータル−ＤＡＩフィールドを参照すべきである。よって、上述した第１実施例において、最後のＰＤＣＣＨのトータル−ＤＡＩ値は、カウンタ−ＤＡＩフィールドの値が偶数であるＰＤＣＣＨのトータル−ＤＡＩ値に切り替えられるべきである。一方、端末は特定伝送方式のためのトータル−ＤＡＩを獲得するために、他の伝送方式のＰＤＳＣＨをスケジューリングするＰＤＣＣＨから、カウンタ−ＤＡＩフィールド値が奇数である際のトータル−ＤＡＩフィールドを参照する。端末は、このように獲得された伝送方式のためのトータル−ＤＡＩを参照して、少なくとも一部のＰＤＣＣＨの受信に失敗したのか否かを判別する。
【０２０８】
一方、上述した第２実施例によると、端末は一つの伝送方法のＰＤＳＣＨをスケジューリングするＰＤＣＣＨのみを受信しても他の伝送方式にスケジューリングされたＰＤＳＣＨの個数を知ることができる。よって、特定伝送方式のＰＤＳＣＨをスケジューリングするＰＤＣＣＨの受信に全て失敗しても、基地局と端末との間のＨＡＲＱ−ＡＣＫビットシーケンスの解釈に対するエラーを防止することができる。例えば、ＴＢ−基盤伝送をスケジューリングする一つのＰＤＣＣＨが伝送され、端末が該当ＰＤＣＣＨの受信に失敗しても、端末はＣＢＧ−基盤伝送をスケジューリングするＰＤＣＣＨを介してＴＢ−基盤ＰＤＳＣＨのスケジューリングされた個数を識別することができる。しかし、たった一つのＰＤＣＣＨのみが成功的に受信される状況では、依然として基地局と端末との間のＨＡＲＱ−ＡＣＫビットシーケンスの解釈に対するエラーが発生する恐れがある。
【０２０９】
図２４は、本発明の第3実施例によるＤＡＩシグナリング方法を示す図である。本発明の第３実施例によると、基地局はＴＢ−基盤伝送とＣＢＧ−基盤伝送それぞれのための独立したカウンタ−ＤＡＩを生成し、前記２つの伝送方式に共に使用される共通のトータル−ＤＡＩを生成する。基地局はＰＤＳＣＨの伝送方式によるカウンタ−ＤＡＩ値を該当ＰＤＳＣＨをスケジューリングするＰＤＣＣＨのカウンタ−ＤＡＩフィールドを介して伝送し、共通のトータル−ＤＡＩ値を全てのＰＤＣＣＨのトータル−ＤＡＩフィールドを介して伝送する。つまり、本発明の第３実施例によると、カウンタ−ＤＡＩフィールドは該当ＰＤＳＣＨの伝送方式によるカウンタ−ＤＡＩ値をシグナリングするが、トータル−ＤＡＩフィールドはＴＢ−基盤伝送のためのトータル−ＤＡＩ値とＣＢＧ−基盤伝送のためのトータル−ＤＡＩ値のうちいずれか一つのみをシグナリングする。端末は、ＰＤＣＣＨを介して受信されたカウンタ−ＤＡＩをＰＤＣＣＨがスケジューリング下ＰＤＳＣＨの伝送方法に対するカウンタ−ＤＡＩと解釈する。また、端末は、ＰＤＣＣＨを介して受信されたトータル−ＤＡＩを全ての伝送方式に共通に適用されるトータル−ＤＡＩと解釈する。表１１は、本発明の第３実施例によって生成されたカウンタ−ＤＡＩとトータル−ＤＡＩを端末が解釈する方法を示す。
【０２１０】
【表１１】
2020529780.tif 000020
【０２１１】
表１１を参照すると、ＴＢ−基盤ＰＤＳＣＨをスケジューリングするＰＤＣＣＨのカウンタ−ＤＡＩフィールドと、ＣＢＧ−基盤伝送をスケジューリングするＰＤＣＣＨのカウンタ−ＤＡＩフィールドがそれぞれ示す情報は、上述した第１実施例及び第２実施例のようである。しかし、ＴＢ−基盤ＰＤＳＣＨをスケジューリングするＰＤＣＣＨのトータル−ＤＡＩフィールドとＣＢＧ−基盤ＰＤＳＣＨをスケジューリングするＰＤＣＣＨのトータル−ＤＡＩフィールドは、いずれも共通のトータル−ＤＡＩを示す。共通のトータル−ＤＡＩ値は多様な実施例によって決定される。もし全体のコンポーネントキャリアで少なくとも一つのＴＢ−基盤ＰＤＳＣＨと少なくとも一つのＣＢＧ−基盤ＰＤＳＣＨがいずれもスケジューリングされれば、共通のトータル−ＤＡＩ値は全体のコンポーネントキャリアにスケジューリングされたいずれか一つの伝送方式のＰＤＳＣＨの総個数を示す。一実施例によると、共通のトータル−ＤＡＩ値は、全体のコンポーネントキャリアにスケジューリングされたＣＢＧ−基盤ＰＤＳＣＨの総個数を示す。他の実施例によると、共通のトータル−ＤＡＩ値は、ＨＡＲＱ−ＡＣＫビットシーケンスの長さを最小化する値に決められる。もし全体のコンポーネントキャリアにおいていずれか一つの伝送方式のＰＤＳＣＨのみスケジューリングされたら、共通のトータル−ＤＡＩ値は予め設定された値に決定される。本発明の実施例によると、２−ｂｉｔトータル−ＤＡＩが使用されれば、前記予め設定された値は２進数の「１１」である。また、３−ｂｉｔトータル−ＤＡＩが使用されれば、前記予め設定された値は「０１１」または「１１１」である。
【０２１２】
図２４は、上述した第３実施例によるＤＡＩシグナリング方法を示す図である。図２４の実施例において、各コンポーネントキャリアを介してＣＢＧ−基盤ＰＤＳＣＨとＴＢ−基盤ＰＤＳＣＨが伝送される状況は、上述した第１実施例のようである。一実施例によって、共通のトータル−ＤＡＩ値がＣＢＧ−基盤ＰＤＳＣＨの総個数を示すとすれば、ＣＢＧ−基盤伝送のためのトータル−ＤＡＩフィールドとＴＢ−基盤伝送のためのトータル−ＤＡＩフィールドは、いずれも３に設定される。よって、ＣＢＧ−基盤ＰＤＳＣＨが伝送されるコンポーネントキャリア＃０、＃３、＃５、及び＃７のためのＰＤＣＣＨの（カウンタ−ＤＡＩ、トータル−ＤＡＩ）フィールドの値は、それぞれ（０、３）、（１、３）、（２、３）、及び（３、３）である。また、ＴＢ−基盤ＰＤＳＣＨが伝送されるコンポーネントキャリア＃１及び＃４のためのＰＤＣＣＨの（カウンタ−ＤＡＩ、トータル−ＤＡＩ）フィールドの値は、それぞれ（０、３）及び（１、３）である。
【０２１３】
端末は、ＰＤＳＣＨをスケジューリングするＰＤＣＣＨを受信し、ＰＤＳＣＨの伝送方式を識別する。この際、端末は受信されたＰＤＣＣＨのカウンタ−ＤＡＩフィールドの値をＰＤＣＣＨがスケジューリングするＰＤＳＣＨの伝送方式に対するカウンタ−ＤＡＩと解釈する。それに対し、端末は受信されたＰＤＣＣＨのトータル−ＤＡＩフィールドの値をＣＢＧ−基盤伝送とＴＢ−基盤伝送共に適用されるトータル−ＤＡＩと解釈する。例えば、図２４の実施例において、コンポーネントキャリア＃３を介して伝送されるＰＤＳＣＨをスケジューリングするＰＤＣＣＨが受信されれば、端末はキャリア＃３を介してＣＢＧ−基盤ＰＤＳＣＨが伝送されることを識別し、前記ＰＤＣＣＨのカウンタ−ＤＡＩフィールの値をそれぞれＣＢＧ−基盤伝送のためのカウンタ−ＤＡＩと解釈する。また、端末は前記ＰＤＣＣＨのトータル−ＤＡＩフィールドの値をＣＢＧ−基盤伝送とＴＢ−基盤伝送共に適用されるトータル−ＤＡＩと解釈する。受信された（カウンタ−ＤＡＩ、トータル−ＤＡＩ）フィールドの値が（１、３）であるため、端末はコンポーネントキャリア＃３を介して伝送されるＰＤＳＣＨが２番目のＣＢＧ−基盤ＰＤＳＣＨであり、ぜんたいのコンポーネントキャリアにＣＢＧ−基盤ＰＤＳＣＨとＴＢ−基盤ＰＤＳＣＨがそれぞれ４つずつ割り当てられていることを識別する。一方、ＣＢＧ−基盤伝送のためのトータル−ＤＡＩフィールドとＴＢ−基盤伝送のためのトータル−ＤＡＩフィールドはいずれも共通のトータル−ＤＡＩ値をシグナリングするが、スケジューリングされたＣＢＧ−基盤ＰＤＳＣＨとＴＢ−基盤ＰＤＳＣＨの総個数は互いに同じではない可能性がある。つまり、トータル−ＤＡＩフィールドがＢ個のビットからなり、共通のトータル−ＤＡＩ値ｋをシグナリングすれば、スケジューリングされたＣＢＧ−基盤ＰＤＳＣＨの総個数は２Ｂ＊ｎ＋ｋ＋１であり、スケジューリングされたＴＢ−基盤ＰＤＳＣＨの総個数は２Ｂ＊ｍ＋ｋ＋１である（ここで、ｎとｍは負ではない整数）。よって、トータル−ＤＡＩフィールドが２つのビットからなれば、スケジューリングされたＣＢＧ−基盤ＰＤＳＣＨの総個数とスケジューリングされたＴＢ−基盤ＰＤＳＣＨの総個数の差は４の倍数である。
【０２１４】
端末がカウンタ−ＤＡＩ及び／またはトータル−ＤＡＩに基づいて、ＣＢＧ−基盤伝送またはＴＢ−基盤伝送をスケジューリングするＰＤＣＣＨの受信に失敗したと判別する方法は、上述した第１実施例と類似している。但し、受信された共通のトータル−ＤＡＩが予め設定された値を示し、特定伝送方式のＰＤＳＣＨをスケジューリングするＰＤＣＣＨが全く受信されなければ、端末は前記特定伝送方式のＰＤＳＣＨがスケジューリングされていないと判断する。端末はＨＡＲＱ−ＡＣＫビットシーケンスを生成する際、スケジューリングされていないと判断した特定伝送方式に対するＨＡＲＱ−ＡＣＫビットシーケンスを多重化しない。例えば、共通のトータル−ＤＡＩが予め設定された値を示し、ＴＢ−基盤伝送をスケジューリングするＰＤＣＣＨが全く受信されなければ、端末が生成するＨＡＲＱ−ＡＣＫビットシーケンスはＴＢ−基盤ＨＡＲＱ−ＡＣＫビットシーケンスを除外して構成される。同じく、共通のトータル−ＤＡＩが予め設定された値を示し、ＣＢＧ−基盤伝送をスケジューリングするＰＤＣＣＨが全く受信されなければ、端末が生成するＨＡＲＱ−ＡＣＫビットシーケンスはＣＢＧ−基盤ＨＡＲＱ−ＡＣＫビットシーケンスを除外して構成される。それに対し、特定伝送方式のＰＤＳＣＨをスケジューリングするＰＤＣＣＨが全く受信されていないが、共通のトータル−ＤＡＩが予め設定された値を示さなければ、端末は前記特定伝送方式のＰＤＳＣＨをスケジューリングされたが、該当ＰＤＳＣＨの受信に失敗したと判断する。よって、端末はＨＡＲＱ−ＡＣＫビットシーケンスを生成する際、該当伝送方式に対するＨＡＲＱ−ＡＣＫビットシーケンスを共に多重化する。本発明の実施例によると、２−ｂｉｔトータル−ＤＡＩが使用されれば、前記予め設定された値は２進数の「１１」である。また、３−ｂｉｔトータル−ＤＡＩが使用されれば、前記予め設定された値は「０１１」または「１１１」である。また、本発明の実施例によると、特定伝送方式に対するＨＡＲＱ−ＡＣＫビットシーケンスを多重化しない方法は、ＨＡＲＱ−ＡＣＫビットシーケンスがＰＵＳＣＨを介して伝送される際のみ適用される。つまり、共通のトータル−ＤＡＩが予め設定された値を示し、特定伝送方式のＰＤＳＣＨをスケジューリングするＰＤＣＣＨが全く受信されておらず、ＨＡＲＱ−ＡＣＫビットシーケンスがＰＵＳＣＨを介して伝送されれば、端末は前記特定伝送方式に対するＨＡＲＱ−ＡＣＫビットシーケンスを多重化しない。
【０２１５】
一方、本発明の第３実施例によると、共通のトータル−ＤＡＩが使用されることで、特定伝送方式に対するトータル−ＤＡＩにはミスマッチが発生する恐れがある。よって、特定伝送方式の場合、端末は前記特定伝送方式でスケジューリングされたＰＤＳＣＨの総個数とは異なって、共通のトータル−ＤＡＩ値による総個数情報に基づいてＨＡＲＱ−ＡＣＫビットシーケンスを生成する。例えば、ＴＢ−基盤伝送をスケジューリングされたコンポーネントキャリア＃１及び＃４を介して伝送されたＰＤＣＣＨのデコーディングに成功したら、端末はＴＢ−基盤伝送のためのカウンタ−ＤＡＩとしてそれぞれ０、１の値を受信する。一方、端末はＴＢ−基盤伝送のためのトータル−ＤＡＩとして３の値を受信する。ＴＢ−基盤伝送のためのトータル−ＤＡＩ値として３が受信されるが、ＴＢ−基盤伝送をスケジューリングするＰＤＣＣＨのうち受信に成功した最後のＰＤＣＣＨのカウンタ−ＤＡＩ値が1であるため、最後のＰＤＣＣＨのトータル−ＤＡＩ値とカウンタ−ＤＡＩ値の差は2である。よって、端末は前記最後のＰＤＣＣＨの後、ＴＢ−基盤伝送をスケジューリングする2つのＰＤＣＣＨの受信に失敗したと識別する。よって、端末は受信に失敗したと識別されたＰＤＣＣＨがスケジューリングするＰＤＳＣＨに対するＨＡＲＱ−ＡＣＫとしてＮＡＣＫを伝送する。一方、基地局は共通のトータル−ＤＡＩ値とは異なって、スケジューリングされたＴＢ−基盤ＰＤＳＣＨの実際の総個数をしているため、ミスマッチによって伝送されたＮＡＣＫを無視する。
【０２１６】
図２５及び図２６は、上述した第３実施例によってシグナリングされたＤＡＩに基づいてＨＡＲＱ−ＡＣＫビットシーケンスを生成する実施例を示す図である。図２５は共通のトータル−ＤＡＩ値がＣＢＧ−基盤ＰＤＳＣＨの総個数を示す実施例を示し、図２６は共通のトータル−ＤＡＩ値がＴＢ−基盤ＰＤＳＣＨの総個数を示す実施例を示す。本発明の第３実施例によってシグナリングされたＤＡＩに基づいてＨＡＲＱ−ＡＣＫビットシーケンスを生成する方法は、図２２を酸法して説明した第１実施例と類似している。但し、共通のトータル−ＤＡＩが予め設定された値を示し、特定伝送方式のＰＤＳＣＨをスケジューリングするＰＤＣＣＨが全く受信されなければ、端末はＨＡＲＱ−ＡＣＫビットシーケンスを生成する際、前記特定伝送方式に対するＨＡＲＱ−ＡＣＫビットシーケンスを多重化しない。
【０２１７】
まず、図２５を参照すると、共通のトータル−ＤＡＩ値はＣＢＧ−基盤ＰＤＳＣＨの総個数を示し、トータル−ＤＡＩフィールドの値は３である。トータル−ＤＡＩフィールドが２つのビットからなれば、全体のコンポーネントキャリアにスケジューリングされたＣＢＧ−基盤ＰＤＳＣＨの総個数は２２＊ｎ＋３＋１＝４＊（ｎ＋１）であり、全体のコンポーネントキャリアにスケジューリングされたＴＢ−基盤ＰＤＳＣＨの総個数は２２＊ｍ＋３＋１＝４＊（ｍ＋１）であると解釈される（ここで、ｎとｍは負ではあい整数）。端末は、ＣＢＧ−基盤ＨＡＲＱ−ＡＣＫビットシーケンスとＴＢ−基盤ＨＡＲＱ−ＡＣＫビットシーケンスをそれぞれ生成し、２つのＨＡＲＱ−ＡＣＫビットシーケンスを結合して全体のＨＡＲＱ−ＡＣＫビットシーケンスを構成する。図２５の実施例によると、トータル−ＤＡＩフィールドの値が３であるため、ＴＢ−基盤ＨＡＲＱ−ＡＣＫビットシーケンスには２つのＴＢ−基盤ＰＤＳＣＨ（つまり、ＰＤＳＣＨ  ＴＢ−ｔｘ  ＃０、＃１）以外に仮想のＴＢ−基盤ＰＤＳＣＨ（つまり、ＰＤＳＣＨ  ＴＢ−ｔｘ  ＃２、＃３）に対するＨＡＲＱ−ＡＣＫ［ｙ０（２）、ｙ０（３）］が追加に含まれる。ここで、仮想のＰＤＳＣＨは実際に伝送が行われていないＰＤＳＣＨを意味する。端末は、ＣＢＧ−基盤ＨＡＲＱ−ＡＣＫビットシーケンスをＴＢ−基盤ＨＡＲＱ−ＡＣＫビットシーケンスの次に添付して、全体のＨＡＲＱ−ＡＣＫビットシーケンスを構成する。図２５を参照すると、端末が構成したＨＡＲＱ−ＡＣＫビットシーケンスは、［ｘ０（０）、ｘ１（０）、…、ｘＮ−１（０）、ｘ０（１）、ｘ１（１）、…、ｘＮ−１（１）、ｘ０（２）、ｘ１（２）、…、ｘＮ−１（２）、ｘ０（３）、ｘ１（３）、…、ｘＮ−１（３）、ｙ０（０）、ｙ０（１）、ｙ０（２）、ｙ０（３）］である。ここで、ＴＢ−基盤ＨＡＲＱ−ＡＣＫビットシーケンスの最後の２つのビット［ｙ０（２）、ｙ０（３）］は、基地局と端末との間のＨＡＲＱ−ＡＣＫビットシーケンスの解釈エラーを防止するためのものであって、いらない情報を有するダミー（ｄｕｍｍｙ）ビットである。
【０２１８】
次に、図２６を参照すると、共通のトータル−ＤＡＩ値はＴＢ−基盤ＰＤＳＣＨの総個数を示し、トータル−ＤＡＩフィールドの値は３である。トータル−ＤＡＩフィールドが２つのビットからなれば、全体のコンポーネントキャリアにスケジューリングされたＣＢＧ−基盤ＰＤＳＣＨの総個数は２２＊ｎ＋１＋１＝４＊ｎ＋２であり、全体のコンポーネントキャリアにスケジューリングされたＴＢ−基盤ＰＤＳＣＨの総個数は２２＊ｍ＋１＋１＝４*ｍ＋２であると解釈される（ここで、ｎとｍは負ではあい整数）。端末は、ＣＢＧ−基盤ＨＡＲＱ−ＡＣＫビットシーケンスとＴＢ−基盤ＨＡＲＱ−ＡＣＫビットシーケンスをそれぞれ生成し、２つのＨＡＲＱ−ＡＣＫビットシーケンスを結合して全体のＨＡＲＱ−ＡＣＫビットシーケンスを構成する。図２６の実施例によると、トータル−ＤＡＩフィールドの値が１であるため、ＴＢ−基盤ＨＡＲＱ−ＡＣＫビットシーケンスには４つのＣＢＧ−基盤ＰＤＳＣＨ（つまり、ＰＤＳＣＨ  ＣＢＧ−ｔｘ  ＃０、＃１、＃２、＃３）以外に仮想のＣＢＧ−基盤ＰＤＳＣＨ（つまり、ＣＢＧ−ｔｘ  ＃４、＃５）に対するＨＡＲＱ−ＡＣＫ［ｘ０（４）、ｘ１（４）、…、ｘＮ−１（４）、ｘ０（５）、ｘ１（５）、…、ｘＮ−１（５）］が追加に含まれる。端末は、ＣＢＧ−基盤ＨＡＲＱ−ＡＣＫビットシーケンスをＴＢ−基盤ＨＡＲＱ−ＡＣＫビットシーケンスの次に添付して、全体のＨＡＲＱ−ＡＣＫビットシーケンスを構成する。図２６を参照すると、端末が構成したＨＡＲＱ−ＡＣＫビットシーケンスは、［ｘ０（０）、ｘ１（０）、…、ｘＮ−１（０）、ｘ０（１）、ｘ１（１）、…、ｘＮ−１（１）、ｘ０（２）、ｘ１（２）、…、ｘＮ−１（２）、ｘ０（３）、ｘ１（３）、…、ｘＮ−１（３）、ｘ０（４）、ｘ１（４）、…、ｘＮ−１（４）、ｘ０（５）、ｘ１（５）、…、ｘＮ−１（５）、ｙ０（０）、ｙ０（１）］である。ここで、ＣＢＧ−基盤ＨＡＲＱ−ＡＣＫビットシーケンスの最後の２Ｎ個のビット［ｘ０（４）、ｘ１（４）、…、ｘＮ−１（４）、ｘ０（５）、ｘ１（５）、…、ｘＮ−１（５）］は、基地局と端末との間のＨＡＲＱ−ＡＣＫビットシーケンスの解釈エラーを防止するためのものであって、いらない情報を有するダミービットである。
【０２１９】
図２７は、上述した第３実施例によってシグナリングされたＤＡＩに基づいてＨＡＲＱ−ＡＣＫビットシーケンスを生成する他の実施例を示す図である。上述したように、本発明の追加の実施例によると、ＣＢＧ−基盤伝送とＴＢ−基盤伝送のうちいずれか一つの伝送方式のＰＤＳＣＨのみスケジューリングされる。この際、いずれか一つの伝送方法のＰＤＳＣＨのみスケジューリングされていることをシグナリングするために、トータル−ＤＡＩ値は予め設定された値３（つまり、２進数の「１１」）に設定される。また、図２７の実施例では、コンポーネントキャリア＃１及び＃４を介してＴＢ−基盤ＰＤＳＣＨが伝送され、ＣＢＧ−基盤ＰＤＳＣＨはスケジューリングされていない情報を仮定する。
【０２２０】
まず、図２７（ａ）は、トータル−ＤＡＩフィールドの値がＴＢ−基盤ＰＤＳＣＨの総個数を示す実施例を示す。全体のコンポーネントキャリアでスケジューリングされたＴＢ−基盤ＰＤＳＣＨの総個数は２であるため、トータル−ＤＡＩの値は１に設定される。この際、全体のコンポーネントキャリアにスケジューリングされたＣＢＧ−基盤ＰＤＳＣＨの総個数は２であると解釈される。よって、端末は２つの仮想のＣＢＧ−基盤ＰＤＳＣＨに対する２＊Ｎ−ｂｉｔ  ＨＡＲＱ−ＡＣＫ［ｘ０（０）、ｘ１（０）、…、ｘＮ−１（０）、ｘ０（１）、ｘ１（１）、…、ｘＮ−１（１）］を生成する。端末はＴＢ−基盤ＰＤＳＣＨをスケジューリングするＰＤＣＣＨのみを検出するため、前記２＊Ｎ−ｂｉｔのＨＡＲＱ−ＡＣＫはダミービットであり、いずれもＮＡＣＫに設定される。
【０２２１】
次に、図２７（ｂ）は、トータル−ＤＡＩフィールドの値が特定伝送方式のＰＤＳＣＨがスケジューリングされていないことを示す予め設定された値を指示する実施例を示す。ここで、予め設定された値３(つまり、２進数の「１１」で)ある。受信されたトータル−ＤＡＩが予め設定された値を示し、前記ＣＢＧ−基盤ＰＤＳＣＨをスケジューリングするＰＤＣＣＨが全く受信されていないため、端末はＣＢＧ−基盤ＰＤＳＣＨがスケジューリングされていないと判断する。よって、端末は、ＣＢＧ−基盤ＨＡＲＱ−ＡＣＫビットシーケンスを除外して、ＴＢ−基盤ＨＡＲＱ−ＡＣＫビットシーケンスのみを含んで全体のＨＡＲＱ−ＡＣＫビットシーケンスを生成する。ここで、トータル−ＤＡＩフィールドの値は３であるため、端末は全体のコンポーネントキャリアにスケジューリングされたＴＢ−基盤ＰＤＳＣＨの総個数は４であると解釈する。しかし、端末は実際に２つのＴＢ−基盤ＰＤＳＣＨを受信するため、２つの仮想ＴＢ−基盤ＰＤＳＣＨに対する２−ｂｉｔ  ＨＡＲＱ−ＡＣＫ［ｙ０（２）、ｙ０（３）］を生成する。端末は仮想のＴＢ−基盤ＰＤＳＣＨをスケジューリングするＰＤＣＣＨは受信できないため、前記２−ｂｉｔのＨＡＲＱ−ＡＣＫはダミービットであり、いずれもＮＡＣＫに設定される。
【０２２２】
一方、上述した実施例ではＴＢ−基盤ＨＡＲＱ−ＡＣＫビットシーケンスで一つのＴＢ当たり一つのＨＡＲＱ−ＡＣＫビットが生成され、ＣＢＧ−基盤ＨＡＲＱ−ＡＣＫビットシーケンスで一つのＴＢ当たりＮ個のＨＡＲＱ−ＡＣＫビット（ら）が生成されると仮定した。以下の実施例では、ＣＢＧ−基盤ＨＡＲＱ−ＡＣＫビットシーケンスで一つのＴＢ当たり１乃至Ｎ個のうちいずれか一つのＨＡＲＱ−ＡＣＫビット（ら）が生成されると仮定する。例えば、ＣＢＧ−基盤ＰＤＳＣＨに対するＨＡＲＱ−ＡＣＫビット（ら）の長さは、実際にＰＤＳＣＨにスケジューリングされて伝送されるＣＢＧ（ら）の個数に基づいて決定される。また、以下の実施例では、ＴＢ−基盤伝送が１つのＣＢＧ−基盤伝送からなる仮定する。つまり、１つのＴＢからなるＰＤＳＣＨは１つのＣＢＧからなるＰＤＳＣＨと仮定し、２つのＴＢからなるＰＤＳＣＨは２つのＣＢＧからなるＰＤＳＣＨと仮定して、それぞれの実施例が説明される。よって、別途のＴＢ−基盤伝送またはＣＢＧ−基盤伝送という表現は省略可能である。ちなみに、端末はＰＤＳＣＨがスケジューリングスルＰＤＳＣＨにＴＢ−基盤伝送が適用されるのか、またはＣＢＧ−基盤伝送が適用されるのかをＰＤＣＣＨの情報を介して識別する。
【０２２３】
図２８は、本発明の第４実施例によるＤＡＩシグナリング方法を示す図である。本発明の第４実施例によると、基地局はスケジューリングされたＣＢＧの個数に基づいたカウンタ−ＤＡＩ値とトータル−ＤＡＩ値を生成し、これをカウンタ−ＤＡＩフィールドとトータル−ＤＡＩフィールドを介して伝送する。つまり、カウンタ−ＤＡＩは、最初のコンポーネントキャリア（つまり、コンポーネントキャリア＃０）から以前のコンポーネントキャリアまでスケジューリングされたＣＢＧ（ら）の累積個数を示す。また、トータル−ＤＡＩは、全体のコンポーネントキャリアにスケジューリングＣＢＧの総個数を示す。図２８を参照すると、端末にコンポーネントキャリア＃０、＃１、＃３、＃４、＃５、及び＃７を介してＰＤＳＣＨが伝送される。この際、コンポーネントキャリア＃０、＃１、＃３、＃４、＃５、及び＃７を介して伝送されるＣＢＧ（ら）の個数は、それぞれ２、３、１、４、３、及び３である。全体のコンポーネントキャリアにスケジューリングされたＣＢＧの総個数は１６であるため、コンポーネントキャリア＃０、＃１、＃３、＃４、＃５、及び＃７のための各ＰＤＣＣＨの（カウンタ−ＤＡＩ、トータル−ＤＡＩ）フィールドの値はそれぞれ（０、１６）、（２、１６）、（５、１６）、（６、１６）、（１０、１６）、及び（１３、１６）である。
【０２２４】
端末がＰＤＣＣＨを受信すれば、端末はＰＤＣＣＨに含まれたＣＢＧスケジューリング情報を介して前記ＰＤＣＣＨがスケジューリングするＰＤＳＣＨに含まれたＣＢＧの個数を識別する。また、端末はトータル−ＤＡＩ値を介して全体のコンポーネントキャリアにスケジューリングされたＣＢＧの総個数を識別し、カウンタ−ＤＡＩ値を介して該当ＰＤＣＣＨがスケジューリングするＰＤＳＣＨに含まれたＣＢＧが伝送された順番を識別する。もし現在のＰＤＣＣＨがスケジューリングするＰＤＳＣＨがｋ個のＣＢＧ（ら）を含み、（カウンタ−ＤＡＩ、トータル−ＤＡＩ）フィールドの値が（Ｃ、Ｔ）であれば、全体のコンポーネントキャリアにスケジューリングされたＰＤＳＣＨは計Ｔ個のＣＢＧを含み、現在のＰＤＣＣＨがスケジューリングするＰＤＳＣＨに含まれたＣＢＧ（ら）は、計Ｔ個のＣＢＧのうちＣ＋１番目からＣ＋ｋ番目のＣＢＧ（ら）である。例えば、端末がコンポーネントキャリア＃３を介して伝送されるＰＤＳＣＨをスケジューリングするＰＤＣＣＨの受信に成功したら、端末はＰＤＣＣＨに含まれたスケジューリング情報に基づいてコンポーネントキャリア＃３を介して伝送されるＰＤＳＣＨが一つのＣＢＧを含むことを知る。また、端末は受信された（カウンタ−ＤＡＩ、トータル−ＤＡＩ）フィールドの値（５、１６）を介して全体のコンポーネントキャリアに計１６個のＣＢＧがスケジューリングされており、コンポーネントキャリア＃３を介して伝送されるＰＤＳＣＨに含まれたＣＢＧは計１６個のＣＢＧのうち６番目のＣＢＧであることを識別する。
【０２２５】
端末は、以下のような方法でＨＡＲＱ−ＡＣＫビットシーケンスを生成する。まず、ＨＡＲＱ−ＡＣＫビットシーケンスの長さは、トータル−ＤＡＩ値に基づいて決定される。もしトータル−ＤＡＩフィールドがＢ個のビットからなり、トータル−ＤＡＩフィールドの値がＴであれば、ＨＡＲＱ−ＡＣＫビットシーケンスの長さは２Ｂ＊ｎ＋Ｔである。ここで、ｎは負ではあい整数であって、受信に成功したＰＤＣＣＨがスケジューリングするＰＤＳＣＨに含まれたＣＢＧに対するＨＡＲＱ−ＡＣＫビットがＨＡＲＱ−ＡＣＫビットシーケンスに含まれるようにする最小値である。端末は受信に成功したＰＤＣＣＨから獲得したカウンタ−ＤＡＩ値とスケジューリングされたＣＢＧ（ら）の個数ｋに基づいて、該当ＰＤＣＣＨがスケジューリングするＣＢＧに対するＨＡＲＱ−ＡＣＫビット（ら）の位置を決定する。つまり、カウンタ−ＤＡＩフィールドの値がＣであれば、ＨＡＲＱ−ＡＣＫビットシーケンスで前記ＨＡＲＱ−ＡＣＫビット（ら）の位置はＣ＋１番目からＣ＋ｋ番目までである。もしカウンタ−ＤＡＩフィールドがＡ個のビットからなり、カウンタ−ＤＡＩフィールドの値がＣであれば、可能なＨＡＲＱ−ＡＣＫビット（ら）の位置は２Ａ＊ｍ＋Ｃ＋１番目からは２Ａ＊ｍ＋Ｃ＋ｋ番目までである。ここで、ｍは負ではあい整数である。一方、ＨＡＲＱ−ＡＣＫビットシーケンスのうちＨＡＲＱ−ＡＣＫビット（ら）がマッピングされていないビットはＮＡＣＫに設定される。
【０２２６】
一方、上述した第４実施例によると、端末がＰＤＣＣＨの受信に成功したら、全体のコンポーネントキャリアにスケジューリングされたＣＢＧの総個数と該当ＰＤＣＣＨがスケジューリングするＰＤＳＣＨに含まれたＣＢＧが伝送された順番が識別される。しかし、一つのＰＤＳＣＨを介して多様な個数のＣＢＧが伝送されるため、端末が複数のＣＢＧの受信失敗を識別した際、いくつのＰＤＳＣＨの受信に失敗したのかは識別できない。
【０２２７】
図２９は、本発明の第５実施例によるＤＡＩシグナリング方法を示す図である。本発明の第５実施例によると、基地局はスケジューリングされたＰＤＳＣＨの個数に基づく第１カウンタ−ＤＡＩ（つまり、カウンタ−ＤＡＩ＃１）値と第１トータル−ＤＡＩ（つまり、トータル−ＤＡＩ＃１）値を生成し、ＣＢＧの個数に基づく第２カウンタ−ＤＡＩ（つまり、カウンタ−ＤＡＩ＃２）値と第２トータル−ＤＡＩ（つまり、トータル−ＤＡＩ＃２）値を生成する。基地局は生成されたＤＡＩ値をそれぞれ第１カウンタ−ＤＡＩフィールド、第１トータル−ＤＡＩフィールド、第２カウンタ−ＤＡＩフィールド、及び第２トータル−ＤＡＩフィールドを介して伝送する。
【０２２８】
まず、第１カウンタ−ＤＡＩは、最初のコンポーネントキャリア（つまり、コンポーネントキャリア＃０）から以前のコンポーネントキャリアまでスケジューリングされたＰＤＳＣＨ（ら）の累積個数を示す。この場合、第１カウンタ−ＤＡＩの値がＣであれば、以前のコンポーネントキャリアまでスケジューリングされたＰＤＳＣＨ（ら）の累積個数はＣである（つまり、現在のコンポーネントキャリアまでスケジューリングされたＰＤＳＣＨ（ら）の累積個数はＣ＋１）。また、第１トータル−ＤＡＩは、全体のコンポーネントキャリアにスケジューリングＰＤＳＣＨの総個数を示す。もし第１トータル−ＤＡＩの値がＴであれば、全体のコンポーネントキャリアにスケジューリングされたＰＤＳＣＨの総個数はＴ＋１である。
【０２２９】
次に、第２カウンタ−ＤＡＩは、最初のコンポーネントキャリア（つまり、コンポーネントキャリア＃０）から以前のコンポーネントキャリアまでスケジューリングされたＣＢＧ（ら）の累積個数を示す。また、第２トータル−ＤＡＩは、全体のコンポーネントキャリアにスケジューリングＣＢＧの総個数に基づいて決定される。本発明の実施例によると、シグナリングオーバーヘッドを減らすために第２カウンタ−ＤＡＩフィールドと第２トータル−ＤＡＩフィールドの値は、シグナリングを行うための情報からそれぞれ第１カウンタ−ＤＡＩフィールドの値と第１トータルＤＡＩフィールドの値を引いて設定される。例えば、以前のコンポーネントキャリアまでスケジューリングされたＣＢＧの個数がＰで、現在のコンポーネントキャリアまでスケジューリングされた第１カウンタ−ＤＡＩ値がＣ１であれば、現在のコンポーネントキャリアの第２カウンタ−ＤＡＩ値Ｃ２はＣ２＝Ｐ−Ｃ１に設定される。また、全体のコンポーネントキャリアにスケジューリングされたＣＢＧの個数がＱで、第１トータル−ＤＡＩ値がＴ１であれば、第２トータル−ＤＡＩ値Ｔ２はＴ２＝Ｑ−Ｔ１に設定される。
【０２３０】
図２９の実施例において、各コンポーネントキャリアを介してＣＢＧ（ら）が伝送される状況は、上述した第４実施例のようである。この際、コンポーネントキャリア＃０、＃１、＃３、＃４、＃５、及び＃７のための各ＰＤＣＣＨの（第１カウンタ−ＤＡＩ、第１トータル−ＤＡＩ、第２カウンタ−ＤＡＩ、第２トータル−ＤＡＩ）フィールドの値は、（０、５、０、１１）、（１、５、１、１１）、（２、５、３、１１）、（３、５、３、１１）、（４、５、６、１１）、及び（５、５、８、１１）である。
【０２３１】
端末がＰＤＣＣＨを受信すれば、端末はＰＤＣＣＨに含まれたＣＢＧスケジューリング情報を介して前記ＰＤＣＣＨがスケジューリングするＰＤＳＣＨに含まれたＣＢＧの個数を識別する。また、端末は第１トータル−ＤＡＩ値を介して全体のコンポーネントキャリアにスケジューリングされたＰＤＳＣＨの総個数を識別し、第１カウンタ−ＤＡＩ値を介して該当ＰＤＳＣＨがスケジューリングするＰＤＳＣＨに含まれたＣＢＧが伝送された順番を識別する。加えて、端末は第２トータル−ＤＡＩ値を介して全体のコンポーネントキャリアにスケジューリングされたＣＢＧの総個数を識別し、第２カウンタ−ＤＡＩ値を介して該当ＰＤＣＣＨがスケジューリングするＰＤＳＣＨに含まれたＣＢＧが伝送された順番を識別する。もし、現在のＰＤＣＣＨがスケジューリングするＰＤＳＣＨがｋ個のＣＢＧ（ら）を含み、（第１カウンタ−ＤＡＩ、第１トータル−ＤＡＩ、第２カウンタ−ＤＡＩ、第２トータル−ＤＡＩ）フィールドの値が（Ｃ１、Ｔ１、Ｃ２、Ｔ２）であれば、全体のコンポーネントキャリアにスケジューリングされたＰＤＳＣＨの総個数はＴ１＋１であり、スケジューリングされたＣＢＧの総個数はＴ１＋Ｔ２である。また、現在のＰＤＣＣＨがスケジューリングするＰＤＳＣＨの順番はＣ１番目であり、前記ＰＤＳＣＨに含まれたＣＢＧは計Ｔ１＋Ｔ２個のＣＢＧのうちＣ１＋Ｃ２＋１番目からＣ１＋Ｃ２＋ｋ番目ＣＢＧである。
【０２３２】
もしコンポーネントキャリアインデックスの増加に応じて第１カウンタ−ＤＡＩ値が順次に増加しなければ、（つまり、０→１→２→３…の順番ではなければ）、端末は一部のＰＤＣＣＨの受信に失敗したと判別する。また、受信に成功した最後のＰＤＣＣＨの第１カウンタ−ＤＡＩ値と第１トータル−ＤＡＩ値が同じではなければ、端末は前記最後のＰＤＣＣＨの後に少なくとも一つのＰＤＣＣＨの受信に失敗したと判別する。この際、受信に成功した最後のＰＤＣＣＨの後に受信に失敗したＰＤＣＣＨの個数は、前記最後のＰＤＣＣＨの第１トータル−ＤＡＩ値と第１カウンタ−ＤＡＩ値の差を介して識別される。
【０２３３】
端末は、以下のような方法でＨＡＲＱ−ＡＣＫビットシーケンスを生成する。まず、ＨＡＲＱ−ＡＣＫビットシーケンスの長さは、第１トータル−ＤＡＩ値と第２トータル−ＤＡＩ値の和に基づいて決定される。端末は受信に成功したＰＤＣＣＨから獲得した第１カウンタ−ＤＡＩ値、第２カウンタ−ＤＡＩ値とスケジューリングされたＣＢＧ（ら）の個数ｋに基づいて、該当ＰＤＣＣＨがスケジューリングするＣＢＧに対するＨＡＲＱ−ＡＣＫビット（ら）の位置を決定する。つまり、（第１カウンタ−ＤＡＩ、第１トータル−ＤＡＩ、第２カウンタ−ＤＡＩ、第２トータル−ＤＡＩ）フィールドの値が（Ｃ１、Ｔ１、Ｃ２、Ｔ２）であれば、ＨＡＲＱ−ＡＣＫビットシーケンスにおける前記ＨＡＲＱ−ＡＣＫビット（ら）の位置はＣ１＋Ｃ２＋１番目からＣ１＋Ｃ２＋ｋ番目までである。一方、ＨＡＲＱ−ＡＣＫビットシーケンスのうちＨＡＲＱ−ＡＣＫビット（ら）がマッピングされていないビットはＮＡＣＫに設定される。
【０２３４】
一方、上述した第5実施例によると、端末がＰＤＣＣＨの受信に成功したら、全体のコンポーネントキャリアにスケジューリングされたＣＢＧの総個数と該当ＰＤＣＣＨがスケジューリングするＰＤＳＣＨに含まれたＣＢＧが伝送された順番が識別される。また、端末が少なくとも一つのＰＤＳＣＨの受信に失敗したら、いかなるＰＤＳＣＨの受信に失敗したのかを識別することができる。しかし、本実施例によると、ＤＣＩオーバーベッドが高い短所がある。
【０２３５】
図３０は、本発明の第６実施例によるＤＡＩシグナリング方法を示す図である。本発明の第6実施例によると、基地局はスケジューリングされたＰＤＳＣＨの個数に基づく第１カウンタ−ＤＡＩ（つまり、カウンタ−ＤＡＩ＃１）値と第１トータル−ＤＡＩ（つまり、トータル−ＤＡＩ＃１）値を生成し、ＣＢＧの個数に基づく第２カウンタ−ＤＡＩ（つまり、カウンタ−ＤＡＩ＃２）値を生成する。基地局は生成されたＤＡＩ値をそれぞれ第１カウンタ−ＤＡＩフィールド、第１トータル−ＤＡＩフィールド、及び第２カウンタ−ＤＡＩフィールドを介して伝送する。
【０２３６】
本発明の第６実施例において、第１トータル−ＤＡＩ及び第１トータル−ＤＡＩの定義は上述した第５実施例のようである。但し、第２カウンタ−ＤＡＩは、現在のコンポーネントキャリア以前のＫ個のＰＤＳＣＨ（ら）にスケジューリングされたＣＢＧ（ら）の個数に基づいて決定される。本発明の実施例によると、現在のコンポーネントキャリア以前のＫ個のＰＤＳＣＨは循環的に決定される。つまり、最初のコンポーネントキャリア（つまり、コンポーネントキャリア＃０）から以前のコンポーネントキャリアまで計ｋ個のＰＤＳＣＨがスケジューリングされれば（ここで、ｋ＜Ｋ）、前記Ｋ個のＰＤＳＣＨは最初のコンポーネントキャリアから以前のコンポーネントキャリアまでのｋ個のＰＤＳＣＨと、最後のコンポーネントキャリアまで逆順にＫ−ｋ個のＰＤＳＣＨを含む。一実施例によると、Ｋの値は第１トータル−ＤＡＩの値、つまり、全体のコンポーネントキャリアにスケジューリングＣＢＧの総個数に基づいて決定される。例えば、第１トータル−ＤＡＩの値がそれぞれ１、２、または３であれば、Ｋの値は０、１、または２に設定される。また、第１トータル−ＤＡＩの値が３よち大きければ、Ｋの値は３に設定される。本発明の実施例によると、シグナリングオーバーヘッドを減らすために、第２カウンタ−ＤＡＩフィールドの値は現在のコンポーネントキャリア以前のＫ個のＰＤＳＣＨ（ら）にスケジューリングされたＣＢＧ（ら）の個数からＫを引いて設定される。
【０２３７】
図３０の実施例において、各コンポーネントキャリアを介してＣＢＧ（ら）が伝送される状況は、上述した第４実施例のようである。この際、Ｋの値は３に設定され、コンポーネントキャリア＃０、＃１、＃３、＃４、＃５、及び＃７のための各ＰＤＣＣＨの（第１カウンタ−ＤＡＩ、第１トータル−ＤＡＩ、第２カウンタ−ＤＡＩ）フィールドの値は、（０、５、７）、（１、５、５）、（２、５、５）、（３、５、３）、（４、５、５）、及び（５、５、５）である。
【０２３８】
端末が一部のＰＤＣＣＨの受信に失敗したと判別する方法は、上述した第５実施例と同じである。加えて、第６実施例において、第２カウンタ−ＤＡＩは現在のコンポーネントキャリア以前のＫ個のＰＤＳＣＨ（ら）にスケジューリングされたＣＢＧ（ら）の個数に基づいて決定されるため、端末は受信に失敗したＰＤＣＣＨがスケジューリングするＰＤＳＣＨに含まれたＣＢＧ（ら）の個数を前記第２カウンタ−ＤＡＩに基づいて識別する。例えば、端末が第１カウンタ−ＤＡＩの値が２のＰＤＣＣＨの受信に失敗し、残りのＰＤＣＣＨの受信には成功したと仮定する。端末は受信に成功したＰＤＣＣＨの第１カウンタ−ＤＡＩ値のうち２の値がないため、第１カウンタ−ＤＡＩの値が２のＰＤＣＣＨの受信に失敗したと識別する。第１カウンタ−ＤＡＩの値が２のＰＤＣＣＨがスケジューリングするＰＤＳＣＨに含まれたＣＢＧ（ら）の個数は、第１カウンタ−ＤＡＩの値が３のＰＤＣＣＨの第２カウンタ−ＤＡＩ値から、第１カウンタ−ＤＡＩの値が０及び１のＰＤＣＣＨがそれぞれスケジューリングするＰＤＳＣＨに含まれたＣＢＧの個数を引いた値に基づいて識別される。図３０の実施例において、第１カウンタ−ＤＡＩの値が３のＰＤＣＣＨの第２カウンタ−ＤＡＩ値は３であり、第１カウンタ−ＤＡＩの値が０及び１のＰＤＣＣＨがそれぞれスケジューリングするＰＤＳＣＨに含まれたＣＢＧの個数は、それぞれ２と３である。よって、第１カウンタ−ＤＡＩの値が２のＰＤＣＣＨがスケジューリングするＰＤＳＣＨに含まれたＣＢＧの個数ｘは、（２＋３＋ｘ）−Ｋ＝３を満足する。ここで、Ｋは３であるため、端末はｘが１であることを識別する。
【０２３９】
図３１は、上述した第６実施例によってシグナリングされたＤＡＩに基づいてＨＡＲＱ−ＡＣＫビットシーケンスを生成する実施例を示す図である。上述した実施例にように、端末は第１カウンタ−ＤＡＩの値と第１トータル−ＤＡＩの値に基づいてコンポーネントキャリアを介して伝送されたＰＤＳＣＨの個数を識別する。また、端末は各を介して伝送されたＣＢＧの個数を第２カウンタ−ＤＡＩ値を介して識別する。よって、端末は第１トータル−ＤＡＩフィールドの値を０から第１トータル−ＤＡＩ値まで順次に増加させながら、該当ＰＤＣＣＨがスケジューリングするＰＤＳＣＨに対するＨＡＲＱ−ＡＣＫビットを結合してＨＡＲＱ−ＡＣＫビットシーケンスを生成する。但し、Ｋの値が２以上であれば（例えば、Ｋ＝２または３である際）、端末は第１トータル−ＤＡＩフィールドの値をｉから循環的に増加させながら、該当ＰＤＣＣＨがスケジューリングするＰＤＳＣＨに対するＨＡＲＱ−ＡＣＫビットを結合してＨＡＲＱ−ＡＣＫビットシーケンスを生成する。この際、前記ｉの値を指示するために、ＨＡＲＱ−ＡＣＫビットシーケンスの最初または最後にはＨＡＲＱ−ＡＣＫビットシーケンスの構成情報を指示するヘッダが追加される。つまり、ＨＡＲＱ−ＡＣＫビットシーケンスはヘッダとメインビットシーケンスを含む。ヘッダは、メインビットシーケンスが何番目のＰＤＳＣＨに対するＨＡＲＱ−ＡＣＫビットから始まるのかに関する情報を指示する。
【０２４０】
図３１を参照すると、Ｋの値が２または３であれば、端末が伝送するＨＡＲＱ−ＡＣＫビットシーケンスの候補は４つである。よって、ヘッダは２つのビットからなり、メインビットシーケンスが何番目のＰＤＳＣＨに対するＨＡＲＱ−ＡＣＫビットから始まるのかを示す。例えば、ヘッダが「００」を指示すれば、メインビットシーケンスは１番目のＰＤＳＣＨのＨＡＲＱ−ＡＣＫビットから始まる。同じく、ヘッダが「０１」、「１０」、または「１１」を指示すれば、メインビットシーケンスはそれぞれ２番目、３番目、または４番目のＰＤＳＣＨのＨＡＲＱ−ＡＣＫビットから始まる。
【０２４１】
一方、上述した第６実施例によると、端末がＰＤＣＣＨの受信に成功したら、全体のコンポーネントキャリアにスケジューリングされたＰＤＳＣＨの総個数と該当ＰＤＣＣＨがスケジューリングするＰＤＳＣＨが伝送された順番が識別される。また、端末は第２カウンタ−ＤＡＩ値を介してＣＢＧの個数に関する情報を識別する。第６実施例によると、第２トータル−ＤＡＩフィールドが伝送されないため、第５実施例に比べＤＣＩシグナリングのオーバーヘッドを減らすことができるが、端末が伝送するＨＡＲＱ−ＡＣＫビットシーケンスにヘッドが追加されるべきであるため、ＵＣＩ伝送のオーバーベッドが増加する。
【０２４２】
図３２は、本発明の第7実施例によるＤＡＩシグナリング方法を示す図である。本発明の第７実施例によると、基地局はスケジューリングされたＰＤＳＣＨに含まれたＣＢＧの個数に応じて伝送タイプを第１タイプ伝送と第２タイプ伝送に分け、伝送タイプごとに独立してＰＤＳＣＨの個数に基づく第１カウンタ−ＤＡＩ（つまり、カウンタ−ＤＡＩ＃１）、第１トータル−ＤＡＩ（つまり、トータル−ＤＡＩ＃１）値と、ＣＢＧの個数に基づく第２カウンタ−ＤＡＩ（つまり、カウンタ−ＤＡＩ＃２）、第２トータル−ＤＡＩ（つまり、トータル−ＤＡＩ＃２）値を生成する。基地局はＰＤＣＣＨがスケジューリングするＰＤＳＣＨの伝送タイプと同じタイプのＤＡＩ値をそれぞれＰＤＣＣＨの第１カウンタ−ＤＡＩフィールド、第１トータル−ＤＡＩフィールド、第２カウンタ−ＤＡＩフィールド、及び第２トータル−ＤＡＩフィールドを介して伝送する。端末がＰＤＣＣＨを受信すれば、端末はＰＤＣＣＨに含まれたＣＢＧスケジューリング情報を介して前記ＰＤＣＣＨがスケジューリングするＰＤＳＣＨに含まれたＣＢＧの個数を識別する。また、端末はＰＤＳＣＨに含まれたＣＢＧの個数に基づいて該当ＰＤＳＣＨの伝送タイプを識別する。端末はＰＤＣＣＨを介して受信された第１カウンタ−ＤＡＩフィールド、第１トータル−ＤＡＩフィールド、第２カウンタ−ＤＡＩフィールド、及び第２トータル−ＤＡＩフィールドの値を識別された伝送タイプのためのＤＡＩ値と解釈する。
【０２４３】
本発明の実施例によると、第１タイプ伝送は予め設定された個数以下のＣＢＧからなるＰＤＳＣＨの伝送であり、第２タイプ伝送は前記予め設定された個数を超えるＣＢＧからなるＰＤＳＣＨの伝送である。一実施例によると、予め設定された個数は
【０２４４】
【数８】
2020529780.tif 000021
である。ここで、Ｎは端末に構成された一つのＣＢＧの最大個数であり、
【数９】
2020529780.tif 000022
はｘより小さいか同じ数のうち最も大きい自然数、
【数１０】
2020529780.tif 000023
はｘより大きいか同じ数のうち最も小さい自然数を示す。以下の実施例では、予め設定された個数が
【数１１】
2020529780.tif 000024
であると仮定するが、これは実施例によって
【数１２】
2020529780.tif 000025
または他の値に切り替えられてもよい。
【０２４５】
第１タイプ伝送のためのＤＡＩ値は、第１タイプ伝送に基づくＰＤＳＣＨ及びＣＢＧに適用され、ＤＡＩ値の定義は上述した第５実施例と同じである。同じく、第２タイプ伝送のためのＤＡＩ値は第２タイプ伝送に基づくＰＤＳＣＨ及びＣＢＧに適用される。但し、第２タイプ伝送のためのＤＡＩにおいて、第１カウンタ−ＤＡＩと第１トータル−ＤＡＩは上述した第５実施例と同じく設定されるが、第２カウンタ−ＤＡＩと第２トータル−ＤＡＩは上述した第５実施例によるそれとは異なる細かさ（ｇｒａｎｕｌａｒｉｔｙ）を有するように設定される。つまり、第２タイプ伝送が行われるＰＤＳＣＨに含まれた最小ＣＢＧの最大個数は
【数１３】
2020529780.tif 000026
であるため、第２タイプ伝送のための第２カウンタ−ＤＡＩ値と第２トータル−ＤＡＩ値は前記最小個数に基づく値を引いて設定することで、シグナリングオーバーヘッドを減らすことができる。より詳しくは、以前のコンポーネントキャリアまでスケジューリングされた第２タイプ伝送に基づくＣＢＧの個数がＰで、現在のコンポーネントキャリアまでスケジューリングされた第１カウンタ−ＤＡＩ値がＣ１であれば、現在のコンポーネントキャリアの第２カウンタ−ＤＡＩ値Ｃ２は
【数１４】
2020529780.tif 000027
に設定される。また、全体のコンポーネントキャリアにスケジューリングされた第２タイプ伝送に基づくＣＢＧの個数がＱで、第１トータル−ＤＡＩ値がＴ１であれば、第２トータル−ＤＡＩ値Ｔ２は
【数１５】
2020529780.tif 000028
に設定される。
【０２４６】
図３２を参照すると、端末にコンポーネントキャリア＃０、＃１、＃３、＃４、＃５、及び＃７を介してＰＤＳＣＨが伝送される。この際、コンポーネントキャリア＃０、＃１、＃３、＃４、＃５、及び＃７を介して伝送されるＣＢＧ（ら）の個数は、それぞれ２、３、１、４、３、及び４である。Ｎ＝４であれば、コンポーネントキャリア＃０及び＃３にスケジューリングされたＰＤＳＣＨは第１タイプ伝送に基づくＰＤＳＣＨであり、コンポーネントキャリア＃１、＃４、＃５、及び＃７にスケジューリングされたＰＤＳＣＨは第２タイプ伝送に基づくＰＤＳＣＨである。よって、第１タイプ伝送に基づくＰＤＳＣＨがスケジューリングされたコンポーネントキャリア＃０及び＃３のための各ＰＤＣＣＨの（第１カウンタ−ＤＡＩ、第１トータル−ＤＡＩ、第２カウンタ−ＤＡＩ、第２トータル−ＤＡＩ）フィールドの値は、それぞれ（０、１、０、１）、及び（１、１、１、１）である。また、第２タイプ伝送に基づくＰＤＳＣＨがスケジューリングされたコンポーネントキャリア＃１、＃４、＃５、及び＃７のための各ＰＤＣＣＨの（第１カウンタ−ＤＡＩ、第１トータル−ＤＡＩ、第２カウンタ−ＤＡＩ、第２トータル−ＤＡＩ）フィールドの値は、それぞれ（０、３、０、２）、（１、３、０、２）、（２、３、１、２）、及び（３、３、１、２）である。表１２は、本発明の第７実施例によって生成されたカウンタ−ＤＡＩとトータル−ＤＡＩを端末が解釈する方法を示す。
【０２４７】
【表１２】
2020529780.tif 000029
【０２４８】
表１２を参照すると、端末はＰＤＣＣＨの第１カウンタ−ＤＡＩフィールドと第１トータル−ＤＡＩフィールドの値を介して、コンポーネントキャリアにスケジューリングされた該当伝送タイプのＰＤＳＣＨの個数、及び前記ＰＤＣＣＨがスケジューリングする伝送タイプのＰＤＳＣＨが伝送された順番を識別する。また、端末はＰＤＣＣＨの第１カウンタ−ＤＡＩフィールドと第１トータル−ＤＡＩフィールドの値を介して、コンポーネントキャリアにスケジューリングされた該当伝送タイプのＰＤＳＣＨに含まれたＣＢＧの個数、及び前記ＰＤＣＣＨがスケジューリングする伝送タイプのＰＤＳＣＨが含むＣＢＧが伝送された順番を識別する。もし、現在のＰＤＣＣＨがスケジューリングするＰＤＳＣＨがｋ個のＣＢＧ（ら）を含み、伝送タイプがｘで（ここで、ｘ＝１または２）、（第１カウンタ−ＤＡＩ、第１トータル−ＤＡＩ、第２カウンタ−ＤＡＩ、第２トータル−ＤＡＩ）フィールドの値が（Ｃ１、Ｔ１、Ｃ２、Ｔ２）であれば、全体のコンポーネントキャリアにスケジューリングされたタイプ−ｘ伝送に基づくＰＤＳＣＨの総個数はＴ１＋１であり、現在のＰＤＣＣＨがスケジューリングするタイプ−ｘ伝送に基づくＰＤＳＣＨの順番はＣ１＋１番目である。また、タイプ−ｘに基づく前記ＰＤＳＣＨに含まれたＣＢＧは、Ｍｘ＊Ｃ１＋Ｃ２＋１番目からＭｘ＊Ｃ１＋Ｃ２＋ｋ番目までのＣＢＧである。ここで、ｘ＝１であればＭｘ＝１であり、ｘ＝２であれば
【数１６】
2020529780.tif 000030
である。一方、端末が一部のＰＤＣＣＨの受信に失敗したと判別する方法は、上述した実施例と同じである。
【０２４９】
図３３は、上述した第７実施例によってシグナリングされたＤＡＩに基づいてＨＡＲＱ−ＡＣＫビットシーケンスを生成する実施例を示す図である。まず、端末は第１タイプ伝送に基づくＰＤＳＣＨに対するＨＡＲＱ−ＡＣＫを第１カウンタ−ＤＡＩ値の順に結合して、第１タイプ伝送基盤ＨＡＲＱ−ＡＣＫビットシーケンスを生成する。また、端末は第２タイプ伝送に基づくＰＤＳＣＨに対するＨＡＲＱ−ＡＣＫを第１カウンタ−ＤＡＩ値の順に結合して、第２タイプ伝送基盤ＨＡＲＱ−ＡＣＫビットシーケンスを生成する。この際、ＰＤＣＣＨ受信に失敗したＰＤＳＣＨに対するＨＡＲＱ−ＡＣＫとして「ＮＡＣＫ」を使用する。一実施例によると、第１タイプ基盤伝送をスケジューリングするＰＤＣＣＨが全く受信されなければ、端末が生成するＨＡＲＱ−ＡＣＫビットシーケンスは、第１タイプ基盤伝送に対するＨＡＲＱ−ＡＣＫビットシーケンスを除外して構成される。同じく、第２タイプ基盤伝送をスケジューリングするＰＤＣＣＨが全く受信されなければ、端末が生成するＨＡＲＱ−ＡＣＫビットシーケンスは、第２タイプ基盤伝送に対するＨＡＲＱ−ＡＣＫビットシーケンスを除外して構成される。端末は、第１タイプ基盤伝送に対するＨＡＲＱ−ＡＣＫビットシーケンスと第２タイプ基盤伝送に対するＨＡＲＱ−ＡＣＫビットシーケンスを予め設定された順に結合して、全体のＨＡＲＱ−ＡＣＫビットシーケンスを構成する。一実施例によると、端末は第１タイプ基盤伝送に対するＨＡＲＱ−ＡＣＫビットシーケンスを第２タイプ基盤伝送に対するＨＡＲＱ−ＡＣＫビットシーケンスをの次に添付して、全体のＨＡＲＱ−ＡＣＫビットシーケンスを構成する。図３３を参照すると、端末が構成したＨＡＲＱ−ＡＣＫビットシーケンスは、［ｘ０（０）、ｘ１（０）、ｘ２（０）、ｘ０（１）、ｘ１（１）、ｘ２（１）、ｘ３（１）、ｘ０（２）、ｘ１（２）、ｘ２（２）、ｘ０（３）、ｘ１（３）、ｘ２（３）、ｘ３（３）、ｙ０（０）、ｙ１（０）、ｙ０（１）］である。但し、本発明はこれに限らず、前記ビットシーケンスを逆順に結合して全体のＨＡＲＱ−ＡＣＫビットシーケンスを構成してもよい。
【０２５０】
一方、上述した第７実施例によると、ＰＤＳＣＨに含まれたＣＢＧの個数に応じて伝送タイプを第１タイプ伝送と第２タイプ伝送に分け、伝送タイプ別に独立したＤＡＩ値をシグナリングすることで、ＤＣＩのオーバーベッドを減らすことができる。しかし、端末が互いに異なる伝送タイプをスケジューリングするＰＤＣＣＨを常に受信しなければならない短所がある。
【０２５１】
図３４は、本発明の第８実施例によるＤＡＩシグナリング方法を示す図である。本発明の第８実施例は、上述した第２実施例と第７実施例の少なくとも一部の構成を組み合わせて行われる。つまり、基地局はスケジューリングされたＰＤＳＣＨに含まれたＣＢＧの個数に応じて伝送タイプを第１タイプ伝送と第２タイプ伝送に分け、伝送タイプごとに独立してＰＤＳＣＨの個数に基づく第１カウンタ−ＤＡＩ（つまり、カウンタ−ＤＡＩ＃１）、第１トータル−ＤＡＩ（つまり、トータル−ＤＡＩ＃１）値と、ＣＢＧの個数に基づく第２カウンタ−ＤＡＩ（つまり、カウンタ−ＤＡＩ＃２）、第２トータル−ＤＡＩ（つまり、トータル−ＤＡＩ＃２）値を生成する。この際、第１カウンタ−ＤＡＩの値が偶数であれば、基地局はＰＤＣＣＨがスケジューリングするＰＤＳＣＨの伝送タイプと同じタイプに対する第１トータル−ＤＡＩ値と第２トータル−ＤＡＩ値を、それぞれＰＤＣＣＨの第１トータル−ＤＡＩフィールド及び第２トータル−ＤＡＩフィールドを介して伝送する。しかし、第１カウンタ−ＤＡＩの値が奇数であれば、基地局はＰＤＣＣＨがスケジューリングするＰＤＳＣＨの伝送タイプとは異なるタイプに対する第１トータル−ＤＡＩ値と第２トータル−ＤＡＩ値を、それぞれＰＤＣＣＨの第１トータル−ＤＡＩフィールド及び第２トータル−ＤＡＩフィールドを介して伝送する。ここで、ＤＡＩ値の定義は上述した第７実施例と同じである。
【０２５２】
図３４の実施例において、各コンポーネントキャリアを介してＣＢＧ（ら）が伝送される状況は、上述した第7実施例のようである。コンポーネントキャリア＃０及び＃３にスケジューリングされたＰＤＳＣＨは第１タイプ伝送に基づくＰＤＳＣＨであり、コンポーネントキャリア＃１、＃４、＃５、及び＃７にスケジューリングされたＰＤＳＣＨは第２タイプ伝送に基づくＰＤＳＣＨである。よって、第１タイプ伝送に基づくＰＤＳＣＨがスケジューリングされたコンポーネントキャリア＃０及び＃３のための各ＰＤＣＣＨの（第１カウンタ−ＤＡＩ、第１トータル−ＤＡＩ、第２カウンタ−ＤＡＩ、第２トータル−ＤＡＩ）フィールドの値は、それぞれ（０、１、０、１）、及び（１、３、１、２）である。また、第２タイプ伝送に基づくＰＤＳＣＨがスケジューリングされたコンポーネントキャリア＃１、＃４、＃５、及び＃７のための各ＰＤＣＣＨの（第１カウンタ−ＤＡＩ、第１トータル−ＤＡＩ、第２カウンタ−ＤＡＩ、第２トータル−ＤＡＩ）フィールドの値は、それぞれ（０、３、０、２）、（１、１、０、１）、（２、３、１、２）、及び（３、１、１、１）である。一方、第８実施例によってシグナリングされたＤＡＩに基づいてＨＡＲＱ−ＡＣＫビットシーケンスを生成する方法は、上述した図３３の実施例のようである。
【０２５３】
一方、上述した第８実施例によると、ＰＤＳＣＨに含まれたＣＢＧの個数に応じて伝送タイプを第１タイプ伝送と第２タイプ伝送に分け、伝送タイプ別に独立したＤＡＩ値をシグナリングすることで、ＤＣＩのオーバーベッドを減らすことができる。また、端末は一つの伝送タイプに基づくＰＤＳＣＨをスケジューリングするＰＤＣＣＨのみを受信しても、他の伝送タイプに基づくＰＤＳＣＨ及びＣＢＧの個数を知ることができる。しかし、端末は互いに異なるタイプのためのトータル−ＤＡＩを知らせる複数のＰＤＣＣＨ常に受信しなければならない。
【０２５４】
図３５は、本発明の第９実施例によるＤＡＩシグナリング方法を示す図である。本発明の第９実施例は、上述した第３実施例と第７実施例の少なくとも一部の構成を組み合わせて行われる。つまり、基地局はスケジューリングされたＰＤＳＣＨに含まれたＣＢＧの個数に応じて伝送タイプを第１タイプ伝送と第２タイプ伝送に分け、伝送タイプごとに独立してＰＤＳＣＨの個数に基づく第１カウンタ−ＤＡＩ（つまり、カウンタ−ＤＡＩ＃１）値と、ＣＢＧの個数に基づく第２カウンタ−ＤＡＩ（つまり、カウンタ−ＤＡＩ＃２）値を生成する。また、基地局は前記２つの伝送タイプに共に使用される共通の第１トータル−ＤＡＩ（つまり、トータル−ＤＡＩ＃１）値と、共通の第２トータル−ＤＡＩ（つまり、トータル−ＤＡＩ＃２）値を生成する。基地局はＰＤＳＣＨの伝送タイプによる第１カウンタ−ＤＡＩ値及び第２カウンタ−ＤＡＩ値を該当ＰＤＳＣＨをスケジューリングするＰＤＣＣＨを、第１カウンタ−ＤＡＩフィールド及び第２カウンタ−ＤＡＩフィールドを介して伝送する。また、基地局は伝送タイプにかかわらず、共通の第１トータル−ＤＡＩ値と共通の第２トータル−ＤＡＩ値を、全てのＰＤＣＣＨの第１トータル−ＤＡＩフィールド及び第２トータル−ＤＡＩフィールドを介して伝送する。
【０２５５】
追加の実施例によると、全体のコンポーネントキャリアにおいていずれか一つの伝送タイプのＰＤＳＣＨのみスケジューリングされたら、共通の第１トータル−ＤＡＩ値は予め設定された値に決定される。本発明の実施例によると、２−ｂｉｔトータル−ＤＡＩが使用されれば、前記予め設定された値は２進数の「１１」である。また、３−ｂｉｔトータル−ＤＡＩが使用されれば、前記予め設定された値は「０１１」または「１１１」である。一方、第１カウンタ−ＤＡＩ及び第２カウンタ−ＤＡＩ値を決定する方法は、上述した第７実施例と同じである。
【０２５６】
図３５の実施例において、各コンポーネントキャリアを介してＣＢＧ（ら）が伝送される状況は、上述した第7実施例のようである。また、共通の第１トータル−ＤＡＩ値及び共通の第２トータル−ＤＡＩ値は、それぞれ第２タイプ伝送に基づくＰＤＳＣＨ及びＣＢＧの個数に基づいて決定されると仮定する。よって、第１タイプ伝送に基づくＰＤＳＣＨがスケジューリングされたコンポーネントキャリア＃０及び＃３のための各ＰＤＣＣＨの（第１カウンタ−ＤＡＩ、第１トータル−ＤＡＩ、第２カウンタ−ＤＡＩ、第２トータル−ＤＡＩ）フィールドの値は、それぞれ（０、３、０、２）、及び（１、３、１、２）である。また、第２タイプ伝送に基づくＰＤＳＣＨがスケジューリングされたコンポーネントキャリア＃１、＃４、＃５、及び＃７のための各ＰＤＣＣＨの（第１カウンタ−ＤＡＩ、第１トータル−ＤＡＩ、第２カウンタ−ＤＡＩ、第２トータル−ＤＡＩ）フィールドの値は、それぞれ（０、３、０、２）、（１、３、０、２）、（２、３、１、２）、及び（３、３、１、２）である。
【０２５７】
図３６は、上述した第９実施例によってシグナリングされたＤＡＩに基づいてＨＡＲＱ−ＡＣＫビットシーケンスを生成する実施例を示す図である。ＨＡＲＱ−ＡＣＫビットシーケンスは、上述した図３３の実施例と同じく生成される。しかし、第１タイプ伝送に基づくＰＤＳＣＨのために（第１トータル−ＤＡＩ、第２トータル−ＤＡＩ）フィールドの値として（１、１）の代わりに（３、２）が使用されているため、ＨＡＲＱ−ＡＣＫビットシーケンスには２つの仮想のＰＤＳＣＨに含まれた３つの仮想のＣＢＧに対するダミーＨＡＲＱ−ＡＣＫ［ｚ０、ｚ１、ｚ２］が追加に含まれる。
【０２５８】
図３７は、本発明の第１０実施例によるＤＡＩシグナリング方法を示す図である。基地局がＣＢＧ−基盤伝送を構成すれば、各コンポーネントキャリアまたはセルに構成された一つのＴＢ当たりＣＢＧ（ら）の個数は互いに異なる。例えば、コンポーネントキャリア＃０では一つのＴＢ当たりＣＢＧの個数は２であり、コンポーネントキャリア＃１では一つのＴＢ当たりＣＢＧの個数は４に構成される。また、端末が一つのＰＤＳＣＨから２つのＴＢが伝送される伝送モードで構成されていれば、前記２つのＴＢでは一つのＴＢ当たりＣＢＧ（ら）の個数が同じく設定される。
【０２５９】
一つのＰＤＳＣＨから一つのＴＢが伝送される伝送モードで構成された端末は、前記構成されたＣＢＧ（ら）の個数に基づくＨＡＲＱ−ＡＣＫビット（ら）を基地局に伝送すべきである。一つのＰＤＳＣＨから２つのＴＢが伝送される伝送モードで構成された端末が空間バンドリングを行わないように構成されれば、端末は前記構成されたＴＢ当たりＣＢＧ（ら）の個数の２倍に基づくＨＡＲＱ−ＡＣＫビットを基地局に伝送すべきである。一方、一つのＰＤＳＣＨから２つのＴＢが伝送される伝送モードで構成された端末が空間バンドリングを行うように構成されれば、端末は前記構成されたＴＢ当たりＣＢＧ（ら）の個数に基づくＨＡＲＱ−ＡＣＫビット（ら）を基地局に伝送すべきである。以下、本発明の実施例では、端末が空間バンドリングを行うように構成されているか、一つのＰＤＳＣＨから一つのＴＢが伝送される伝送モードで構成されていると仮定する。空間バンドリングを初めとするＨＡＲＱ−ＡＣＫバンドリング方法の具体的な実施例は後述する。但し、本発明の実施例は、一つのＰＤＳＣＨから２つのＴＢが伝送される伝送モードで構成され、空間バンドリングを行わないように構成された端末にも拡張して適用されてもよい。
本発明の実施例によると、ＰＤＳＣＨをスケジューリングするＰＤＣＣＨのＤＣＩには、カウンタ−ＤＡＩとトータル−ＤＡＩが含まれる。この際、カウンタ−ＤＡＩは最初のコンポーネントキャリア（つまり、コンポーネントキャリア＃０）から以前のコンポーネントキャリアまでスケジューリングされたＣＢＧグループの累積個数を示し、トータル−ＤＡＩは全体のコンポーネントキャリアにスケジューリングされたＣＢＧグループの総個数を示す。ここで、ＣＢＧグループは予め設定されたＳ個のＣＢＧを束ねて一つのグループにしたものである。一実施例によると、前記カウンタ−ＤＡＩとトータル−ＤＡＩにおいて、ＴＢ−基盤ＰＤＳＣＨはＳ個のＣＢＧからなるＣＢＧ−基盤伝送と同じく取り扱われる。つまり、ＴＢ−基盤ＰＤＳＣＨは一つのＣＢＧグループを含んでいると仮定する。よって、端末はＴＢ−基盤ＰＤＳＣＨを受信してもＳ−ｂｉｔ  ＨＡＲＱ−ＡＣＫをフィードバックすべきである。Ｓ−ｂｉｔ  ＨＡＲＱ−ＡＣＫは、１−ｂｉｔ  ＴＢ−基盤ＨＡＲＱ−ＡＣＫを繰り返して生成されるか、残余ビット（ら）にＮＡＣＫをマッピングして生成される。例えば、トータル−ＤＡＩ値が３であれば、端末は全体のコンポーネントキャリアを介して計３＊Ｓ個のＣＢＧが伝送されたと判断する。よって、端末は計３＊Ｓ−ｂｉｔ  ＨＡＲＱ−ＡＣＫを伝送すべきである。もし一つのＰＤＳＣＨから２つのＴＢが伝送され、空間バンドリングが行われていなければ、端末は計２＊３＊Ｓ−ｂｉｔ  ＨＡＲＱ−ＡＣＫを伝送すべきである。
【０２６０】
表１３は、トータル−ＤＡＩフィールドとカウンタ−ＤＡＩフィールドが２つのビットからなる際、各ＤＡＩ値が指示するＣＢＧ（ら）の個数を示す。また、表１４は、トータル−ＤＡＩフィールドとカウンタ−ＤＡＩフィールドが３つのビットからなる際、各ＤＡＩ値が指示するＣＢＧ（ら）の個数を示す。
【０２６１】
【表１３】
2020529780.tif 000031
【０２６２】
【表１４】
2020529780.tif 000032
【０２６３】
表１３と表１４において、下付き添え字ｃはコンポーネントキャリア（または、セル）のインデックスを示す。つまり、ＶＤＬＣ＝ＤＡＩ、ｃはコンポーネントキャリアＣのカウンタ−ＤＡＩ値であり、ＶＤＬＴ−ＤＡＩはトータル−ＤＡＩ値である。表１３及び表１４のシグナリング方法によると、トータル−ＤＡＩまたはカウンタ−ＤＡＩ値がＡであれば、該当ＤＡＩフィールドが示すＣＢＧの個数はＳ＊（２＾Ｂ＋Ａ）である。ここで、Ｂはカウンタ−ＤＡＩまたはトータル−ＤＡＩのビット幅（ｂｉｔ  ｗｉｄｔｈ）である。本発明の実施例によると、一つのＣＢＧグループに含まれるＣＢＧの個数Ｓは、カウンタ−ＤＡＩまたはトータル−ＤＡＩで表されるＣＢＧの個数に対する細かさで表される。
【０２６４】
本発明の実施例によると、一つのＣＢＧグループに含まれるＣＢＧの個数Ｓの値は多様な方法で決定される。一実施例によると、Ｓの値はＳ＝２に固定される。好ましくは、Ｓは端末−特定ＲＲＣ信号からなる。他の実施例によると、Ｓは各コンポーネントキャリアに構成されたＣＢＧの個数の最大公約数の値に決定される。例えば、コンポーネントキャリア＃０には２つのＣＢＧが構成され、コンポーネントキャリア＃１には６つのＣＢＧが構成されれば、Ｓ＝２に設定される。また、コンポーネントキャリア＃０には４のＣＢＧが構成され、コンポーネントキャリア＃１には８つのＣＢＧが構成されれば、Ｓ＝４に設定される。
【０２６５】
他の実施例によると、一つのコンポーネントキャリアから一つＴＢが伝送される伝送モードであれば、Ｓの値はＳ＝２に固定され、一つのコンポーネントキャリアから２つのＴＢが伝送される伝送モードであれば、Ｓの値はＳ＝４に固定される。更に他の実施例によると、全てのコンポーネントキャリアが一つのＴＢのみ伝送される伝送モードで構成されれば、Ｓは各コンポーネントキャリアに構成されたＣＢＧの個数の最大公約数の値に決定される。また、一つのコンポーネントキャリアから一つのＴＢのみ伝送される伝送モードであれば、Ｓは各コンポーネントキャリアに構成されたＣＢＧの個数の最大公約数の２倍の値に決定される。例えば、一つのコンポーネントキャリアから２つのＴＢが伝送される伝送モードである場合、コンポーネントキャリア＃０には２つのＣＢＧが構成され、コンポーネントキャリア＃１には６つのＣＢＧが構成されれば、Ｓ＝４に設定される。また、コンポーネントキャリア＃０には４のＣＢＧが構成され、コンポーネントキャリア＃１には８つのＣＢＧが構成されれば、Ｓ＝８に設定される。
【０２６６】
端末が期待するカウンタ−ＤＡＩフィールドとトータル−ＤＡＩフィールドのビット幅は、一つのＣＢＧグループに含まれたＣＢＧの個数Ｓによって異なり得る。一実施例によると、カウンタ−ＤＡＩフィールドとトータル−ＤＡＩフィールドのビット幅は、それぞれ２＋ｃｅｉｌ（ｌｏｇ２（Ｘ／Ｓ））に設定される。ここで、Ｘは端末に構成された各コンポーネントキャリアのＣＢＧの個数のうち最も大きい数である。ここで、ｃｅｉｌ（ａ）はａより大きいか同じ整数のうち最も小さい数を示す。例えば、端末に２つのコンポーネントキャリアが構成され、コンポーネントキャリア＃０で構成されたＣＢＧの個数が２であって、コンポーネントキャリア＃１で構成されたＣＢＧの個数が４であれば、Ｓ＝２である。この際、カウンタ−ＤＡＩフィールドとトータル−ＤＡＩフィールドのビット幅は、それぞれ２＋ｃｅｉｌ（ｌｏｇ２（４／２））＝３ｂｉｔｓに設定される。また、端末に２のコンポーネントキャリアが構成され、コンポーネントキャリア＃０で構成されたＣＢＧの個数が４であって、コンポーネントキャリア＃１で構成されたＣＢＧの個数が８であれば、Ｓ＝４である。この際、カウンタ−ＤＡＩフィールドとトータル−ＤＡＩフィールドのビット幅は、それぞれ２＋ｃｅｉｌ（ｌｏｇ２（８／４））＝３ｂｉｔｓに設定される。
【０２６７】
図３７を参照すると、端末にコンポーネントキャリア＃０、＃１、＃３、＃４、＃５、及び＃７を介してＰＤＳＣＨが伝送される。この際、コンポーネントキャリア＃０、＃１、＃３、＃４、＃５、及び＃７を介して伝送されるＣＢＧの個数は、それぞれ２、４、６、８、２、及び４である。本発明の一実施例によって、一つのＣＢＧグループが含むＣＢＧの個数Ｓは、前記ＣＢＧの個数の最大公約数である２に設定される。よって、コンポーネントキャリア＃０、＃１、＃３、＃４、＃５、及び＃７のための各ＰＤＣＣＨの（カウンタ−ＤＡＩ、トータル−ＤＡＩ）フィールドの値はそれぞれ（０、１３）、（１、１３）、（３、１３）、（６、１３）、（１０、１３）、及び（１１、１３）である。
【０２６８】
図３８は、本発明の実施例によるＨＡＲＱ−ＡＣＫの圧縮方法を示す図である。ＣＢＧ−基盤伝送が構成された端末が伝送すべきＨＡＲＱ−ＡＣＫペイロードの長さがＰＵＣＣＨの最大伝送容量を超過すれば、前記ＨＡＲＱ−ＡＣＫペイロードはＰＵＣＣＨの最大伝送容量に合わせて圧縮されるべきである。
【０２６９】
本発明の実施例によると、端末は全体のＴＢのうち一部のＴＢ（またはＰＤＳＣＨ）に対してはＴＢ−基盤ＨＡＲＱ−ＡＣＫを伝送し、残りのＴＢ（またはＰＤＳＣＨ）に対してはＣＢＧ−基盤ＨＡＲＱ−ＡＣＫを伝送する。図３８を参照すると、端末のＨＡＲＱ−ＡＣＫペイロードは、以下のように３つの部分に構成される。まず、「ヘッダ」部分は、以降のＨＡＲＱ−ＡＣＫペイロードの解釈方法を知らせる。より詳しくは、「ヘッダ」はＣＢＧ−基盤ＨＡＲＱ−ＡＣＫが伝送されるＴＢ（またはＰＤＳＣＨ）のインデックスを知らせる。また、「ヘッダ」はＴＢ−基盤ＨＡＲＱ−ＡＣＫが伝送するＴＢ（またはＰＤＳＣＨ）のインデックスを知らせる。次に、「ＴＢ−Ａ／Ｎ」フィールドは、「ヘッダ」からＴＢ−基盤ＨＡＲＱ−ＡＣＫを伝送するように指示したＴＢ（またはＰＤＳＣＨ）に対するＴＢ−基盤ＨＡＲＱ−ＡＣＫを含む。この際、ＴＢ−基盤ＨＡＲＱ−ＡＣＫの順番は、ＴＢ（またはＰＤＳＣＨ）のカウンタ−ＤＡＩ値の昇順に設定される。次に、「ＣＢＧ−Ａ／Ｎ」フィールドは、「ヘッダ」からＣＢＧ−基盤ＨＡＲＱ−ＡＣＫを伝送するように指示したＴＢ（またはＰＤＳＣＨ）に対するＣＢＧ−基盤ＨＡＲＱ−ＡＣＫを含む。この際、ＣＢＧ−基盤ＨＡＲＱ−ＡＣＫの順番は、ＴＢ（またはＰＤＳＣＨ）のカウンタ−ＤＡＩ値の昇順に設定される。ちなみに、互いに異なるＴＢに対するＣＢＧ−基盤ＨＡＲＱ−ＡＣＫのビットの個数が異なれば、全てのＴＢに対するＣＢＧ−基盤ＨＡＲＱ−ＡＣＫペイロードの長さが、各ＣＢＧ−基盤ＨＡＲＱ−ＡＣＫのうち最も長く構成されたＣＢＧ−基盤ＨＡＲＱ−ＡＣＫのビットの長さと同じになるようにＮＡＣＫが添付される。
【０２７０】
「ヘッダ」部分は以下のように設定される。計Ｘ個のＴＢに対するＨＡＲＱ−ＡＣＫが伝送されれば、端末はＸ個のうちＣ個のＴＢ（ら）に対してはＣＢＧ−基盤ＨＡＲＱ−ＡＣＫを伝送し、残りのＸ−ｃ個ＴＢ（ら）に対してはＴＢ−基盤ＨＡＲＱ−ＡＣＫを伝送する。ここで、端末と基地局がｃの値を決定する方法は後述する。「ヘッダ」部分は、Ｘ個のＴＢ（ら）のうちｃ個を選択する情報を示す。「ヘッダ」部分は、Ｘ−ｂｉｔ長さのビットマップからなる。各ビットは、各ＴＢに対してＴＢ−基盤ＨＡＲＱ−ＡＣＫを伝送されるのか、またはＣＢＧ−基盤ＨＡＲＱ−ＡＣＫが伝送されるのかに関する情報を示す。他の実施例として、Ｘ個のＴＢ（ら）のうちｃ個を選択する場合の数は
【数１７】
2020529780.tif 000033
である。ここで、
【数１８】
2020529780.tif 000034
は二項係数である。よって、「ヘッダ」に必要なビットの個数は
【数１９】
2020529780.tif 000035
である。「ヘッダ」は
【数２０】
2020529780.tif 000036
の値を指示し、その値を解釈する方法は以下のようである。まず、「ヘッダ」の値がｉであると仮定する。１の個数がｃで、０の個数がＸ−ｃである長さがＸのバイナリシーケンスのうちｉ＋１番目に小さい数（または、大きい数）のバイナリシーケンスを獲得する。この際、該当バイナリシーケンスのうち、１が位置するインデックスがＣＢＧ−基盤ＨＡＲＱ−ＡＣＫが伝送されるＴＢ（またはＰＤＳＣＨ）のインデックスであり、０が位置するインデックスがＴＢ−基盤ＨＡＲＱ−ＡＣＫを伝送されるＴＢ（またはＰＤＳＣＨ）のインデックスと解釈される。例えば、Ｘ＝４でｃ＝２であれば、「ヘッダ」は０〜５の値を指示する。もし「ヘッダ」の値が０乃至５のうちいずれか一つの値であれば、それぞれ００１１、０１０１、０１１０、１００１、１０１０、または１１００にそれぞれマッチングされる。「ヘッダ」の値が２であれば０１１０にマッチングされるため、２番目と３番目のＴＢ（またはＰＤＳＣＨ）に対してはＣＢＧ−基盤ＨＡＲＱ−ＡＣＫが伝送され、１番目と４番目のＴＢ（またはＰＤＳＣＨ）に対してはＴＢ−基盤ＨＡＲＱ−ＡＣＫが伝送される。
【０２７１】
本発明の一実施例によると、端末と基地局は以下のような方法でｃの値を決定する。基地局と端末は、ＨＡＲＱ−ＡＣＫを伝送するＰＵＣＣＨが伝送し得る最大伝送ビットの個数を知ることができる。前記最大伝送ビットの個数をＢと仮定する。また、ＣＢＧ−基盤ＨＡＲＱ−ＡＣＫペイロードの長さはＮと仮定する。端末と基地局は、全体のコンポーネントキャリアでいくつのＴＢ（またはＰＤＳＣＨ）がスケジューリングされたのかを、トータル−ＤＡＩ値を介して識別する。スケジューリングされたＴＢ（またはＰＤＳＣＨ）の総個数をＸと仮定する。この際、ｃは以下の数学式１を満足する最も大きい整数に決定される。
【０２７２】
【数２１】
2020529780.tif 000037
【０２７３】
前記数式１において、Ｘ、Ｎ、及びＢの値は端末と基地局が知ることができる値であるため、端末と基地局はエラーなしにｃの値を識別する。ちなみに、ｃの値が決定されれば、端末が伝送するＨＡＲＱ−ＡＣＫペイロードの長さは
【数２２】
2020529780.tif 000038
である。基地局は、常に前記長さのＨＡＲＱ−ＡＣＫペイロードを期待する。
【０２７４】
例えば、Ｘ＝９、Ｂ＝２２、Ｎ＝４とすると、前記数学式１によってｃ＝２が得られる。よって、端末はＨＡＲＱ−ＡＣＫを生成する際、計９つのＴＢ（またはＰＤＳＣＨ）のうち２つのＴＢ（またはＰＤＳＣＨ）に対してはＮ−ｂｉｔ  ＣＢＧ−基盤ＨＡＲＱ−ＡＣＫを構成し、残りの７つのＴＢ（またはＰＤＳＣＨ）に対しては１−ｂｉｔ  ＴＢ−基盤ＨＡＲＱ−ＡＣＫを構成する。この際、基地局は常に２１−ｂｉｔ  ＨＡＲＱ−ＡＣＫを期待する。基地局が受信した２−ｂｉｔ  ＨＡＲＱ−ＡＣＫが［００１１１１１０１１０００１１１０１０１０］であれば、前記ＨＡＲＱ−ＡＣＫに対する解釈は以下のようである。前記ＨＡＲＱ−ＡＣＫにおいて、「ヘッダ」の
【数２３】
2020529780.tif 000039
であるため、「ヘッダ」後は［００１１１１］であって１５である。長さが１５のバイナリシーケンスのうち１６番目に小さいバイナリシーケンスは［００１００００００１］であるため、３番目と9番目のＴＢ（またはＰＤＳＣＨ）に対してはＣＢＧ−基盤ＨＡＲＱ−ＡＣＫが伝送され、１番目、２番目、３番目、４番目、５番目、６番目、７番目、及び８番目のＴＢ（またはＰＤＳＣＨ）に対してはＴＢ−基盤ＨＡＲＱ−ＡＣＫが伝送される。「ヘッダ」の次のＸ−ｃ＝９−２＝７個のビットは、「ＴＢ−Ａ／Ｎ」フィールドである。該当フィールドの値［１０１１０００］は、１番目、２番目、４番目、５番目、６番目、７番目、及び８番目のＴＢ（またはＰＤＳＣＨ）のＴＢ−基盤ＨＡＲＱ−ＡＣＫを示す。「ＴＢ−Ａ／Ｎ」フィールドの次のｃ＊Ｎ＝２＊４＝８個のビットは、「ＣＢＧ−Ａ／Ｎ」フィールドである。該当フィールドの値［１１１０１０１０］は、３番目と９番目のＴＢ（またはＰＤＳＣＨ）のＣＢＧ−基盤ＨＡＲＱ−ＡＣＫを示す。つまり、３番目のＴＢ（またはＰＤＳＣＨ）のＣＢＧ−基盤ＨＡＲＱ−ＡＣＫは１１１０であり、９番目のＴＢ（またはＰＤＳＣＨ）のＣＢＧ−基盤ＨＡＲＱ−ＡＣＫは１０１０である。
【０２７５】
図３９乃至図４０は、本発明の実施例によってＨＡＲＱ−ＡＣＫの空間バンドリングを行う方法を示す図である本発明の実施例によってＨＡＲＱ−ＡＣＫの空間バンドリングを行う方法を示す図である。一つのＰＤＳＣＨにおいて、２つのＴＢが伝送される伝送モードで構成され、ＣＢＧ−基盤伝送が構成された端末が空間バンドリングを行えば、各ＴＢに対するＣＢＧ−基盤ＨＡＲＱ−ＡＣＫが束ねられるべきである。また、端末は、互いに異なるスロットを介して伝送されるＣＢＧ−基盤ＨＡＲＱ−ＡＣＫが空間バンドリングするように構成される。本発明の実施例によって空間バンドリングを行う方法は以下のようである。ちなみに、空間バンドリングを行う方法が説明されるが、これは互いに異なる２つのＴＢ間のＨＡＲＱ−ＡＣＫを束ねる場合に使用される。
【０２７６】
各ＴＢに同じ数の最大ＣＢＧの個数Ｎが構成されれば、ＴＢ＃１が含むＣＢＧの個数をＭ１とし、ＴＢ＃２が含むＣＢＧの個数をＭ２とし、Ｍ１がＭ２より大きいか同じであると仮定する。つまり、ＴＢ＃１がＴＢ＃２と同じであるか多いＣＢＧを含んでいると仮定する。もしＴＢ＃２がＴＢ＃１より多いＣＢＧを含んでいれば、ＴＢ＃１とＴＢ＃２のインデックスを切り替えて本発明の実施例を適用する。端末がバンドリングを行わないように構成されれば、端末はＴＢ当たりＮ個のビットずつ、計２＊Ｎ−ｂｉｔ  ＨＡＲＱ−ＡＣＫを伝送すべきである。この際、Ｍ１＜Ｎであれば、該当ＴＢにはＭ１個のＣＢＧ（ら）とＮ−Ｍ１個の仮想のＣＢＧ（ら）が含まれていると表現する。ＴＢ＃１に対するＮ−ｂｉｔ  ＨＡＲＱ−ＡＣＫは、［ａ１、ａ２、…、ａＭ１、ｘ、…、ｘ］であり、ＴＢ＃２に対するＮ−ｂｉｔ  ＨＡＲＱ−ＡＣＫは、［ｂ１、ｂ２、…、ｂＭ２、ｘ、…、ｘ］であると仮定する。ここで、ｘはＨＡＲＱ−ＡＣＫペイロードの長さを合わせるために、仮想のＣＢＧ（ら）に対するＨＡＲＱ−ＡＣＫを詰め込んだ値であって、後にＮＡＣＫにマッピングされる。
【０２７７】
まず、図３９は、ＨＡＲＱ−ＡＣＫの空間バンドリングを行う第１実施例を示す。より詳しくは、図３９（ａ）乃至図３９（ｃ）は、Ｍ１＝ＮでＭ２＝１〜３である場合のＨＡＲＱ−ＡＣＫの空間バンドリングを行うそれぞれの実施例を示す。Ｍ＝Ｎであれば、２つのＴＢに含まれたＣＢＧのうちバンドリングを行われるＣＢＧのインデックスは、前記２つのＴＢが割り当てられた資源要素が時間−周波数領域でなるべく多く重なるように選択される。これは、時間−周波数領域でなるべく多く重なればより高い相関度を期待できるためである。より詳しくは、Ｍ１＝Ｎであれば、２つのＴＢに含まれたＣＢＧのうちバンドリングを行われるＣＢＧのインデックスは、Ｍ１値とＭ２値によって表１５の値に従う。
【０２７８】
【表１５】
2020529780.tif 000040
【０２７９】
表１５を参照すると、Ｍ１＝４でＭ２＝２であれば、バンドリングが行われるＣＢＧのインデックスとして｛１、４｝の値が得られる。よって、図３９（ｂ）を参照すると、ＴＢ＃２の１番目のＣＢＧはＴＢ＃１の１番目のＣＢＧと束ねられ、ＴＢ＃２の２番目のＣＢＧはＴＢ＃１の４番目のＣＢＧと束ねられる。また、Ｍ１＝４でＭ２＝３であれば、バンドリングが行われるＣＢＧのインデックスとして｛１、２、４｝の値が得られる。よって、図３９（ｃ）を参照すると、ＴＢ＃２の１番目のＣＢＧはＴＢ＃１の１番目のＣＢＧと束ねられ、ＴＢ＃２の２番目のＣＢＧはＴＢ＃１の２番目のＣＢＧと束ねられ、ＴＢ＃２の３番目のＣＢＧはＴＢ＃１の４番目のＣＢＧと束ねられる。
【０２８０】
表１６は、上述した第１実施例によって空間バンドリングを行う他の方法を例示する。Ｍ１＝Ｎであれば、２つのＴＢに含まれたＣＢＧのうちバンドリングを行われるＣＢＧのインデックスは、Ｍ１値とＭ２値によって表16の値に従う。
【０２８１】
【表１６】
2020529780.tif 000041
【０２８２】
表１６を参照すると、Ｍ１＝４でＭ２＝3であれば、バンドリングが行われるＣＢＧのインデックスとして｛1、３、４｝の値が得られる。よって、ＴＢ＃２の１番目のＣＢＧはＴＢ＃１の１番目のＣＢＧと束ねられ、ＴＢ＃２の２番目のＣＢＧはＴＢ＃１の３番目のＣＢＧと束ねられ、ＴＢ＃２の３番目のＣＢＧはＴＢ＃１の４番目のＣＢＧと束ねられる。
【０２８３】
次に、図４０は、ＨＡＲＱ−ＡＣＫの空間バンドリングを行う第２実施例を示す。より詳しくは、図４０（ａ）乃至図４０（ｆ）は、Ｍ１＜Ｎである場合のＨＡＲＱ−ＡＣＫの空間バンドリングを行うそれぞれの実施例を示す。Ｍ１＜Ｎであれば、ＴＢ＃２の一部のＨＡＲＱ−ＡＣＫビット（ら）をＴＢ＃１で使用しない（または、仮想のＣＢＧに対して使用された）ＨＡＲＱ−ＡＣＫビット（ら）に優先的にマッピングし、ＴＢ＃２の残りのＨＡＲＱ−ＡＣＫビット（ら）とＴＢ＃１のＨＡＲＱ−ＡＣＫビット（ら）のバンドリングを行う。まず、図４０（ａ）乃至図４０（ｃ）は、Ｍ１＜Ｎで、Ｍ１＋Ｍ２がＮより小さいか同じ場合の実施例を示す。この場合、空間バンドリングが行われたＮ−ｂｉｔ  ＨＡＲＱ−ＡＣＫは、ＴＢ＃１のＭ１−ｂｉｔ  ＨＡＲＱ−ＡＣＫとＴＢ＃２のＭ２−ｂｉｔ  ＨＡＲＱ−ＡＣＫ及びＮ−（Ｍ１＋Ｍ２）−ｂｉｔのＮＡＣＫからなる。また、図４０（ｄ）乃至図４０（ｆ）は、Ｍ１＜Ｎで、Ｍ１＋Ｍ２はＮより大きく、２＊Ｎより小さい場合の実施例を示す。この場合、空間バンドリングが行われたＮ−ｂｉｔ  ＨＡＲＱ−ＡＣＫのうちＭ１＋Ｍ２−Ｎ個のビット（ら）は、ＴＢ＃１のＨＡＲＱ−ＡＣＫのうちＭ１＋Ｍ２−Ｎ個のビット（ら）と、ＴＢ＃２のＨＡＲＱ−ＡＣＫのうちＭ１＋Ｍ２−Ｎ個のビット（ら）のバンドリング（つまり、２進数ＡＮＤ演算）をして構成される。また、空間バンドリングが行われたＮ−ｂｉｔ  ＨＡＲＱ−ＡＣＫのうち２＊Ｎ−（Ｍ１＋Ｍ２）個のビット（ら）は、ＴＢ＃１のＨＡＲＱ−ＡＣＫのうち残りのＮ−Ｍ２個のビット（ら）と、ＴＢ＃２のＨＡＲＱ−ＡＣＫのうち残りのＮ−Ｍ１個のビット（ら）からなる。
【０２８４】
より具体的な実施例として、［ｂ１、ｂ２、…、ｂＭ２］を、［ｂ１、ｂ２、…、ｂＭ２−ｋ］と［ｂＭ２−ｋ＋１、ｂＭ２−ｋ＋２、…、ｂＭ２］に分けられる。ここで、ｋはｋ＝Ｎ−Ｍ１である。そして、［ｂ１、ｂ２、…、ｂＭ２−ｋ］と［ａ１、ａ２、…、ａＭ２−ｋ］には２進数ＡＮＤ演算を行う。このようにした得られた結果を［ｃ１、ｃ２、…、ｃＭ２−ｋ］といえる。最終的に、バンドリングが行われたＨＡＲＱ−ＡＣＫは、［ｃ１、ｃ２、…、ｃＭ２−ｋ］、［ａＭ２−ｋ＋１、ａＭ２−ｋ＋１、…、ａＭ１］、［ｂＭ２−ｋ＋１、ｂＭ２−ｋ＋２、…、ｂＭ２］を順次に連結して得られる。本発明の実施例によると、ＨＡＲＱ−ＡＣＫの連結順番は切り替えられる。ちなみに、このように連結されたＨＡＲＱ−ＡＣＫの長さがＮ−ｂｉｔより小さければ、Ｎ−ｂｉｔに合わせるためにＨＡＲＱ−ＡＣＫの後にｘを添付する。この際、ｘはＮＡＣＫにマッピングされる。最終的に、バンドリングが行われたＨＡＲＱ−ＡＣＫを、［ｏ１、ｏ２、…、ｏＮ］とすると、インデックスｉの値によるＨＡＲＱ−ＡＣＫのビット数Ｏｉは数学式２のように得られる。
【０２８５】
【数２４】
2020529780.tif 000042
【０２８６】
ここで、＆は２進数ＡＮＤ演算を意味する。また、ｋ＝Ｎ−Ｍ１で、α＝ｍａｘ｛Ｎ−（Ｍ１＋Ｍ２）、０｝である。この際、ｍａｘ｛ｓ、ｔ｝はｓとｔのうち大きい数を返す。ここで、ｘはＮＡＣＫにマッピングされる。
【０２８７】
本発明の他の実施例として、最終的にバンドリングが行われたＨＡＲＱ−ＡＣＫを、［ｏ１、ｏ２、…、ｏＮ］とすると、インデックスｉの値によるＨＡＲＱ−ＡＣＫのビット数Ｏｉは数学式３のように得られる。
【０２８８】
【数２５】
2020529780.tif 000043
【０２８９】
ここで、λはＭ１＋Ｍ２−Ｎである。また、ｘはＮＡＣＫにマッピングされる。
【０２９０】
数学式２、数学式３、及び図４０を参照すると、２つのＴＢに対するＨＡＲＱ−ＡＣＫによって最終的にバンドリングが行われたＨＡＲＱ−ＡＣＫは以下のようである。図４０（ａ）を参照して、２つのＴＢに対するＨＡＲＱ−ＡＣＫが［ａ１、ｘ、ｘ、ｘ］及び［ｂ１、ｘ、ｘ、ｘ］であれば、最終バンドリングが行われたＨＡＲＱ−ＡＣＫは［ａ１、ｂ１、ｘ、ｘ］である。図４０（ｂ）を参照して、２つのＴＢに対するＨＡＲＱ−ＡＣＫが［ａ１、ａ２、ｘ、ｘ］及び［ｂ１、ｘ、ｘ、ｘ］であれば、最終バンドリングが行われたＨＡＲＱ−ＡＣＫは［ａ１、ａ２、ｂ１、ｘ］である。図４０（ｃ）を参照して、２つのＴＢに対するＨＡＲＱ−ＡＣＫが［ａ１、ａ２、ｘ、ｘ］及び［ｂ１、ｂ２、ｘ、ｘ］であれば、最終バンドリングが行われたＨＡＲＱ−ＡＣＫは［ａ１、ａ２、ｂ１、ｂ２］である。図４０（ｄ）を参照して、２つのＴＢに対するＨＡＲＱ−ＡＣＫが［ａ１、ａ２、ａ３、ｘ］及び［ｂ１、ｘ、ｘ、ｘ］であれば、最終バンドリングが行われたＨＡＲＱ−ＡＣＫは［ａ１、ａ２、ａ３、ｂ１］である。図４０（ｅ）を参照して、２つのＴＢに対するＨＡＲＱ−ＡＣＫが［ａ１、ａ２、ａ３、ｘ］及び［ｂ１、ｂ２、ｘ、ｘ］であれば、最終バンドリングが行われたＨＡＲＱ−ＡＣＫは［ａ１＆ｂ１、ａ２、ａ３、ｂ２］である。ここで、＆は２進数ＡＮＤ演算である。図４０（ｆ）を参照して、２つのＴＢに対するＨＡＲＱ−ＡＣＫが［ａ１、ａ２、ａ３、ｘ］及び［ｂ１、ｂ２、ｂ３、ｘ］であれば、最終バンドリングが行われたＨＡＲＱ−ＡＣＫは［ａ１＆ｂ１、ａ２＆ｂ２、ａ３、ｂ３］である。また、２つのＴＢに対するＨＡＲＱ−ＡＣＫが［ａ１、ａ２、ａ３、ａ４］及び［ｂ１、ｂ２、ｂ３、ｘ］であれば、最終バンドリングが行われたＨＡＲＱ−ＡＣＫは［ａ１＆ｂ１、ａ２＆ｂ２、ａ３＆ｂ３、ａ４］である。
【０２９１】
図４１及び図４２は、本発明の実施例によってＨＡＲＱ−ＡＣＫの空間バンドリングを行う方法をより詳しく示す図である。図４１及び図４２において、ＮはＲＲＣ信号からなる一つＴＢ当たりＣＢＧの最大個数であり、Ｍ１はＴＢ＃１に含まれたＣＢＧの（ら）の個数、Ｍ２はＴＢ＃２に含まれたＣＢＧ（ら）の個数である。また、ＴＢ＃１のｉ番目のＣＢＧに対するＨＡＲＱ−ＡＣＫビットはａｉであり、ＴＢ＃２のｉ番目のＣＢＧに対するＨＡＲＱ−ＡＣＫビットはｂｉである。＆は２進数ＡＮＤ演算を示す。また、ｘはＮＡＣＫにマッピングされる。
【０２９２】
本発明の実施例によると、一つのＰＤＳＣＨから２つのＴＢが伝送される伝送モードで構成され、ＣＢＧ−基盤伝送が構成された端末のためのＤＣＩは、以下のように設定される。まず、一つのＴＢ当たりＮ個のＣＢＧが構成されていると仮定する。端末が空間バンドリングを行わないように構成されれば、端末のＤＣＩには各ＴＢ当たりいかなるＣＢＧが伝送されるのかを指示するために、各ＴＢ当たりＮ−ｂｉｔＣＢＧＴＩ（ＣＢＧ  ｔｒａｎｓｍｉｓｓｉｏｎ  ｉｎｆｏｒｍａｔｉｏｎ）フィールドが存在する。また、各ＴＢ当たりＭＣＳ（ｍｏｄｕｌａｔｉｏｎ  ａｎｄ  ｃｏｄｉｎｇ  ｓｃｈｅｍｅ）、ＲＶ（ｒｅｄｕｎｄａｎｃｙ  ｖｅｒｓｉｏｎ）、及びＮＤＩ（ｎｅｗ  ｄａｔａ  ｉｎｄｉｃａｔｏｒ）が存在する。一つのＴＢに対して前記ＣＢＧＴＩが全て０であれば、該当ＴＢが伝送されないことが指示される。また、一つのＴＢに対して前記ＣＢＧＴＩが全て０で、ＭＣＳとＲＶの値が特定値であれば、該当ＴＢが伝送されないことが指示される。ここで、ＭＣＳの特定値は０で、ＲＶの特定値は１である。
【０２９３】
本発明の他の実施例によると、バンドリングを行う２つのＴＢに少なくとも一つの仮想のＣＢＧが存すれば、以下のようにバンドリングを行う。まず、仮想のＣＢＧに対するＨＡＲＱ−ＡＣＫ  「ｘ」にＮＡＣＫをマッピングする。また、Ｑ＝ｍｉｎ（Ｍ１、Ｍ２）と定義する。ちなみに、ＴＢ＃１がＴＢ−基盤伝送であればＭ１＝１と仮定し、ＴＢ＃２がＴＢ−基盤伝送であればＭ２＝１と仮定する。ＡＣＫは１で、ＮＡＣＫは０とする。２つのＴＢに対するＨＡＲＱ−ＡＣＫからバンドリングが行われたＨＡＲＱ−ＡＣＫを生成する際、１番目からＱ番目までのＨＡＲＱ−ＡＣＫビットには２進数ＡＮＤ演算が行われ、Ｑ＋１番目からＮ番目までのＨＡＲＱ−ＡＣＫビットには２進数ＯＲ演算が行われる。もしＴＢ＃１が４つのＣＢＧを含んで（つまり、Ｍ１＝４）構成されたＣＢＧの個数が４で（つまり、Ｎ＝４）、ＴＢ＃２が２つのＣＢＧを含んで（つまり、Ｍ２＝２）構成されたＣＢＧの個数が４であれば（つまり、Ｎ＝４）、ＴＢ＃１に対するＨＡＲＱ−ＡＣＫは［ａ１、ａ２、ａ３、ａ４］で、ＴＢ＃２に対するＨＡＲＱ−ＡＣＫは［ｂ１、ｂ２、０、０］である。そして、Ｑ＝２である。よって、最初の２つのビットには２進数ＡＮＤ演算が行われ、後の２つ（つまり、Ｎ−Ｑとして）のビットには２進数ＯＲ演算が行われる。よって、バンドリングが行われたＨＡＲＱ−ＡＣＫは［ａ１＆ｂ１、ａ２＆ｂ２、ａ３｜０、ａ４｜０］である。ここで、＆は２進数ＡＮＤ演算であり、｜は２進数ＯＲ演算である。ちなみに、このようなバンドリング方法は空間バンドリングでも使用されるか、空間バンドリングを除いた他のＴＢ間のバンドリングでのみ使用される。
【０２９４】
本発明のまた他の実施例によると、バンドリングを行う２つのＴＢに少なくとも一つの仮想のＣＢＧが存すれば、以下のようにバンドリングを行う。まず、仮想のＣＢＧに対するＨＡＲＱ−ＡＣＫは「ｘ」と示し、バンドリング後の「ｘ」にＮＡＣＫをマッピングする。２つのＴＢに対するＨＡＲＱ−ＡＣＫでバンドリングされたＨＡＲＱ−ＡＣＫを生成する際、２つのＨＡＲＱ−ＡＣＫに３進数ＡＮＤ演算が行われる。この際、３進数ＡＮＤ演算の真理表は表１７に示した。バンドリングの後、ｘはＮＡＣＫにマッピングされる。もしＴＢ＃１が４つのＣＢＧを含んで（つまり、Ｍ１＝４）構成されたＣＢＧの個数が４で（つまり、Ｎ＝４）、ＴＢ＃２が２つのＣＢＧを含んで（つまり、Ｍ２＝２）構成されたＣＢＧの個数が４であれば（つまり、Ｎ＝４）、ＴＢ＃１に対するＨＡＲＱ−ＡＣＫは［ａ１、ａ２、ａ３、ａ４］で、ＴＢ＃２に対するＨＡＲＱ−ＡＣＫは［ｂ１、ｂ２、ｘ、ｘ］である。よって、バンドリングが行われたＨＡＲＱ−ＡＣＫは［ａ１￥ｂ１、ａ２￥ｂ２、ａ３￥ｘ、ａ４￥ｘ］である。ここで、演算子￥は表１７に示されている。ちなみに、このようなバンドリング方法は空間バンドリングでも使用されるか、空間バンドリングを除いた他のＴＢ間のバンドリングでのみ使用される。
【０２９５】
【表１７】
2020529780.tif 000044
【０２９６】
一方、端末が空間バンドリングを行うように構成されれば、端末のＤＣＩには一つのＮ−ｂｉｔ  ＣＢＧＴＩフィールドが存在する。また、各ＴＢ当たりＭＣＳ、ＲＶ、ＮＤＩが存在する。端末がいかなるＣＢＧを受信したのかを判断する過程は以下のようである。端末は、各ＴＢのＭＣＳとＲＶの値を介して該当ＴＢが伝送されたのかを識別する。ここで、ＭＣＳとＲＶが特定値であれば、該当ＴＢが伝送されていないことを示す。例えば、ＭＣＳの特定値は０で、ＲＶの特定値は１である。伝送されたＴＢが一つであれば、端末は、Ｎ−ｂｉｔ  ＣＢＧＴＩがそのＴＢのどのＣＢＧが伝送されていることを示すと解釈する。つまり、Ｎ−ｂｉｔ  ＣＢＧＴＩのｎ番目のｂｉｔが１であれば（ここで、１であれば伝送されたことを示すと仮定する）、端末はｎ番目のＣＢＧが伝送されたことを識別する。伝送されたＴＢが２つであれば、端末は、Ｎ−ｂｉｔ  ＣＢＧＴＩがそのＴＢのうちどのＣＢＧが伝送されていることを示す方法と同じ方法で識別する。例えば、空間バンドリングが行われたｉ番目のＨＡＲＱ−ＡＣＫビットが、ＴＢ＃１のｋ番目のＣＢＧに対するＨＡＲＱ−ＡＣＫビットと、ＴＢ＃２のｊ番目のＣＢＧに対するＨＡＲＱ−ＡＣＫビットビットに２進ＡＮＤ演算されて算出される場合、ＤＣＩのＮ−ｂｉｔ ＣＢＧＴＩのうちｉ番目のｂｉｔが１であれば、ＴＢ＃１のｋ番目のＣＢＧが伝送されていることを、ＴＢ＃２のｊ番目のＣＢＧが伝送されていることを示す。本発明の一実施例として、Ｍ１＜Ｎで数学式４のような方式で空間バンドリングを行うと仮定すると、ＤＣＩのＮ−ｂｉｔ  ＣＢＧＴＩ［ｄ１、ｄ２、…、ｄＮ］のうちｉ番目のｂｉｔが１であれば、以下のようなＣＢＧが伝送されることを識別する。
【０２９７】
【数２６】
2020529780.tif 000045
【０２９８】
ここで、ＣＢＧ（１）ｉはＴＢ＃１のｉ番目のＣＢＧを示し、ＣＢＧ（２）ｉはＴＢ＃２のｉ番目のＣＢＧを示す。Ｍ１とＭ２はそれぞれＴＢ＃１とＴＢ＃２でスケジューリングされたＣＢＧの個数であって、ＤＣＩの各ＴＢのＭＣＳ値から識別される。
【０２９９】
図４３は、本発明の一実施例による端末と基地局の構成をそれぞれ示すブロック図である。本発明の一実施例において、端末は携帯性と移動性が補償される多様な種類の無線通信装置、またはコンピューティング装置で具現される。端末はＵＥ（Ｕｓｅｒ  Ｅｑｕｉｐｍｅｎｔ）、ＳＴＡ（Ｓｔａｔｉｏｎ）、ＭＳ（Ｍｏｂｉｌｅ  Ｓｕｂｓｃｒｉｂｅｒ）などと称される。また、本発明の実施例において、基地局はサービス地域に当たるセル（例えば、マクロセル、フェムトセル、ピコセルなど）を制御及び管掌し、信号の送り出し、チャネルの指定、チャネルの監視、自己診断、中継などの機能を行う。基地局は、ｇＮＢ（ｎｅｘｔ  Ｇｅｎｅｒａｔｉｏｎ  ＮｏｄｅＢ）またはＡＰ（Ａｃｃｅｓｓ  Ｐｏｉｎｔ）などと称される。
【０３００】
図示したように、本発明の一実施例による端末１００は、プロセッサ１１０、通信部１２０、メモリ１３０、ユーザインタフェース部１４０、及びディスプレーユニット１５０を含む。
【０３０１】
まず、プロセッサ１１０は多様な命令またはプログラムを実行し、端末１００内部のデータをプロセッシングする。また、プロセッサ１００は端末１００の各ユニットを含む全体動作を制御し、ユニット間のデータの送受信を制御する。ここで、プロセッサ１１０は、本発明で説明した実施例による動作を行うように構成される。例えば、プロセッサ１１０はスロット構成情報を受信し、それに基づいてスロットの構成を判断して、判断されたスロット構成に応じて通信を行ってもよい。
【０３０２】
次に、通信モジュール１２０は、無線通信網を利用した無線通信、及び無線ＬＡＮを利用した無線ＬＡＮ接続を行う統合モジュールである。そのために、通信モジュール１２０は、セルラー通信インターフェースカード１２１、１２１、及び非免許帯域通信インターフェースカード１２３のような複数のネットワークインターフェースカード（ｎｅｔｗｏｒｋ  ｉｎｔｅｒｆａｃｅ  ｃａｒｄ、ＮＩＣ）を内蔵または外装の形に備える。図面において、通信モジュール１２０は一体型統合モジュールと図示されているが、それぞれのネットワークインターフェースカードは図面とはことなって、回路構成または用途に応じて独立して配置されてもよい。
【０３０３】
セルラー通信インターフェースカード１２１は、移動通信網を介して基地局２００、外部ディバイス、サーバのうち少なくとも一つと無線信号を送受信し、プロセッサ１１０の命令に基づいて第１周波数帯域によるセルラー通信サービスを提供する。一実施例によると、セルラー通信インターフェースカード１２１は、６ＧＨｚ未満の周波数帯域を利用する少なくとも一つのＮＩＣモジュールを含む。セルラー通信インターフェースカード１２１は、少なくとも一つのＮＩＣモジュールは、該当ＮＩＣモジュールが支援する６ＧＨｚ未満の周波数帯域のセルラー通信規格またはプロトコールに応じて、独立して基地局２００、外部ディバイス、サーバのうち少なくとも一つとセルラー通信を行う。
【０３０４】
セルラー通信インターフェースカード１２２は、移動通信網を介して基地局２００、外部ディバイス、サーバのうち少なくとも一つと無線信号を送受信し、プロセッサ１１０の命令に基づいて第2周波数帯域によるセルラー通信サービスを提供する。一実施例によると、セルラー通信インターフェースカード１２２は、６ＧＨｚ以上の周波数帯域を利用する少なくとも一つのＮＩＣモジュールを含む。セルラー通信インターフェースカード１２２は、少なくとも一つのＮＩＣモジュールは、該当ＮＩＣモジュールが支援する６ＧＨｚ以上の周波数帯域のセルラー通信規格またはプロトコールに応じて、独立して基地局２００、外部ディバイス、サーバのうち少なくとも一つとセルラー通信を行う。
【０３０５】
非免許帯域通信インターフェースカード１２３は、非免許帯域である第３周波数帯域を介して基地局２００、外部ディバイス、サーバのうち少なくとも一つと無線信号を送受信し、プロセッサ１１０の命令に基づいて非免許帯域の通信サービスを提供する。非免許帯域通信インターフェースカード１２３は、非免許帯域を利用する少なくとも一つのＮＩＣモジュールを含む。例えば、非免許帯域は２．４ＧＨｚまたは５ＧＨｚの帯域であってもよい。非免許帯域通信インターフェースカード１２３の少なくとも一つのＮＩＣモジュールは、該当ＮＩＣモジュールが支援する周波数帯域の非免許帯域通信規格またはプロトコールに応じて、独立してまたは従属して基地局２００、外部ディバイス、サーバのうち少なくとも一つとセルラー通信を行う。
【０３０６】
次に、メモリ１３０は、端末１００で使用される制御プログラム及びそれによる各種データを貯蔵する。このような制御プログラムには、端末１００が基地局２００、外部ディバイス、サーバのうち少なくとも一つと無線通信を行うのに必要な所定のプログラムが含まれる。
【０３０７】
次に、ユーザインタフェース１４０は、端末１００に備えられた多様な形態の入／出力手段を含む。つまり、ユーザインタフェース部１４０は多様な入力手段を利用してユーザの入力を受信し、プロセッサ１１０は受信されたユーザ入力に基づいて端末１００を制御する。また、ユーザインタフェース１４０は、多様な出力手段を利用してプロセッサ１１０の命令に基づく出力を行う。
【０３０８】
次に、ディスプレーユニット１５０は、ディスプレー画面に多様なイメージを出力する。前記ディスプレーユニット１５０は、プロセッサ１１０によって行われるコンテンツ、またはプロセッサ１１０の制御命令に基づいたユーザインタフェースなどの多様なディスプレーオブジェクトを出力する。
【０３０９】
また、本発明の実施例による基地局２００は、プロセッサ２１０、通信モジュール２２０、及びメモリ２３０を含む。
【０３１０】
まず、プロセッサ２１０は多様な命令またはプログラムを実行し、基地局２００内部のデータをプロセッシングする。また、プロセッサ２１０は基地局２００の各ユニットを含む全体動作を制御し、ユニット間のデータの送受信を制御する。ここで、プロセッサ２１０は、本発明で説明した実施例による動作を行うように構成される。例えば、プロセッサ２１０はスロット構成情報をシグナリングし、シグナリングしたスロット構成に応じて通信を行ってもよい。
【０３１１】
次に、通信モジュール２２０は、無線通信網を利用した無線通信、及び無線ＬＡＮを利用した無線ＬＡＮ接続を行う統合モジュールである。そのために、通信モジュール１２０は、セルラー通信インターフェースカード２２１、２２２、及び非免許帯域通信インターフェースカード２２３のような複数のネットワークインターフェースカードを内蔵または外装の形に備える。図面において、通信モジュール２２０は一体型統合モジュールと図示されているが、それぞれのネットワークインターフェースカードは図面とはことなって、回路構成または用途に応じて独立して配置されてもよい。
【０３１２】
セルラー通信インターフェースカード２２１は、移動通信網を介して上述した端末１００、外部ディバイス、サーバのうち少なくとも一つと無線信号を送受信し、プロセッサ210の命令に基づいて第１周波数帯域によるセルラー通信サービスを提供する。一実施例によると、セルラー通信インターフェースカード２２１は、６ＧＨｚ未満の周波数帯域を利用する少なくとも一つのＮＩＣモジュールを含む。セルラー通信インターフェースカード２２１は、少なくとも一つのＮＩＣモジュールは、該当ＮＩＣモジュールが支援する６ＧＨｚ未満の周波数帯域のセルラー通信規格またはプロトコールに応じて、独立して端末１００、外部ディバイス、サーバのうち少なくとも一つとセルラー通信を行う。
【０３１３】
セルラー通信インターフェースカード２２２は、移動通信網を介してした端末１００、外部ディバイス、サーバのうち少なくとも一つと無線信号を送受信し、プロセッサ２１０の命令に基づいて第２周波数帯域によるセルラー通信サービスを提供する。一実施例によると、セルラー通信インターフェースカード２２２は、６ＧＨｚ以上の数は数帯域を利用する少なくとも一つのＮＩＣモジュールを含む。セルラー通信インターフェースカード２２２の少なくとも一つのＮＩＣモジュールは、該当ＮＩＣモジュールが支援する６ＧＨｚ以上の周波数帯域のセルラー通信規格またはプロトコールに応じて、独立して端末１００、外部ディバイス、サーバのうち少なくとも一つとセルラー通信を行う。
【０３１４】
非免許帯域通信インターフェースカード２２３は、非免許帯域である第３周波数帯域を介して端末１００、外部ディバイス、サーバのうち少なくとも一つと無線信号を送受信し、プロセッサ２１０の命令に基づいて非免許帯域の通信サービスを提供する。非免許帯域通信インターフェースカード２２３は、非免許帯域を利用する少なくとも一つのＮＩＣモジュールを含む。例えば、非免許帯域は２．４ＧＨｚまたは５ＧＨｚの帯域であってもよい。非免許帯域通信インターフェースカード２２３の少なくとも一つのＮＩＣモジュールは、該当ＮＩＣモジュールが支援する周波数帯域の非免許帯域通信規格またはプロトコールに応じて、独立してまたは従属して端末１００、外部ディバイス、サーバのうち少なくとも一つとセルラー通信を行う。
【０３１５】
図４３に示した端末１００及び基地局２００は本発明の一実施例によるブロック図であって、分離して示したブロックはディバイスのエレメントを論理的に区別して図示したものである。よって、上述したディバイスのエレメントは、ディバイスの設計に応じて一つのチップまたは複数のチップに取り付けられる。また、端末１００の一部の構成、例えば、ユーザインタフェース部１５０などは端末１００に選択的に備えられてもよい。また、ユーザインタフェース１４０及びディスプレーユニット１５０などは、基地局２００に必要によって追加に備えられてもよい。
【０３１６】
上述した本発明の説明は例示のためのものであって、本発明が属する技術分野における通常の知識を有する者は、本発明の技術的思想や必須的特徴を変更せずに他の具体的な形態に容易に変更可能であることを理解できるはずである。よって、上述した実施例は全ての面で例示的なものであり、限定的なものではないと理解すべきである。例えば、単一形として説明されている各構成要素は分散されて実施されてもよく、同じく分散されていると説明されている構成要素も結合された形態で実施されてもよい。
【０３１７】
本発明の範囲は、上述した詳細な説明よりは後述する特許請求の範囲によって示され、特許請求の範囲の意味及び範囲、そしてその均等概念から導き出される全ての変更または変形された形態が本発明の範囲に含まれると解釈すべきである。
【符号の説明】
【０３１８】
110  プロセッサ
121  セルラー通信インターフェースカード（第１周波数バンド）
122  セルラー通信インターフェースカード（第２周波数バンド）
123  非免許帯域通信インターフェースカード（第３周波数バンド）
130  メモリ
140  ユーザインタフェース
150  ディスプレイユニット
210  プロセッサ
221  セルラー通信インターフェースカード（第１周波数バンド）
222  セルラー通信インターフェースカード（第２周波数バンド）
223  非免許帯域通信インターフェースカード（第３周波数バンド）
230  メモリ
【図１】
2020529780.tif 000046
【図２】
2020529780.tif 000047
【図３】
2020529780.tif 000048
【図４（ａ）】
2020529780.tif 000049
【図４（ｂ）】
2020529780.tif 000050
【図５】
2020529780.tif 000051
【図６】
2020529780.tif 000052
【図７】
2020529780.tif 000053
【図８】
2020529780.tif 000054
【図９】
2020529780.tif 000055
【図１０】
2020529780.tif 000056
【図１１（ａ）】
2020529780.tif 000057
【図１１（ｂ）】
2020529780.tif 000058
【図１２】
2020529780.tif 000059
【図１３】
2020529780.tif 000060
【図１４】
2020529780.tif 000061
【図１５】
2020529780.tif 000062
【図１６】
2020529780.tif 000063
【図１７】
2020529780.tif 000064
【図１８】
2020529780.tif 000065
【図１９】
2020529780.tif 000066
【図２０】
2020529780.tif 000067
【図２１】
2020529780.tif 000068
【図２２】
2020529780.tif 000069
【図２３】
2020529780.tif 000070
【図２４】
2020529780.tif 000071
【図２５】
2020529780.tif 000072
【図２６】
2020529780.tif 000073
【図２７（ａ）】
2020529780.tif 000074
【図２７（ｂ）】
2020529780.tif 000075
【図２８】
2020529780.tif 000076
【図２９】
2020529780.tif 000077
【図３０】
2020529780.tif 000078
【図３１】
2020529780.tif 000079
【図３２】
2020529780.tif 000080
【図３３】
2020529780.tif 000081
【図３４】
2020529780.tif 000082
【図３５】
2020529780.tif 000083
【図３６】
2020529780.tif 000084
【図３７】
2020529780.tif 000085
【図３８】
2020529780.tif 000086
【図３９（ａ）】
2020529780.tif 000087
【図３９（ｂ）】
2020529780.tif 000088
【図３９（ｃ）】
2020529780.tif 000089
【図４０（ａ）】
2020529780.tif 000090
【図４０（ｂ）】
2020529780.tif 000091
【図４０（ｃ）】
2020529780.tif 000092
【図４０（ｄ）】
2020529780.tif 000093
【図４０（ｅ）】
2020529780.tif 000094
【図４０（ｆ）】
2020529780.tif 000095
【図４１】
2020529780.tif 000096
【図４２】
2020529780.tif 000097
【図４３】
2020529780.tif 000098
【国際調査報告】
2020529780.tif 000099
2020529780.tif 000100
2020529780.tif 000101
2020529780.tif 000102